(57)【特許請求の範囲】
【請求項１】
プロセッサによる通信の方法であって、
発見時間枠の間に、複数の通信チャネルのうちの第１の通信チャネルを介して、近隣認識ネットワーク（ＮＡＮ）の第１の電子デバイスから前記ＮＡＮの第２の電子デバイスにメッセージを送信することと、ここにおいて、前記メッセージは、前記第１の電子デバイスが通信に利用可能であることを示す、
前記メッセージを送信したことに応答して、送信時間枠の第１のページング時間枠の間に、前記複数の通信チャネルのうちの第２の通信チャネルを監視することと、ここにおいて、前記第１のページング時間枠が、前記送信時間枠の最初の部分を備え、前記第１のページング時間枠が、前記ＮＡＮの電子デバイスのためのアクティブな時間期間として指定され、前記第１の通信チャネルが、前記第２の通信チャネルとは異なる、
前記第１の通信チャネルの前記発見時間枠の間に同期ビーコンを送信することと、前記同期ビーコンは、前記ＮＡＮの２つ以上の電子デバイスの各々が、対応するクロックを同期することを可能にするタイミング情報を含む、
前記第１のページング時間枠の最初からのオフセットを示す第１の値を生成することと、
前記第１の値に基づいて、前記第１のページング時間枠の間の第１の時間においてページングメッセージの送信を開始することと
を備える、方法。
【請求項２】
前記第１のページング時間枠の間にページングメッセージが前記第１の電子デバイスによって送信または受信されていないと決定したことに応答して、前記送信時間枠のデータ時間枠の間に低電力モードに入ることをさらに備え、前記データ時間枠が、前記第１のページング時間枠の終了後に開始する、請求項１に記載の方法。
【請求項３】
前記第１のページング時間枠の間にページングメッセージを送信することをさらに備え、前記ページングメッセージが、前記第１の電子デバイスが前記第２の電子デバイスへ送信すべきデータを有することを示し、前記ページングメッセージが、アドホックトラフィック指示メッセージ（ＡＴＩＭ）、トラフィック指示マップ（ＴＩＭ）、ブルームフィルタ、または媒体アクセス制御（ＭＡＣ）アドレスリストのうちの少なくとも１つを含む、請求項１に記載の方法。
【請求項４】
前記第１の電子デバイスが前記第２の電子デバイスへ送信されるべきデータを有するかどうかを決定することと、
前記第１の電子デバイスが送信されるべき前記データを有すると決定したことに応答して、前記第１のページング時間枠の間に、前記第２の通信チャネルを介してページングメッセージを前記第２の電子デバイスに送信すること、または、
前記第１の電子デバイスが送信されるべき前記データを有しないと決定したことに応答して、データ時間枠の間に低電力モードに入ることと
をさらに備える、請求項１に記載の方法。
【請求項５】
前記発見時間枠の間、前記第１の通信チャネルを監視することと、ここにおいて、前記第１の通信チャネルが、前記第２の通信チャネルに対応する第２の周波数範囲とは異なる、第１の周波数範囲に対応する、
前記発見時間枠の間に加入メッセージを前記第２の電子デバイスから受信することと
をさらに備え、前記加入メッセージは、前記第２の電子デバイスが通信するよう要求することを示す、請求項１に記載の方法。
【請求項６】
前記加入メッセージに含まれる前記第２の電子デバイスの媒体アクセス制御（ＭＡＣ）アドレスに基づいて、インターネットプロトコル（ＩＰ）アドレスを生成することと、
前記ＩＰアドレスに基づいて、前記第２の電子デバイスにページングメッセージを送信することと、
前記ＩＰアドレスに基づいてデータを前記第２の電子デバイスに送信することと
をさらに備え、前記データが、前記送信時間枠のデータ時間枠の間に送信され、前記第１のページング時間枠の最後が、前記データ時間枠の最初に対応する、請求項５に記載の方法。
【請求項７】
前記第２の電子デバイスからトリガフレームを受信することと、前記トリガフレームは、前記第２の電子デバイスがデータを受信するのに利用可能であることを示し、ここにおいて、前記トリガフレームは、前記第２の電子デバイスが前記データを受信する予定であることを示すページングメッセージに応答するものである、
前記トリガフレームを受信したことに応答して、前記送信時間枠のデータ時間枠の間に前記データを前記第２の電子デバイスに送信することと
をさらに備える、請求項１に記載の方法。
【請求項８】
前記第１の電子デバイスが前記第１のページング時間枠の間に前記第２の通信チャネルを介してページングメッセージを送信することが可能であるかどうかを決定することと、ここにおいて、前記第２の通信チャネルが、前記第１のページング時間枠の間に使用されている、
前記第１の電子デバイスが前記第１のページング時間枠の間に前記ページングメッセージを送信することが可能ではないと決定したことに応答して、第２の送信時間枠の第２のページング時間枠の間に前記第２の通信チャネルを介して前記ページングメッセージを送信することと、ここにおいて、前記第２のページング時間枠が、前記第２の送信時間枠の最初の部分を備える、
をさらに備える、請求項１に記載の方法。
【請求項９】
前記第２の通信チャネルが前記第１の時間において使用されていると決定したことに応答して、前記第１の値を第２の値に更新することと、ここにおいて、前記第２の値が、前記第１の値より小さく、第２の送信時間枠の第２のページング時間枠の最初からの第２のオフセットを示す、
前記第２の値に基づいて、前記第２のページング時間枠の間の第２の時間において前記ページングメッセージを送信することと
をさらに備える、請求項１に記載の方法。
【請求項１０】
前記メッセージが、サービスを示し前記複数の通信チャネルを介した前記サービスの利用可能性を示す、サービス告知を含み、前記メッセージが、前記第１の通信チャネルを介して前記ＮＡＮの第３の電子デバイスにマルチキャストされ、前記第１の通信チャネルが、ＮＡＮ通信チャネルを備え、前記第２の通信チャネルが、１つまたは複数の補助チャネルを含む、請求項１に記載の方法。
【請求項１１】
前記メッセージがさらに、複数の論理チャネルのうちの論理チャネルを介して通信するのに前記第１の電子デバイスが利用可能であることを示し、前記複数の論理チャネルのうちの特定の論理チャネルが、前記複数の通信チャネルのうちの特定の通信チャネルと、複数の送信時間枠のうちの送信時間枠の特定のセットとを示す、請求項１に記載の方法。
【請求項１２】
近隣認識ネットワーク（ＮＡＮ）の第１の電子デバイスの送信機と、前記送信機が、発見時間枠の間に、複数の通信チャネルのうちの第１の通信チャネルを介して、前記ＮＡＮの第２の電子デバイスにメッセージを送信するように構成され、前記メッセージは、前記第１の電子デバイスが通信に利用可能であることを示す、
前記メッセージの送信に応答して、第１の送信時間枠の第１のページング時間枠の間に、前記複数の通信チャネルのうちの第２の通信チャネルを監視するように構成されるプロセッサと、ここにおいて、前記第１のページング時間枠が、前記第１の送信時間枠の最初の部分を備え、前記第１のページング時間枠が、前記ＮＡＮの電子デバイスのためのアクティブな時間期間として指定され、前記第１の通信チャネルが、前記第２の通信チャネルとは異なる、
前記プロセッサは、
前記第１の通信チャネルの前記発見時間枠の間に同期ビーコンを送信することと、前記同期ビーコンは、前記ＮＡＮの２つ以上の電子デバイスの各々が、対応するクロックを同期することを可能にするタイミング情報を含む、
前記第１のページング時間枠の最初からのオフセットを示す第１の値を生成することと、
前記第１の値に基づいて、前記第１のページング時間枠の間の第１の時間においてページングメッセージの送信を開始することと
を、行うようにさらに構成される、
を備える、装置。
【請求項１３】
前記第２の電子デバイスから加入メッセージを受信するように構成される受信機をさらに備え、前記加入メッセージは、前記第２の電子デバイスが、前記メッセージによって示されるサービスに参加することに関心を示していることを示し、前記送信機がさらに、
前記第１のページング時間枠の間にページングメッセージを送信することと、
第１のデータ時間枠の間にデータを送信することと、ここにおいて、前記第１のデータ時間枠が、前記第１の送信時間枠の最後の部分に対応する、
を行うように構成される、請求項１２に記載の装置。
【請求項１４】
前記送信機がさらに、
第３の通信チャネルと関連付けられた第２のページング時間枠の間に、第３の通信チャネルを介して第２のページングメッセージを前記第２の電子デバイスに送信することと、ここにおいて、前記第２のページング時間枠は、第２の送信時間枠の最初の部分に対応する、
前記第３の通信チャネルと関連付けられた第２のデータ時間枠の間に、第３の通信チャネルを介して第２のデータを前記第２の電子デバイスに送信することと
を行うように構成される、請求項１３に記載の装置。
【請求項１５】
前記プロセッサがさらに、前記データを送信する前に前記第２の電子デバイスとの能力の交換を実行するように構成され、前記データが、前記第１の電子デバイスと関連付けられた第１の通信情報、前記第２の電子デバイスと関連付けられ前記能力の交換の実行の間に受信された第２の通信情報、または両方に基づいて送信される、請求項１３に記載の装置。
【請求項１６】
前記能力の交換が、前記第１のページング時間枠の間に実行され、前記第１の通信情報、前記第２の通信情報、または両方がセキュリティ情報を含み、前記データが、前記セキュリティ情報に基づいて暗号化される、請求項１５に記載の装置。
【請求項１７】
前記送信機がさらに、第１の能力メッセージを前記第２の電子デバイスに送信するように構成され、前記第１の能力メッセージが、前記第１の通信情報を示し、
前記受信機がさらに、第２の能力メッセージを前記第２の電子デバイスから受信するように構成され、前記第２の能力メッセージが、前記第２の通信情報を示し、
前記セキュリティ情報が、グループ鍵、共通ネットワーク鍵、または両方を含む、請求項１６に記載の装置。
【請求項１８】
前記能力の交換が、前記発見時間枠の後で実行され、前記能力の交換が、前記第１の通信チャネルを介して実行される、請求項１５に記載の装置。
【請求項１９】
前記送信機がさらに、プローブ要求または接続要求を前記第２の電子デバイスに送信するように構成され、前記プローブ要求または前記接続要求が、前記第１の通信情報を含み、
前記受信機がさらに、プローブ応答または接続応答を前記第２の電子デバイスから受信するように構成され、前記プローブ応答または前記接続応答が、前記第２の通信情報を含む、請求項１５に記載の装置。
【請求項２０】
前記送信機がさらに、第２の発見時間枠の間に第２のメッセージを送信するように構成され、前記装置は、前記第２の電子デバイスからサービス発見補足メッセージを受信するように構成される受信機をさらに備え、前記サービス発見補足メッセージが、前記第２のメッセージのサービスのスケジュール情報を要求し、前記送信機がさらに、ネゴシエーションメッセージを前記第２の電子デバイスに送信するように構成され、前記ネゴシエーションメッセージが、前記スケジュール情報を示す、請求項１２に記載の装置。
【請求項２１】
プロセッサによる通信の方法であって、
第１の発見時間枠の間に、複数の通信チャネルのうちの第１の通信チャネルを介して、近隣認識ネットワーク（ＮＡＮ）の第２の電子デバイスから前記ＮＡＮの第１の電子デバイスに加入メッセージを送信することと、前記加入メッセージは、前記第２の電子デバイスが通信に利用可能であることを示す、
前記加入メッセージを送信したことに応答して、送信時間枠のページング時間枠の間に、前記複数の通信チャネルのうちの第２の通信チャネルを監視することと、ここにおいて、前記ページング時間枠が、前記送信時間枠の最初の部分を備え、前記ページング時間枠が、前記ＮＡＮの電子デバイスのためのアクティブな時間期間として指定され、前記第１の通信チャネルが、前記第２の通信チャネルとは異なる、
前記ページング時間枠の間にページングメッセージを受信することと、ここにおいて、前記ページング時間枠が、前記第１の発見時間枠の最初から第１のオフセットだけオフセットされた時間において開始する、
前記第２の電子デバイスが前記第１の通信チャネルを監視しているかどうかを決定することと、
前記第２の電子デバイスが前記第１の通信チャネルを監視していないと決定したことに応答して、前記ページングメッセージを廃棄することと
を備える、方法。
【請求項２２】
前記ページング時間枠の間に前記第２の通信チャネルを介して前記第１の電子デバイスから第１のページングメッセージを受信することと、前記第１のページングメッセージは、前記第１の電子デバイスが前記第２の電子デバイスへ送信すべきデータを有することを示す、
前記第１のページングメッセージを受信したことに応答して、前記第２の電子デバイスから前記第１の電子デバイスにトリガフレームを送信することと、
データ時間枠の間に前記第２の通信チャネルを監視することと、ここにおいて、前記ページング時間枠の最後が、前記データ時間枠の最初に対応する、
前記データ時間枠の間に、前記第２の通信チャネルを介して前記データを前記第１の電子デバイスから受信することと、ここにおいて、前記データ時間枠が、前記送信時間枠の最後の部分に対応する、
をさらに備える、請求項２１に記載の方法。
【請求項２３】
前記第１のページングメッセージが、第１のサービス品質（ＱｏＳ）インジケータを含み、前記第１のＱｏＳインジケータは、ビデオデータ、音声データ、バックグラウンドデータ、またはこれらの組合せを前記データが含むことを示す、請求項２２に記載の方法。
【請求項２４】
第２のＱｏＳインジケータを含む第２のページングメッセージを受信することと、ここにおいて、前記第１のＱｏＳインジケータが、第１のデータタイプを特定し、前記第２のＱｏＳインジケータが、第２のデータタイプを特定する、
前記第１のＱｏＳインジケータに基づいて、前記第２のページングメッセージよりも前記第１のページングメッセージを優先することと、
前記第２のページングメッセージよりも前記第１のページングメッセージを優先することに基づいて、前記トリガフレームを送信した後で、前記第２のページングメッセージに応答して第２のトリガフレームを送信することと
をさらに備える、請求項２３に記載の方法。
【請求項２５】
前記ページング時間枠の間に前記第２の通信チャネルを介して前記第１の電子デバイスから第１のページングメッセージを受信することと、前記第１のページングメッセージは、前記第１の電子デバイスが前記第２の電子デバイスへ送信すべきデータを有することを示す、
前記第２の電子デバイスが前記送信時間枠のデータ時間枠の間に前記データを受信する予定であることを前記第１のページングメッセージが示さないと、前記第２の電子デバイスによって決定したことに応答して、前記送信時間枠のデータ時間枠の間に低電力モードに入ることと
をさらに備える、請求項２１に記載の方法。
【請求項２６】
第１の発見時間枠の間に、複数の通信チャネルのうちの第１の通信チャネルを介して、近隣認識ネットワーク（ＮＡＮ）の第１の電子デバイスに加入メッセージを送信するように構成される送信機と、前記加入メッセージは、前記ＮＡＮの第２の電子デバイスが通信に関心を示していることを示す、
前記加入メッセージの送信に応答して、送信時間枠のページング時間枠の間に、前記複数の通信チャネルのうちの第２の通信チャネルを監視するように構成されるプロセッサと、ここにおいて、前記ページング時間枠が、前記送信時間枠の最初の部分を備え、前記ページング時間枠が、前記ＮＡＮの電子デバイスのためのアクティブな時間期間として指定され、前記第１の通信チャネルが、前記第２の通信チャネルとは異なる、
受信機と、
前記プロセッサ、前記受信機、および前記送信機に結合されるワイヤレスインターフェースと
を備え、前記ワイヤレスインターフェースが、
前記ページング時間枠の間に前記受信機からページングメッセージを受信することと、ここにおいて、前記ページング時間枠が、前記第１の発見時間枠の最初から第１のオフセットだけオフセットされた時間において開始する、
前記プロセッサが前記第１の通信チャネルを監視しているかどうかを決定することと、
前記プロセッサが前記第１の通信チャネルを監視していないと決定したことに応答して、前記ページングメッセージを廃棄することと
を行うように構成される、
を備える、装置。
【請求項２７】
前記第１の電子デバイスから第１のページングメッセージを受信し、前記ＮＡＮの第３の電子デバイスから第２のページングメッセージを受信するように構成される受信機をさらに備え、前記送信機がさらに、トリガフレームを前記第１の電子デバイスおよび前記第３の電子デバイスにマルチキャストするように構成され、前記受信機がさらに、前記トリガフレームをマルチキャストしたことに応答して、前記第１の電子デバイスから第１のデータを受信し、前記第３の電子デバイスから第２のデータを受信するように構成される、請求項２６に記載の装置。
【請求項２８】
前記トリガフレームが、節電ポール（ＰＳ−ＰＯＬＬ）メッセージ、サービス品質ヌル（ＱｏＳ＿ＮＵＬＬ）フレーム、ＡＴＩＭフレーム、またはアクションフレームのうちの少なくとも１つを含む、請求項２７に記載の装置。
【発明の詳細な説明】
【技術分野】
【０００１】
優先権の主張
[0001]本出願は、２０１４年９月２４日に出願された「ＮＥＩＧＨＢＯＲ  ＡＷＡＲＥ  ＮＥＴＷＯＲＫ  ＬＯＧＩＣＡＬ  ＣＨＡＮＮＥＬＳ」（代理人整理番号１４６８４４Ｐ１）という表題の米国仮特許出願第６２／０５４，５８６号、２０１５年２月２３日に出願された「ＮＥＩＧＨＢＯＲ  ＡＷＡＲＥ  ＮＥＴＷＯＲＫ  ＬＯＧＩＣＡＬ  ＣＨＡＮＮＥＬＳ」（代理人整理番号１４６８４４Ｐ２）という表題の米国仮特許出願第６２／１１９，７４８号、２０１５年７月１７日に出願された「ＮＥＩＧＨＢＯＲ  ＡＷＡＲＥ  ＮＥＴＷＯＲＫ  ＬＯＧＩＣＡＬ  ＣＨＡＮＮＥＬＳ」（代理人整理番号１４６８４４Ｐ３）という表題の米国仮特許出願第６２／１９４，０４７号、および２０１５年９月２２日に出願された「ＮＥＩＧＨＢＯＲ  ＡＷＡＲＥ  ＮＥＴＷＯＲＫ  ＬＯＧＩＣＡＬ  ＣＨＡＮＮＥＬＳ」（代理人整理番号１４６８４４Ｕ２）という表題の米国本特許出願第１４／８６１，６８５号の利益を主張し、前述の出願の各々の内容は、全体が参照により本明細書に明確に組み込まれる。
【０００２】
[0002]本開示は一般に、近隣認識ネットワーク（ＮＡＮ）における論理データチャネルに関する。
【背景技術】
【０００３】
[0003]技術の進歩は、より小さくより強力なコンピューティングデバイスをもたらしている。たとえば、現在、小型軽量で、ユーザによる携行が容易である、ポータブルワイヤレス電話、携帯情報端末（ＰＤＡ）、およびページングデバイスなどのワイヤレスコンピューティングデバイスを含む、様々なポータブルパーソナルコンピューティングデバイスが存在する。より具体的には、携帯電話およびインターネットプロトコル（ＩＰ）電話などのポータブルワイヤレス電話は、ワイヤレスネットワークを介して音声とデータパケットとを通信し得る。さらに、数多くのそのようなワイヤレス電話が、内蔵されている他のタイプのデバイスを含む。たとえば、ワイヤレス電話が、デジタルスチルカメラと、デジタルビデオカメラと、デジタルレコーダと、オーディオファイルプレーヤとを含むこともある。さらに、そのようなワイヤレス電話は、インターネットにアクセスするために使用され得るウェブブラウザアプリケーションなどのソフトウェアアプリケーションを含む、実行可能命令を処理することができる。そのため、これらのワイヤレス電話は、かなりのコンピューティング能力を含み得る。
【０００４】
[0004]ワイヤレス電話などの電子デバイスは、データを送信して受信するために、または情報を交換するために、ワイヤレス接続を使用してネットワークにアクセスし得る。たとえば、互いに近接しているモバイルデバイスは、ワイヤレスメッシュネットワーク、またはインフラストラクチャを伴わない別のピアツーピアのワイヤレスネットワークを形成して、ワイヤレスネットワークを介したデータ交換を実行し得る。モバイル電子デバイスは、ワイヤレスキャリア、Ｗｉ−Ｆｉ（登録商標）アクセスポイント、インターネット、またはこれらの組合せを関与させることなく、ワイヤレスネットワークを形成し得る。ワイヤレスネットワークが機能するようにするために、特定のワイヤレスネットワークまたは特定のワイヤレスネットワークの特定のワイヤレスチャネルが、ワイヤレスネットワークの電子デバイス間でデータを移送するために確保され得る。たとえば、ワイヤレスネットワークの第１の電子デバイスは、音楽サービスなどのサービスを、ワイヤレスネットワーク中の他の電子デバイスと共有し得る。たとえば、第１の電子デバイスは、ワイヤレスネットワーク中の第２の電子デバイスに音楽データを送信し得る。第２の電子デバイスは、第１の電子デバイスがいつ音楽データなどのデータを送信するかを知らないので、第２の電子デバイスは実質的に、第１の電子デバイスからの送信についてワイヤレスネットワークを継続的に監視し得る。したがって、第２の電子デバイスは、第１のデバイスがデータを第２の電子デバイスに送信していない時間期間の間であっても、ワイヤレスネットワークを監視するために電力を消費する。第１の電子デバイスは、単一のワイヤレスチャネルを使用してサービスのデータを提供する。単一のワイヤレスチャネルは、単一のデータセッションに対応し得る。第１の電子デバイスは、単一のワイヤレスチャネルを使用してサービスの複数のデータセッションをサポートすることが不可能であり得る。
【発明の概要】
【０００５】
[0005]ある特定の態様では、通信の方法は、近隣認識ネットワーク（ＮＡＮ）の第１の電子デバイスにおいて複数の論理チャネルのうちの論理チャネルを選択することを含む。論理チャネルは、複数の通信チャネルのうちの特定の通信チャネルを示し、複数の送信時間枠のうちの送信時間枠のセットを示す。方法はまた、第１の電子デバイスがＮＡＮの他の電子デバイスと通信するために利用可能であることを示し、論理チャネルを特定するメッセージを生成することを含む。方法はさらに、ＮＡＮの第２の電子デバイスにメッセージを送信することを含む。
【０００６】
[0006]別の特定の態様では、通信のための装置は、プロセッサと送信機とを含む。プロセッサは、複数の論理チャネルのうちの論理チャネルを選択するように構成される。論理チャネルは、複数の通信チャネルのうちの特定の通信チャネルを示し、複数の送信時間枠のうちの送信時間枠のセットを示す。プロセッサはまた、近隣認識ネットワーク（ＮＡＮ）の他の電子デバイスと通信するための、ＮＡＮの第１の電子デバイスの利用可能性を示し、論理チャネルを特定するメッセージを生成するように構成される。送信機は、ＮＡＮの第２の電子デバイスにメッセージをワイヤレスに送信するように構成される。
【０００７】
[0007]別の特定の態様では、コンピュータ可読記憶デバイスは、プロセッサによって実行されると、プロセッサに、近隣認識ネットワーク（ＮＡＮ）の他の電子デバイスと通信するための、ＮＡＮの第１の電子デバイスの利用可能性を示し、複数の論理チャネルのうちの論理チャネルを特定するメッセージを生成することを含む動作を実行させる命令を記憶する。論理チャネルは、複数の通信チャネルのうちの特定の通信チャネルを示し、複数の送信時間枠のうちの送信時間枠のセットを示す。動作はまた、ＮＡＮの第２の電子デバイスへのメッセージのワイヤレス送信を開始することを含む。
【０００８】
[0008]別の特定の態様では、装置は、近隣認識ネットワーク（ＮＡＮ）の他の電子デバイスと通信するための、ＮＡＮの第１の電子デバイスの利用可能性を示し、複数の論理チャネルのうちの論理チャネルを特定するメッセージを生成するための手段を含む。論理チャネルは、複数の通信チャネルのうちの特定の通信チャネルを示し、複数の送信時間枠のうちの送信時間枠のセットを示す。装置はまた、ＮＡＮの第２の電子デバイスにメッセージを送信するための手段を含む。
【０００９】
[0009]別の特定の態様では、通信の方法は、発見時間枠の間に、複数の通信チャネルのうちの第１の通信チャネルを介して、近隣認識ネットワーク（ＮＡＮ）の第１の電子デバイスからＮＡＮの第２の電子デバイスにメッセージを送信することを含む。このメッセージは、第１の電子デバイスが通信するために利用可能であることを示す。方法はまた、送信時間枠の第１のページング時間枠の間に、複数の通信チャネルのうちの第２の通信チャネルを監視することを含む。第１のページング時間枠は送信時間枠の最初の部分を含み、ＮＡＮの電子デバイスは第１のページング時間枠の間アクティブ状態にある。
【００１０】
[0010]別の特定の態様では、通信のための装置は送信機とプロセッサとを含む。送信機は、発見時間枠の間に、複数の通信チャネルのうちの第１の通信チャネルを介して、ＮＡＮの第２の電子デバイスにメッセージを送信するように構成される。このメッセージは、第１の電子デバイスが通信に利用可能であることを示す。プロセッサは、第１の送信時間枠の第１のページング時間枠の間に、複数の通信チャネルのうちの第２の通信チャネルを監視するように構成される。第１のページング時間枠は第１の送信時間枠の最初の部分を含み、ＮＡＮの電子デバイスは第１のページング時間枠の間アクティブ状態にある。
【００１１】
[0011]別の特定の態様では、通信の方法は、第１の発見時間枠の間に、複数の通信チャネルのうちの第１の通信チャネルを介して、近隣認識ネットワーク（ＮＡＮ）の第２の電子デバイスからＮＡＮの第１の電子デバイスに加入メッセージを送信することを含む。加入メッセージは、第２の電子デバイスが通信に関心を持っていることを示す。方法はまた、送信時間枠のページング時間枠の間に、複数の通信チャネルのうちの第２の通信チャネルを監視することを含む。ページング時間枠は送信時間枠の最初の部分を含み、ＮＡＮの電子デバイスは第１のページング時間枠の間アクティブ状態にある。
【００１２】
[0012]別の特定の態様では、通信のための装置は送信機とプロセッサとを含む。送信機は、第１の発見時間枠の間に、複数の通信チャネルのうちの第１の通信チャネルを介して、近隣認識ネットワーク（ＮＡＮ）の第１の電子デバイスに加入メッセージを送信するように構成される。加入メッセージは、ＮＡＮの第２の電子デバイスが通信に関心を持っていることを示す。プロセッサは、送信時間枠のページング時間枠の間に、複数の通信チャネルのうちの第２の通信チャネルを監視するように構成される。ページング時間枠は送信時間枠の最初の部分を含み、ＮＡＮの電子デバイスは第１のページング時間枠の間アクティブ状態にある。
【００１３】
[0013]図面の簡単な説明と、発明を実施するための形態と、特許請求の範囲とを含む本出願全体を検討した後、本開示の他の態様、利点、および特徴が明らかとなるであろう。
【図面の簡単な説明】
【００１４】
【図１】[0014]１つまたは複数の論理チャネルに対応するデータリンクグループに含まれる１つまたは複数の電子デバイスを含む近隣認識ネットワーク（ＮＡＮ）を含むシステムの特定の態様の図。
【図２】[0015]図１のシステムの特定の態様の動作に対応するタイミング図。
【図３】[0016]図１のシステムの特定の態様の動作に対応するタイミング図。
【図４】[0017]図１のシステムの特定の態様の動作に対応するタイミング図。
【図５Ａ】[0018]ワイヤレス通信のチャネル化の例を示す図。
【図５Ｂ】[0019]論理チャネルの例を示す表。
【図６】[0020]論理チャネルの別の例を示す図。
【図７Ａ】[0021]サービス告知の態様を示す図。
【図７Ｂ】サービス告知の態様を示す図。
【図７Ｃ】サービス告知の態様を示す図。
【図７Ｄ】サービス告知の態様を示す図。
【図８】[0022]時間ブロックの木表現を示す図。
【図９】[0023]図８の木表現に対応するデータをマッピングする例を示す図。
【図１０】[0024]図８の木表現に対応する論理チャネル属性の例を示す図。
【図１１Ａ】[0025]図１のシステムの電子デバイスにおける動作の方法の流れ図。
【図１１Ｂ】図１のシステムの電子デバイスにおける動作の方法の流れ図。
【図１２】[0026]図１のシステムの電子デバイスにおける動作の別の方法の流れ図。
【図１３】[0027]図１のシステムの電子デバイスにおける動作の別の方法の流れ図。
【図１４】[0028]図１のシステムの電子デバイスにおける動作の別の方法の流れ図。
【図１５】[0029]図１のシステムの電子デバイスにおける動作の別の方法の流れ図。
【図１６】[0030]図１のシステムの電子デバイスにおける動作の別の方法の流れ図。
【図１７】[0031]図１のシステムの電子デバイスにおける動作の別の方法の流れ図。
【図１８】[0032]本明細書で開示される１つまたは複数の方法、システム、装置、コンピュータ可読媒体、またはこれらの組合せの様々な態様をサポートするように動作可能であるワイヤレスデバイスの図。
【発明を実施するための形態】
【００１５】
[0033]本開示の特定の態様が、下で図面を参照して説明される。説明では、共通の特徴は、図面全体にわたって共通の参照番号によって指定される。
【００１６】
[0034]本開示は、近隣認識ネットワーク（ＮＡＮ）のデータリンクグループ中の電子デバイスが、複数のデータリンクグループを介して特定のサービスのデータなどのトラフィックを交換するために時間を調整することを可能にするための、システムおよび方法を対象とする。複数のデータリンクグループは、論理チャネルを含むことがあり、またはそれに対応することがある。本明細書で言及される場合、データリンクグループは、電子デバイスのアクティブ動作モードに対応する時間期間を共有し、共通のセキュリティ証明書を有する、１つまたは複数の電子デバイスを指す。非限定的な例として、データリンクグループは、「ソーシャルワイヤレスフィデリティ（ｗｉ−ｆｉ）メッシュ」などのワイヤレスメッシュネットワークを含み得る。データリンクグループの１つまたは複数の電子デバイスは、ＮＡＮ中の電子デバイスのサブセットであり得る。
【００１７】
[0035]本明細書において言及されるように、論理チャネルは、ある特定の通信チャネルと、データリンクグループの電子デバイスがその特定のサービスに関する特定の通信チャネルを介して通信できる１つまたは複数の時間期間とを指す。１つまたは複数の時間期間の各々が、送信時間枠を含むことがあり、またはそれに対応することがある。いくつかの実装形態では、送信時間枠は、ＮＡＮデータリンク時間ブロック（ＮＡＮ  ＤＬ  ＴＢ）を含むことがあり、またはそれに対応することがある。ある特定の態様では、各送信時間枠は、ページング時間枠と呼ばれる時間のある部分を含んでよく、このページング時間枠の間、データリンクグループの第１の電子デバイスは、第１の電子デバイスが送信されるべきデータを有することを示すページングメッセージを、データリンクグループの第２の電子デバイスへ特定の通信チャネルを介して送信することができる。データ送信時間枠と呼ばれる送信時間枠の残りの部分は、データを交換するために使用され得る。本明細書で使用される場合、データ送信時間枠は「データ時間枠」と呼ばれ得る。代替的に、送信時間枠は、データ送信時間枠を指すことがあり、またはそれに対応することがある（すなわち、送信時間枠はページング時間枠を含まない）。
【００１８】
[0036]ページング時間枠の間にページングメッセージを受信せずページングメッセージを送信しない、データリンクグループの電子デバイスは、後続のページング時間枠まで、「スリープモード」などの低電力動作モードに遷移する（または入る）ことができる。低電力動作モードにある電子デバイスは、電力を節約するために、データ送信時間枠の間に特定の通信チャネルを監視するのを控えることができる。
【００１９】
[0037]ある特定の態様では、ＮＡＮの電子デバイスは、多数対多数のＮＡＮデータリンク（ＮＤＬ）を確立することができる。ＮＡＮの動作を例示すると、学生などの電子デバイスのユーザが、スクールバスなどの特定の位置にいることがある。特定のユーザ（「トム  スミス」）の第１のデバイスが、第２のユーザ（「エイブ  ヘンダーソン」）の第２のデバイスへ第１の論理チャネルを介して音楽トラックの第１のセットを提供することがある。第１のデバイスはまた、別のユーザ（「キム  ショー」）の別のデバイスから、第２の論理チャネルを介して、音楽トラックの第２のセットを受信することがある。
【００２０】
[0038]さらに例示すると、第１の電子デバイスおよび第２の電子デバイスは、複数の論理チャネルを使用して、特定のサービスに関するデータを交換することがある。たとえば、特定のユーザ（「トム  スミス」）の提供者デバイスは、第１の論理チャネルを介して、および第２の論理チャネルを介して、ゲームサービスなどの特定のサービスを提供することがある。第１のユーザ（「ジェーン  アダムス」）の加入者デバイスは、第２のユーザ（「ノア  ジョンソン」）とゲームをプレイするために第１の論理チャネルを介して特定のサービスに加入することがあり、別のユーザ（「セイラ  ペーテル」）とゲームをプレイするために第２の論理チャネルを介して特定のサービスに加入することがある。したがって、加入者デバイスおよび提供者デバイスは、特定のサービスに対応する複数のデータセッションを確立し得る。
【００２１】
[0039]ある特定の態様では、提供者デバイスは、提供者デバイスのカバレッジエリアに入り出ていく加入者デバイスとのデータ移送セッションを、迅速にセットアップして切断することができる。たとえば、カフェなどの第１の位置にある提供者デバイスは、提供者デバイスのカバレッジエリアに入る加入者デバイスに告知を提供することができる。
【００２２】
[0040]ある特定の態様では、ＮＡＮの電子デバイスは、セルラーネットワークにアクセスしない自律的なデータ通信セッションを形成することができる。たとえば、大統領選挙のメンバーなどのユーザが、セルラーネットワークのカバレッジのない第１の位置にいることがある。ＮＡＮの電子デバイスは、論理チャネルを使用して互いにメッセージを通信することができる。メッセージは暗号化され得る。セルラーネットワークの使用を避けることで、メッセージのセキュリティを向上させることができる。
【００２３】
[0041]データリンクグループは、発見時間枠の間に、ＮＡＮの電子デバイスにメッセージを送信するＮＡＮの提供者デバイスによって開始され得る。このメッセージは、サービス告知を含むことがあり、またはそれに対応することがある。このメッセージは、提供者デバイスが複数の論理チャネルを介して通信するために利用可能であることを示し得る。たとえば、サービス告知は、特定のサービスが複数の論理チャネルを介して利用可能であることを示し得る。本明細書で言及されるように、発見時間枠は、ＮＡＮの電子デバイスのアクティブ動作モードに対応する時間期間を指す。発見時間枠の間、ＮＡＮの電子デバイスは、サービス告知についてＮＡＮ通信チャネルを監視する（または聴取する）ことができる。ＮＡＮ通信チャネルは、ＮＡＮのデバイスが通信するために使用する特定のワイヤレスチャネルに対応し得る。ＮＡＮの加入者デバイスは、加入メッセージを特定のデバイスに送信することによって、サービス告知に応答することができる。
【００２４】
[0042]特定のデータリンクグループは、特定の論理チャネルに対応し得る。たとえば、特定のデータリンクグループは、提供者デバイスと、特定の論理チャネルを示す加入メッセージを送信した１つまたは複数の加入者デバイスとを含み得る。第１の論理チャネルに対応する第１のデータリンクグループは、第２の論理チャネルに対応する第２のデータリンクグループと同じ、別個の、または重複する電子デバイスを含み得る。特定のデータリンクグループの電子デバイスは、論理チャネルに対応する１つまたは複数のページング時間枠の少なくとも一部分の間、対応する論理チャネルの通信チャネルを監視することができる。発見時間枠の間にサービス告知を受信しない、または、サービス告知を受信したことに応答して加入メッセージを送信しない、ＮＡＮの電子デバイスは、後続の発見時間枠まで、低電力動作モードに遷移し得る。
【００２５】
[0043]ＮＡＮ中の各電子デバイスは、ＮＡＮの少なくとも１つの電子デバイスから受信される同期ビーコンに基づいて、内部クロックを同期することができる。データリンクグループ中の各電子デバイスの内部クロックが同期されるので、各電子デバイスは、アクティブ動作モードに遷移するための、およびサービス告知についてＮＡＮ通信チャネルを監視するための、発見時間枠などの第１の共通の時間期間を決定することができる。データリンクグループの各電子デバイスは、アクティブ動作モードに遷移するために、および特定の論理チャネルに対応する特定の通信チャネルをページングメッセージについて監視するために、ページング時間枠などの第２の共通の時間期間を決定することができる。ある特定の態様では、データリンクグループは「マルチホップ」データリンクグループであってよく、ページングメッセージは、ページング時間枠の間にデータリンクグループの第１の電子デバイスからデータリンクグループの他の電子デバイスへ送信されてよく、他の電子デバイスはページングメッセージをより多くの電子デバイスに広めてよい。別の特定の態様では、データリンクグループは、「シングルホップ」データリンクグループであってよく、ページングメッセージは、データリンクグループの１つまたは複数のデバイスへ、提供者デバイスによって特定の論理チャネルを介して送信され得る。
【００２６】
[0044]図１を参照すると、近隣認識ネットワーク（ＮＡＮ）１０２を含むシステム１００のある特定の態様が示されている。ＮＡＮ１０２は、ワイヤレスキャリア、Ｗｉ−Ｆｉアクセスポイント、インターネット、またはこれらの組合せを関与させることなく、電子デバイス１０４、１０６、１０８、１１０の間のワイヤレス通信を介してデータ交換を実行するように構成される１つまたは複数の電子デバイス１０４、１０６、１０８、１１０を含む。たとえば、ＮＡＮ１０２は、第１のデバイス１０４と、第２のデバイス１０６と、第３のデバイス１０８と、第４のデバイス１１０とを含み得る。
【００２７】
[0045]システム１００は便宜的に示されているだけであり、示される具体的な詳細は限定するものではない。たとえば、他の態様では、システム１００は、図１に示されるものよりも多数の電子デバイスまたは少数の電子デバイスを含むことがあり、電子デバイスは、図１に示されるものとは異なる位置に位置することがある。電子デバイス１０４、１０６、１０８、１１０は、提供者論理１３０、加入者論理１３４、送受信機１３６、またはこれらの組合せを含み得る。
【００２８】
[0046]電子デバイス１０４、１０６、１０８、１１０は、固定位置の電子デバイスまたはモバイル電子デバイスであり得る。たとえば、電子デバイス１０４、１０６、１０８、１１０は、携帯電話、ラップトップコンピュータ、タブレットコンピュータ、パーソナルコンピュータ、マルチメディアデバイス、周辺デバイス、データ記憶デバイス、またはこれらの組合せを含んでよく、またはそれらに対応してよい。加えて、または代替的に、図１１を参照してさらに説明されるように、電子デバイス１０４、１０６、１０８、１１０は、中央処理装置（ＣＰＵ）、デジタル信号プロセッサ（ＤＳＰ）、ネットワーク処理ユニット（ＮＰＵ）などのプロセッサと、ランダムアクセスメモリ（ＲＡＭ）、読取り専用メモリ（ＲＯＭ）などのメモリと、１つまたは複数のワイヤレス通信チャネルなどの１つまたは複数のワイヤレスネットワークを介してデータを送受信するように構成されるワイヤレスインターフェースとを含み得る。ワイヤレスインターフェースは送受信機１３６と通信することができ、送受信機１３６は、ワイヤレス受信機とワイヤレス送信機とを含み、またはそれらに対応する。本明細書で説明されるいくつかの動作は「送受信機」に関して説明され得るが、他の態様では「受信機」がデータ受信動作を実行することができ、「送信機」がデータ送信動作を実行することができる。
【００２９】
[0047]電子デバイス１０４、１０６、１０８、１１０は、１つまたは複数のワイヤレスネットワークを介して、データ、サービス、またはこれらの組合せを交換し得る。本明細書で使用される場合、ワイヤレスネットワーク「を介した」送信は、限定はされないが、ワイヤレスネットワークの２つの電子デバイス間の「ポイントツーポイント」の送信を含み得る。別の例として、ワイヤレスネットワークを介した送信は、ワイヤレスネットワークのある特定の電子デバイスからワイヤレスネットワークの複数の他の電子デバイスへ「ブロードキャストされる」（または送信される）通信を含み得る。ワイヤレスネットワークは、インフラストラクチャネットワーク、または、ピアツーピアネットワーク（たとえば、アドホックネットワーク）などのインフラストラクチャを伴わないネットワークであり得る。本明細書で使用される場合、電子デバイス１０４、１０６、１０８、１１０は、米国電気電子技術者協会（ＩＥＥＥ）８０２．１１規格などの、１つまたは複数のワイヤレスプロトコルまたは規格に従って動作するように構成され得る。たとえば、電子デバイス１０４、１０６、１０８、１１０は、ＩＥＥＥ  ８０２．１１ａ、ｂ、ｇ、ｎ、ｓ、ａａ、ａｃ、ａｄ、ａｅ、ａｆ、ａｈ、ａｉ、ａｊ、ａｑ、ａｘ、またはｍｃ規格に従って動作し得る。加えて、または代替的に、電子デバイス１０４、１０６、１０８、１１０は、説明のための非限定的な例として、Ｗｉ−Ｆｉ  Ａｌｌｉａｎｃｅ（登録商標）規格などの１つまたは複数のＮＡＮ規格またはプロトコルに従って動作し得る。
【００３０】
[0048]加えて、電子デバイス１０４、１０６、１０８、および１１０の１つまたは複数は、符号分割多重接続（ＣＤＭＡ）プロトコル、直交周波数分割多重化（ＯＦＤＭ）プロトコル、直交周波数分割多重接続（ＯＦＤＭＡ）プロトコル、時分割多重接続（ＴＤＭＡ）プロトコル、空間分割多重接続（ＳＤＭＡ）プロトコルなどの、１つまたは複数のセルラー通信プロトコルまたは規格を介して、セルラーネットワークと通信するように構成され得る。加えて、電子デバイス１０４、１０６、１０８、および１１０の１つまたは複数は、Ｂｌｕｅｔｏｏｔｈ（登録商標）規格などの１つまたは複数の近距離通信規格に従って動作するように構成され得る（ＢｌｕｅｔｏｏｔｈはＢｌｕｅｔｏｏｔｈ  ＳＩＧ，Ｉｎｃ．の登録商標である）。加えて、電子デバイス１０４、１０６、１０８、および１１０の１つまたは複数は、赤外線通信または他の近距離通信を介してデータを交換することができる。
【００３１】
[0049]電子デバイス１０４、１０６、１０８、１１０の各々は、動作の間に様々な時間においてＮＡＮ１０２に入り、そこから出ることがある。たとえば、ＮＡＮ１０２の中にない電子デバイスが発見ビーコンを検出することがあり、ＮＡＮ規格またはプロトコルに従って、発見ビーコンによって特定される発見時間枠の間にＮＡＮ１０２に接続することがある。加えて、電子デバイス１０４、１０６、１０８、および１１０は、任意の時間にＮＡＮ１０２から離れ得る。ＮＡＮ１０２内にある間、電子デバイス１０４、１０６、１０８、１１０は、１つまたは複数の論理チャネルを介して通信するための利用可能性を示すメッセージを、送信または受信するように構成され得る。たとえば、電子デバイス１０４、１０６、１０８、１１０は、サービス告知を送信または受信するように構成され得る。サービス告知は、サービス発見フレーム（ＳＤＦ）を含むことがあり、またはそれに対応することがある。サービス告知は、ＮＡＮ１０２の少なくとも１つの電子デバイスによって、１つまたは複数の論理チャネルを介して提供されるサービスを告知することができる。
【００３２】
[0050]加えて、ＮＡＮ１０２の中にある間、電子デバイス１０４、１０６、１０８、および１１０は、ＮＡＮ１０２の１つまたは複数の電子デバイスに同期ビーコンを送信し、またはそれらから同期ビーコンを受信するように構成され得る。同期ビーコンは同期情報を示すことがあり、１つまたは複数のＮＡＮ規格またはプロトコルに従って形成され得る。電子デバイス１０４、１０６、１０８、および１１０の各々は、同期ビーコンに基づいてそれぞれの内部クロックを同期するように構成され得る。同期ビーコンは、同期ビーコンを送信する電子デバイスのワイヤレス通信範囲の外にある電子デバイスに同期ビーコンが到達することを可能にするために、ＮＡＮ規格またはプロトコルに従って、ＮＡＮ１０２内の電子デバイス１０４、１０６、１０８、および１１０の一部によって再送信（また再ブロードキャスト）され得る。ある特定の態様では、同期ビーコンは、「ＮＡＮ通信チャネル」などの第１のワイヤレスチャネルを介して、ＮＡＮ１０２の電子デバイス間で送信され得る。本明細書で使用される場合、「ＮＡＮ通信チャネル」は、ＮＡＮ発見動作とＮＡＮ同期動作とを実行するために電子デバイスに対して確保されている、特定のワイヤレスチャネルである。本明細書で使用される場合、ＮＡＮ通信チャネルはＮＡＮ１０２に対応し、ＮＡＮ１０２における通信はＮＡＮ通信チャネルを介して（または通じて）実行され得る。
【００３３】
[0051]ＮＡＮ１０２に含まれるのに加えて、電子デバイス１０４、１０６、１０８、および１１０の１つまたは複数は１つまたは複数の「データリンクグループ」に含まれ得る。データリンクグループは、データリンク、ＮＡＮデータリンク（ＮＤＬ）、データリンクネットワーク、グループネットワーク、ＮＡＮデータリンク（ＮＤＬ）ネットワーク、データパスグループ、データパスグループネットワーク、ＮＡＮデータパス、またはＮＡＮデータパスグループネットワークとも呼ばれ得る。いくつかの実装形態では、データリンクグループは、説明のための非限定的な例として、「ソーシャルＷｉ−Ｆｉメッシュネットワーク」などのメッシュネットワークを含み得る。データリンクグループは、非集中型のワイヤレスネットワークなどのネットワークを形成することが可能な複数のデバイスを含み得る。データリンクグループは、電子デバイス１０４、１０６、１０８、および１１０の１つによって特定の論理チャネルを介して提供されるサービスに対応し得る。たとえば、図１では、本明細書で説明されるように、第１のデバイス１０４は、音楽サービス、ゲームサービス、ソーシャルメディア、広告サービス、メッセージ共有サービスなどの特定のサービスを、データリンクグループ中の他の電子デバイスへ特定の論理チャネルを介して提供することができる。特定の論理チャネルは、データリンクグループの通信スケジュールを表し得る。たとえば、特定の論理チャネルは、データリンクグループのワイヤレスチャネルデバイスがそれを介して通信することが可能である、時間およびを示し得る。別の例として、第１のデバイス１０４は、アクセスポイント（ＡＰ）ベースのネットワークまたは独立基本サービスセット（ＩＢＳＳ：independent basic service set）ネットワークなどの別のネットワークの一部であってよく、第１のデバイス１０４は、ＮＡＮ１０２の他の電子デバイスが第１のデバイス１０４を介して他のネットワークに加入することを可能にするために、他のネットワークを告知するように構成され得る。
【００３４】
[0052]データリンクグループは、「シングルホップ」データリンクグループまたは「マルチホップ」データリンクグループを含み得る。シングルホップデータリンクグループは、サービスを提供する電子デバイスなどの提供者デバイスのワイヤレス通信範囲（たとえば、距離）の中にある１つまたは複数の電子デバイスを含み得る。マルチホップデータリンクグループは、提供者のワイヤレス通信範囲の外にある１つまたは複数の電子デバイスを含み得る。マルチホップデータリンクグループでは、少なくとも１つの電子デバイスが提供者から（データを含む）メッセージを受信することができ、提供者のワイヤレス通信範囲の外にある別の電子デバイスにメッセージを再ブロードキャストすることができる。ある特定の態様では、データリンクグループは、電子デバイス１０４と、１０６と、１０８と、１１０とを含むマルチホップデータリンクグループであり得る。この態様では、第１のデバイス１０４から第４のデバイス１１０へのワイヤレス通信は、第２のデバイス１０６によってルーティング（または再送信）され得る。別の特定の態様では、データリンクグループは、電子デバイス１０４と、１０６と、１０８とを含むシングルホップデータリンクグループであり得る。第４のデバイス１１０は第１のデバイス１０４のワイヤレス通信範囲（たとえば、１ホップの範囲）内にないので、第４のデバイス１１０はシングルホップデータリンクグループに含まれないことがある。
【００３５】
[0053]第１のデバイス１０４は、提供者デバイスとして動作することなどによって、サービスを提供するように構成され得る。たとえば、第１のデバイス１０４はデータソースとして動作するように構成され得る。第１のデバイス１０４は、データリンクグループの加入者デバイスなどの他の電子デバイスにデータを送信することができる。たとえば、音楽サービスを共有するために、第１のデバイス１０４は、音楽データをデータリンクグループ中の別の電子デバイスに送信することができる。別の例として、ソーシャルメディアサービスを共有するために、第１のデバイス１０４は、テキストデータ、画像データ、ビデオデータ、またはこれらの組合せを、データリンクグループ中の別の電子デバイスに送信することができる。さらなる例として、ゲームサービスを共有するために、第１のデバイス１０４は、テキストデータ、スコアデータ、画像データ、ビデオデータ、またはこれらの組合せを、データリンクグループ中の別の電子デバイスに送信することができる。他の電子デバイス（たとえば、加入者デバイス）は、データシンクとして動作するように構成され得る。
【００３６】
[0054]ある特定の態様では、データは、「データリンクグループ」チャネルなどの第２のワイヤレスチャネルを介して、データリンクグループの電子デバイス間で送信され得る。本明細書で使用される場合、「データリンクグループチャネル」は、サービスを共有することに関するメッセージ（サービスメッセージ、ページングメッセージなど）を通信するために、およびサービスに関連するデータを通信するために、対応するデータリンクグループ中の電子デバイスのために確保されている特定のワイヤレスチャネルである。データリンクグループチャネルは、ＮＤＬチャネルとも呼ばれ得る。論理チャネルは、データリンクグループチャネル、および送信時間枠のセットなどの１つまたは複数の送信時間枠に対応し得る（またはそれらを表し得る）。たとえば、電子デバイスが「論理チャネルを介して」通信するとき、データは、１つまたは複数の送信時間枠の間に、データリンクグループチャネルを介して、データリンクグループの電子デバイス間で送信され得る。本明細書で使用される場合、「データリンクグループチャネル」は、サービスを共有することに対応するデータを、対応するデータリンクグループ中の電子デバイスが通信するために確保されている、特定のワイヤレスチャネルである。加えて、データリンクグループチャネルは、セキュリティ情報を共有するために、接続動作を実行するために、（マルチホップデータリンクグループにおいて）ルーティング動作を実行するために、またはこれらの組合せのために使用され得る。
【００３７】
[0055]いくつかの態様では、データリンクグループチャネルおよびＮＡＮ通信チャネルは、異なるワイヤレス周波数帯域に対応する異なるワイヤレスチャネルであり得る。ある特定の態様では、Ｗｉ−Ｆｉ  Ａｌｌｉａｎｃｅ  ＮＡＮ規格において記述されているように、ＮＡＮ通信チャネルはＮＡＮチャネルに対応し得る。別の特定の態様では、ＮＡＮ通信チャネルは２．４ギガヘルツ（ＧＨｚ）のチャネルであってよく、データリンクグループチャネルは５ＧＨｚのチャネルであってよい。他の態様では、データリンクグループチャネルおよびＮＡＮ通信チャネルは同じワイヤレスチャネルであり得る。たとえば、電子デバイス１０４、１０６、１０８、１１０の１つまたは複数は、ＮＡＮ通信チャネルを介してデータリンクグループとデータを共有することができる。いくつかの態様では、ＮＡＮ１０２は複数のデータリンクグループを含んでよく、複数のデータリンクグループの各々は別個のデータリンクグループチャネルに対応してよい。複数のデータリンクグループは、ＮＡＮ１０２中の異なる電子デバイスによって提供される異なるサービスに対応し得る。他の態様では、複数のデータリンクグループの電子デバイスは、ＮＡＮ１０２を介して、たとえばＮＡＮ通信チャネルを介して、データを共有し得る。いくつかの態様では、複数のデータリンクグループの電子デバイスは、別個の送信時間枠の間に、同じデータリンクグループチャネルを介してデータを共有し得る。
【００３８】
[0056]動作の間、ＮＡＮ１０２の電子デバイスの１つは、ＮＡＮ規格またはプロトコルに従って、同期（ｓｙｎｃ）ビーコンを生成して送信することができる。たとえば、第３のデバイス１０８は、ＮＡＮ通信チャネルを介して同期ビーコンを送信することができる。同期ビーコンがＮＡＮ１０２全体に広まるように、第３のデバイス１０８の１ホップの範囲内にある任意の電子デバイスが、同期ビーコンを再送信することができる。電子デバイス１０４、１０６、１０８、１１０の各々は、同期ビーコンを受信することができ、同期ビーコンに基づいて同期動作を実行することができる。たとえば、電子デバイス１０４、１０６、１０８、１１０は、同期ビーコンを受信したことに基づいて、内部クロックなどのタイミング回路を同期することができる。タイミング回路は、第１のデバイス１０４の送受信機１３６に結合され得る。提供者論理１３０、加入者論理１３４、またはこれらの組合せのいずれかが、内部回路を同期することができる。
【００３９】
[0057]一態様では、第１のデバイス１０４は、本明細書で説明されるように、同期動作を実行した後で、ＮＡＮ１０２の他のデバイスへの特定のサービスの提供者デバイスとして動作し始めることができる。第１のデバイス１０４の提供者論理１３０は、第１のデバイス１０４が通信に利用可能となる通信チャネルと時間期間とを特定する、第１の複数の論理チャネルを決定することができる。たとえば、提供者論理１３０は、デフォルトのデータに基づいて、第１のデバイス１０４のユーザの入力に基づいて、または両方に基づいて、第１の複数の論理チャネルを決定することができる。第１の複数の論理チャネルは、図５Ｂおよび図６を参照して説明されるように、ワイヤレス通信チャネルなどの複数の通信チャネル、および１つまたは複数の関連する送信時間枠に対応し得る。ある特定の実装形態では、複数の論理チャネルは、図５Ｂを参照して説明されるように、論理チャネルのインデックスによって参照され得る。提供者論理１３０は、複数の利用可能な論理チャネルを決定することができる。たとえば、複数の利用可能な論理チャネルは、他のデータ提供者グループに参加するために第１のデバイス１０４の提供者論理１３０によって使用されていない、第１の複数の論理チャネルのサブセットであり得る。
【００４０】
[0058]第１のデバイス１０４の提供者論理１３０は、オーディオストリーミングサービス、ゲームサービス、音楽提供者サービス、またはメッセージサービスなどの特定のサービスを提供するために、複数の利用可能な論理チャネルから１つまたは複数の論理チャネル１５０を選択することができる。たとえば、第１のデバイス１０４の提供者論理１３０は、本明細書で説明されるように、特定のサービスの遅延感受性に基づいて、論理チャネル１５０のうちの少なくとも１つの論理チャネルを選択することができる。
【００４１】
[0059]ある特定の例では、ゲームサービスは第１の遅延感受性を有することがあり、メッセージサービスは第２の遅延感受性を有することがあり、第１の遅延感受性は第２の遅延感受性より大きいことがある。複数の利用可能な論理チャネルの第１の論理チャネルは、第１の数の送信時間枠を含むことがあり、複数の利用可能な論理チャネルの第２の論理チャネルは、第２の数の送信時間枠を含むことがあり、第２の数は第１の数より大きいことがある。この例では、第１のデバイス１０４の提供者論理１３０は、特定の遅延感受性の閾値を満たす遅延感受性を特定のサービスが有すると決定したことに応答して、論理チャネル１５０に含めるべき第２の論理チャネルを選択することができる。例示すると、ゲームサービスは、特定の遅延感受性の閾値以上の第１の遅延感受性を有し得る。別の例として、第１のデバイス１０４の提供者論理１３０は、特定の遅延感受性の閾値を満たさない第２の遅延感受性をメッセージサービスが有すると決定したことに応答して、論理チャネル１５０を含むべき第１の論理チャネルを選択することができる。
【００４２】
[0060]第１のデバイス１０４の提供者論理１３０は、第１のデバイス１０４が論理チャネル１５０を介して通信するために利用可能であることを示す、サービス告知１２０などのメッセージを生成することができる。たとえば、提供者論理１３０は、特定のサービスの利用可能性を告知するために、サービス告知１２０を生成することができる。サービス告知１２０は、１つまたは複数のサービス属性１７０を含み得る。図７Ａ〜図７Ｄを参照して説明されるように、サービス告知１７０の１つは、特定のサービスを記述するものであり得る。サービス告知１２０はさらに、ＮＡＮ−ＤＬ属性１８０などの、１つまたは複数のＮＡＮデータリンクグループ属性を含み得る。特定のサービス属性のインジケータは、ＮＡＮ−ＤＬ属性１８０の特定のＮＡＮデータリンクグループ属性を特定することができる。
【００４３】
[0061]サービス告知１２０はさらに、図６を参照して説明されるように、論理チャネル１５０のうちの１つまたは複数の論理チャネルを示し、または特定することができる。たとえば、サービス告知１２０は、論理チャネル１５０に対応する、ＮＡＮデータリンク（ＮＤＬ）インデックスまたはＮＡＮデータリンク（ＮＤＬ）インデックスなどの、インデックスのリストを含み得る。インデックスのリストは、図５Ｂおよび図６を参照して説明されるように、特定のＮＤＬインデックスを第１の複数の論理チャネルの各論理チャネルに対応付ける対応付けデータに基づき得る。対応付けデータは、電子デバイス１０４、１０６、１０８、および１１０の１つまたは複数が入手可能であり得る。ある特定の態様では、ＮＡＮ−ＤＬ属性１８０の第１のデータリンク属性などの特定のＮＡＮデータリンクグループ属性は、特定のサービスを提供するために第１のデバイス１０４によって使用される論理チャネル１５０のうちの特定の論理チャネルを特定するインジケータを含む。
【００４４】
[0062]ある特定の態様では、サービス告知１２０は、インデックスのリストを使用することなく論理チャネル１５０を示し得る。たとえば、サービス告知１２０は、論理チャネル１５０のうちの特定の論理チャネルを、その特定の論理チャネルに対応するチャネル番号を含めることによって、および、その特定の論理チャネルの１つまたは複数の送信時間枠（たとえば、送信時間枠のセット）に対応する１つまたは複数のオフセットを含めることによって、示し得る。
【００４５】
[0063]ある特定の態様では、第１のデバイス１０４は、基本チャネルを介して特定のサービスを提供することができる。基本チャネルは、ＮＡＮ発見時間枠の終了の後で開始する、ＮＡＮチャネルの送信時間枠に対応し得る。ある特定の態様では、サービス告知１２０は基本チャネルを示さないことがある。たとえば、特定のサービス属性は、特定の論理チャネルを示さないことがある。さらに、サービス告知１２０は、論理チャネル１５０を含まないことがある。第２のデバイス１０６などの、電子デバイスの加入者論理１３４は、サービス告知１２０が基本チャネルを示すかどうかにかかわらず、サービス告知１２０を受信したことに応答して、第１のデバイス１０４が基本チャネルを介して特定のサービスを提供するために利用可能であると想定することができる。いくつかの態様では、論理チャネル１５０は、補助チャネルに対応し得る。
【００４６】
[0064]第１のデバイス１０４の提供者論理１３０は、第１のデバイス１０４の送受信機１３６を介して、ＮＡＮ発見時間枠の間に、第２のデバイス１０６および第３のデバイス１０８などのＮＡＮ１０２の電子デバイスにサービス告知１２０を送信することができる。電子デバイス１０４、１０６、１０８、１１０は、ＮＡＮ発見時間枠の間、ＮＡＮチャネルを監視することができる。第２のデバイス１０６および第３のデバイス１０８などの１つまたは複数のデバイスは、ＮＡＮ発見時間枠の間にサービス告知１２０を受信することができる。
【００４７】
[0065]ある特定の態様では、第２のデバイス１０６の加入者論理１３４は、サービス告知１２０を受信したことと、第２のデバイス１０６が通信に利用不可能であると決定したこととに応答して、加入メッセージ１２４を生成するのを控えることができる。たとえば、第２のデバイス１０６は、一度に複数の通信チャネルを使用して通信する能力を持っていることがある。第２のデバイス１０６の加入者論理１３４は、複数の通信チャネルのいずれもが論理チャネル１５０に対応する送信時間枠の間に利用可能ではないと決定したことに応答して、第２のデバイス１０６が通信に利用不可能であると決定することができる。
【００４８】
[0066]別の例として、第２のデバイス１０６の加入者論理１３４は、第２のデバイス１０６が１つまたは複数の他の電子デバイスと通信するために論理チャネル１５０、基本チャネル、またはこれらの組合せを使用していると決定したことに応答して、第２のデバイス１０６が通信に利用不可能であると決定することができる。例示すると、第２のデバイス１０６の加入者論理１３４は、論理チャネル１５０、基本チャネル、またはこれらの組合せに対応する１つまたは複数の加入メッセージを事前に送信していることがある。さらなる例として、第２のデバイス１０６の加入者論理１３４は、第２のデバイス１０６が論理チャネル１５０、基本チャネル、またはこれらの組合せに対応する通信チャネルを介して通信するように構成されていないと決定したことに応答して、第２のデバイス１０６が通信に利用不可能であると決定することができる。
【００４９】
[0067]ある特定の態様では、第２のデバイス１０６の加入者論理１３４は、第２のデバイス１０６が論理チャネル１５０、基本チャネル、またはこれらの組合せを介して通信するのに利用不可能であると決定したことに応答して、論理チャネル１５０、基本チャネル、またはこれらの組合せに対応する送信時間枠の間、論理チャネル１５０、ＮＡＮ通信チャネル、またはこれらの組合せに対応する通信チャネルを監視するのを控えることができる。ある特定の態様では、第１のデバイス１０４の提供者論理１３０は、ＮＡＮ発見時間枠の間に電子デバイス１０６、１０８、および１１０から加入メッセージが受信されていないと決定したことに応答して、送信時間枠の間、通信チャネル、ＮＡＮ通信チャネル、またはこれらの組合せを監視するのを控えることができる。ある特定の態様では、第１のデバイス１０４の提供者論理１３０は、後続のＮＡＮ発見時間枠まで、送信時間枠の間、通信チャネル、ＮＡＮ通信チャネル、またはこれらの組合せを監視するのを控えることができる。
【００５０】
[0068]第１のデバイス１０４（または第２のデバイス１０６）は、通信チャネル（またはＮＡＮ通信チャネル）を監視するのを控えている間、スリープモードなどの低電力動作モードに遷移することができる。ある特定の態様では、第２のデバイス１０６（または第１のデバイス１０４）の送受信機１３６は、ページング時間枠の間に通信チャネルを介してページングメッセージを受信することができる。通信チャネルおよびページング時間枠は、論理チャネル１５０の論理チャネルに対応し得る（またはそれによって表され得る）。ある特定の態様では、通信チャネルおよびページング時間枠は基本チャネルに対応し得る。たとえば、通信チャネルはＮＡＮ通信チャネルを含み得る。第２のデバイス１０６（または第１のデバイス１０４）の送受信機１３６は、第２のデバイス１０６の加入者論理１３４（または第１のデバイス１０４の提供者論理１３０）がページング時間枠の間に通信チャネルを監視するのを控えていると決定したことに応答して、第２のデバイス１０６の加入者論理１３４に（または第１のデバイス１０４の提供者論理１３０に）ページングメッセージを提供するのを控えることができる。
【００５１】
[0069]ある特定の態様では、第２のデバイス１０６（または第１のデバイス１０４）の送受信機１３６は、ページングメッセージをワイヤレスインターフェースに提供することができ、ワイヤレスインターフェースが、第２のデバイス１０６の加入者論理１３４（または第１のデバイス１０４の提供者論理１３０）がページング時間枠の間に通信チャネルを監視するのを控えていると決定したことに応答して、第２のデバイス１０６の加入者論理１３４に（または第１のデバイス１０４の提供者論理１３０に）ページングメッセージを提供するのを控えることができる。
【００５２】
[0070]ある特定の態様では、ワイヤレスインターフェースまたは送受信機１３６は、第２のデバイス１０６の加入者論理１３４（または第１のデバイス１０４の提供者論理１３０）がページング時間枠の間に通信チャネルを監視するのを控えていると決定したことに応答して、ページングメッセージを廃棄することができる。ある特定の態様では、ワイヤレスインターフェースは、第２のデバイス１０６の加入者論理１３４（または第１のデバイス１０４の提供者論理１３０）がページング時間枠の間に通信チャネルを監視していると決定したことに応答して、第２のデバイス１０６の加入者論理１３４（または第１のデバイス１０４の提供者論理１３０）にページングメッセージを提供することができる。
【００５３】
[0071]ある特定の態様では、加入者デバイスなどの第２のデバイス１０６の加入者論理１３４は、サービス告知１２０を受信したことに応答して、加入メッセージ１２４を生成することができる。たとえば、第２のデバイス１０６の加入者論理１３４は、サービス告知１２０を受信したことと、第２のデバイス１０６が論理チャネル１５０、ＮＡＮ通信チャネル、またはこれらの組合せのうちの少なくとも１つを介して通信するのに利用可能であると決定したこととに応答して、加入メッセージ１２４を生成することができる。ある特定の例では、加入メッセージ１２４は、特定のサービス属性によって記述されるサービスに対応し、第２のデバイス１０６の加入者論理１３４は、第２のデバイス１０６が特定のサービス属性によって示される特定のＮＡＮ−ＤＬ属性によって示される特定の論理チャネルを介して通信するのに利用可能であると決定したことに応答して、加入メッセージ１２４を生成することができる。加入メッセージ１２４は、第２のデバイス１０６が、通信に利用可能であること、通信に関心を示していること、サービス告知のサービスに関心を示していること、またはこれらの組合せを、暗黙的または明示的に示すことができる。第２のデバイス１０６の加入者論理１３４は、第２のデバイス１０６の送受信機１３６を介して、加入メッセージ１２４を第１のデバイス１０４に送信することができる。
【００５４】
[0072]第１のデバイス１０４の提供者論理１３０は、加入メッセージ１２４を受信することができる。第１のデバイス１０４の提供者論理１３０は、加入メッセージ１２４を受信したことに基づいて、第２のデバイス１０６が、通信に利用可能であること、通信に関心を示していること、サービス告知のサービスに関心を示していること、またはこれらの組合せを、決定することができる。ある特定の態様では、加入メッセージ１２４は、第２のデバイス１０６が、通信に利用可能であること、通信に関心を示していること、サービス告知のサービスに関心を示していること、またはこれらの組合せを、明示的に示すことができる。たとえば、加入メッセージ１２４の特定のフィールドの値が、第２のデバイス１０６が通信に利用可能であるかどうかを示し得る。この態様では、第１のデバイス１０４の提供者論理１３０は、加入メッセージ１２４の特定のフィールドが１という値などの特定の値を有すると決定したことに応答して、第２のデバイス１０６が、通信に利用可能であること、通信に関心を示していること、サービス告知のサービスに関心を示していること、またはこれらの組合せを、決定することができる。代替的な態様では、加入メッセージ１２４は、第２のデバイス１０６が、通信に利用可能であること、通信に関心を示していること、サービス告知のサービスに関心を示していること、またはこれらの組合せを、暗黙的に示すことができる。この態様では、第１のデバイス１０４の提供者論理１３０は、加入メッセージ１２４を受信したことに応答して、第２のデバイス１０６が通信に利用可能であると決定することができる。
【００５５】
[0073]ある特定の態様では、第１のデバイス１０４の提供者論理１３０は、加入メッセージ１２４を受信したことに応答して、第２のデバイス１０６に肯定応答（ＡＣＫ）１２６を送信することができる。いくつかの実装形態では、ＡＣＫ１２６は、補足サービス発見フレームを含み得る。ある代替的な態様では、提供者論理１３０はＡＣＫ１２６を送信しないことがある。たとえば、第１のデバイス１０４と第２のデバイス１０６の間のハンドシェイクプロセスは、提供者論理１３０が加入メッセージ１２４を受信することで終了し得る。
【００５６】
[0074]論理チャネル１５０の各々に対応するデータリンクグループは、第１のデバイス１０４と第２のデバイス１０６とを含み得る。ある特定の態様では、第１のデバイス１０４は、電子デバイス１０６、１０８、または１１０などの複数の加入者デバイスから加入メッセージを受信することができる。ＮＡＮ−ＤＬ属性１８０の各々が、データリンクグループに対応し得る。特定の論理チャネルに対応するデータリンクグループは、提供者デバイスなどの第１のデバイス１０４と、加入メッセージにより応答した各加入者デバイスとを含み得る。基本チャネルに対応するデータリンクグループは、第１のデバイス１０４と、サービス告知１２０に対して加入メッセージにより応答した各加入者デバイスとを含み得る。
【００５７】
[0075]ある特定の態様では、各データリンクグループは、特定の論理チャネルに対応し得る。たとえば、各データリンクグループの電子デバイスは、対応する通信チャネルを介して、特定の論理チャネルに対応する１つまたは複数の送信時間枠（たとえば、送信時間枠のセット）の間に、通信を実行することができる。例示すると、データリンクグループの電子デバイスは、基本チャネルを介して、ＮＡＮ発見時間枠の終わりにおいて開始する送信時間枠の間に、通信することができる。ＮＡＮ−ＤＬ属性１８０の１つまたは複数は、論理チャネル１５０のうちの対応する論理チャネルを特定することができる。ＮＡＮ−ＤＬ属性１８０の１つまたは複数のＮＡＮデータリンクグループ属性は、論理チャネル１５０の１つの代わりに予備の値を特定することができる。予備の値は、データリンクグループが通信するために基本チャネルを利用することを示すことができ、または、論理チャネルがネゴシエートされるべきである（またはネゴシエート可能である）ことを示すことができる。たとえば、ＮＡＮデータリンクグループ属性は、サービス告知１２０が送信される発見時間枠の後の基本チャネルの間に論理チャネルがネゴシエートされるべきであることを示す、０ｘ００００などの予備の値を含み得る。ＮＡＮデータリンクグループ属性に対応するサービスに関心のある加入者デバイスは、論理チャネルをネゴシエートするために、基本チャネルに対応する時間期間の間、アクティブ動作モード（たとえば、「アウェイク」モード）にとどまることができる。第１のデバイス１０４などの提供者デバイス、および第２のデバイス１０６などの加入者デバイスは、基本チャネルに対応する時間期間の間、１つまたは複数のネゴシエーションメッセージを交換することができる。１つまたは複数のネゴシエーションメッセージに基づいて、提供者論理１３０は、ＮＡＮデータリンクグループ属性に対応するデータリンクグループのための論理チャネルを選択することができる。１つまたは複数のネゴシエーションメッセージは、提供者論理によって選択されるべき論理チャネルを示し得る。
【００５８】
[0076]各データリンクグループの電子デバイスは、論理チャネル１５０のうちの１つまたは複数の論理チャネルなどの、ＮＤＬ通信スケジュールをネゴシエートすることができる。各データリンクグループの電子デバイスは、ＮＡＮ−ＤＬ属性１８０のＮＡＮデータリンクグループ属性をサービス告知に含めることがあり、または含めないことがある。たとえば、第１のデバイス１０４は、ＮＡＮ−ＤＬ属性１８０の１つまたは複数のＮＡＮデータリンクグループ属性をサービス告知１２０に含めることがあり、または含めないことがあり、ＮＡＮ発見時間枠の間にサービス告知１２０をＮＡＮの電子デバイスに送信することができる。ＮＡＮ−ＤＬ属性１８０の１つまたは複数のＮＡＮデータリンクグループ属性は、論理チャネル１５０のうちの１つまたは複数の論理チャネルを特定し、または示すことができる。第１のデバイス１０４などの提供者デバイス、および第２のデバイス１０６などの加入者デバイスは、ＮＡＮ発見時間枠の後、１つまたは複数のネゴシエーションメッセージを交換することができる。１つまたは複数のネゴシエーションメッセージに基づいて、提供者論理１３０は、ＮＡＮデータリンクグループ属性に対応するデータリンクグループのための論理チャネルを選択することができる。１つまたは複数のネゴシエーションメッセージは、提供者論理によって選択されるべき論理チャネルを示し得る。
【００５９】
[0077]別の特定の態様では、各データリンクグループの電子デバイスは、ＮＡＮ−ＤＬ属性１８０のＮＡＮデータリンクグループ属性をサービス告知に含めることがある。たとえば、第１のデバイス１０４は、ＮＡＮ−ＤＬ属性１８０の１つまたは複数のＮＡＮデータリンクグループ属性をサービス告知１２０に含めることがあり、ＮＡＮ発見時間枠の間にサービス告知１２０をＮＡＮの電子デバイスに送信することができる。ＮＡＮ−ＤＬ属性１８０の１つまたは複数のＮＡＮデータリンクグループ属性は、論理チャネル１５０のうちの１つまたは複数の論理チャネルを特定し、または示すことができる。第２のデバイス１０６は、サービス告知１２０を受信することができ、サービス告知１２０を受信したことに応答して、ネゴシエーションメッセージまたは接続要求を送信することができる。ネゴシエーションメッセージは、サービス告知１２０において示される論理チャネルにおいて、利用可能性、関心、または両方を示し得る。接続要求は、第１のデバイス１０４が第２のデバイス１０６と接続することを可能にし得る。一実装形態では、第２のデバイス１０６は、ＮＡＮ発見時間枠の後で、ネゴシエーションメッセージまたは接続要求を送信することができる。
【００６０】
[0078]別の特定の態様では、各データリンクグループの電子デバイスは、ＮＡＮ−ＤＬ属性１８０のＮＡＮデータリンクグループ属性をサービス告知に含めないことがある。たとえば、第１のデバイス１０４は、ＮＡＮ−ＤＬ属性１８０の１つまたは複数のＮＡＮデータリンクグループ属性をサービス告知１２０に含めないことがあり、ＮＡＮ発見時間枠の間にサービス告知１２０をＮＡＮの電子デバイスに送信することができる。第２のデバイス１０６は、サービス告知１２０を受信することができ、サービス告知１２０を受信したことに応答して、サービス発見補足メッセージを送信することができる。サービス発見補足メッセージは、サービス告知１２０のサービスに関する要求追加情報を要求することができる。追加の情報は、論理チャネル１５０の１つまたは複数の論理チャネルなどの、ＮＤＬ通信スケジュールを含み得る。一実装形態では、第２のデバイス１０６は、ＮＡＮ発見時間枠の間に、サービス発見補足メッセージを送信することができる。別の実装形態では、第２のデバイス１０６は、ＮＡＮ発見時間枠の後に、サービス発見補足メッセージを送信することができる。
【００６１】
[0079]特定のデータリンクグループに参加している電子デバイスは、１つまたは複数の送信時間枠の各々の最初の部分（たとえば、ページング時間枠）の間、特定の通信チャネルを監視することができる。たとえば、第１のデバイス１０４および第２のデバイス１０６は、ＮＡＮ発見時間枠が終了するときに開始するページング時間枠の間、ＮＡＮ通信チャネルを監視することができる。別の例として、第１のデバイス１０４および第２のデバイス１０６は、１つまたは複数の対応する送信時間枠の各々のページング時間枠の間、論理チャネル１５０の各々に対応する特定の通信チャネルを監視することができる。いくつかの例では、特定の送信時間枠は、ページング時間枠を有しないことがある。たとえば、データの高いスループットをサポートするために、１つまたは複数のチャネルが使用され得る。図６を参照して本明細書で説明される、これらの高スループットチャネルは、ページング時間枠を含まないことがあり、または、各送信時間枠の中にページング時間枠を含まないことがある。高スループットチャネルは、複数の高スループットチャネルの期間ごとに１回、ページング時間枠を周期的に含み得る。たとえば、高スループットチャネルは、２つの送信時間枠ごとに、または３つの送信時間枠ごとに、１つのページング時間枠を含み得る。送信時間枠の一部分はページングのために確保されていないので、ページング時間枠を含まない送信時間枠において、より多くのデータが伝送され得る。
【００６２】
[0080]ある特定の態様では、データリンクグループに参加している電子デバイスは、１つまたは複数の対応する送信時間枠の各々の少なくとも第１の数のページング時間枠の間、対応する通信チャネルを監視することができる。たとえば、論理チャネル１５０の第１の論理チャネルは、第１の通信チャネルおよび１つまたは複数の送信時間枠に対応し得る。第２のデバイス１０６の加入者論理１３４は、１つまたは複数の送信時間枠のページング時間枠の少なくとも第１の割合（たとえば、５０％）の間、第１の通信チャネルを監視することができる。たとえば、第２のデバイス１０６の加入者論理１３４は、１つまたは複数の送信時間枠のうちの第１のページング時間枠の間、第１の通信チャネルを監視することができ、１つまたは複数の送信時間枠のうちの第２のページング時間枠の間、第１の通信チャネルを監視するのを控えることができる。第１のページング時間枠および第２のページング時間枠は、同じ発見期間の間に、または別個の発見期間の間に存在し得る。本明細書で言及される場合、「発見期間」は、第１の発見時間枠の終わりと次の発見時間枠の始まりの間の時間期間を指し得る。加えて、または代替的に、データリンクグループに参加している電子デバイスは、ページング時間枠の少なくとも最小の割合の間、対応する通信チャネルを監視することができる。たとえば、第２のデバイス１０６の加入者論理１３４は、１つまたは複数の送信時間枠のページング時間枠の少なくとも第２の割合（たとえば、２５％）の間、第１の通信チャネルを監視することができる。
【００６３】
[0081]第１のデバイス１０４の提供者論理１３０は、第１のデバイス１０４が第２のデバイス１０６に送信されるべきデータを有すると決定したことに応答して、ページングメッセージ１２８を生成することができる。ページングメッセージ１２８は、第１のデバイス１０４が第２のデバイス１０６へ送信すべきデータを有することを示し得る。たとえば、ページングメッセージ１２８は、第１のデバイス１０４からデータを受信することが予定されている、第２のデバイス１０６などの１つまたは複数の「受信者」を示し得る。
【００６４】
[0082]第１のデバイス１０４の提供者論理１３０は、第１の送信時間枠の第１のページング時間枠の間、第１の通信チャネルを介してページングメッセージ１２８を送信することができる。第１のデバイス１０４の提供者論理１３０は、第１のデバイス１０４の送受信機１３６を介して、ページングメッセージ１２８を送信することができる。第１の通信チャネルおよび第１の送信時間枠は、特定のサービス属性によって特定される特定の論理チャネルなどの、論理チャネル１５０の第１の論理チャネルに対応し得る。ある特定の態様では、ＮＡＮ通信チャネルなどの第１の通信チャネル、および第１の送信時間枠が、基本チャネルに対応し得る。別の態様では、ページングメッセージ１２８は、アドホックトラフィック指示メッセージ（ＡＴＩＭ：ad-hoc traffic indication message）、ブルームフィルタ、または媒体アクセス制御（ＭＡＣ）アドレスリスト、または別のメッセージを含み得る。たとえば、ページングメッセージ１２８は、第１の送信時間枠の最初にあるＡＴＩＭ時間枠の間に送信され得る。
【００６５】
[0083]他の態様では、第１のデバイス１０４は、ある値に基づいて、第１のページング時間枠の間の第１の時間において、第１の通信チャネルを介してページングメッセージ１２８を送信する（またはその送信を開始する）ことができる。この値は、ランダムに生成され、または疑似ランダムに生成され得る。たとえば、この値は、乱数生成器または疑似乱数生成器によってランダムに生成され得る。この値は、第１のページング時間枠の最初からのオフセットを示し得る。例示すると、第１のデバイス１０４の提供者論理１３０は、この値をランダムに生成し、第１のページング時間枠の間に第１の通信チャネルを介してページングメッセージ１２８を送信することができる。第１のページング時間枠の最初と第１の時間（ページングメッセージ１２８の送信の時間）との間の時間の量は、この値に基づき得る。
【００６６】
[0084]いくつかの態様では、第１のデバイスは、第１のページング時間枠の間にページングメッセージ１２８を送信することが不可能であり得る。たとえば、第１の通信チャネルは、第１のページング時間枠の間の第１の時間においてビジー状態である、または使用されていることがあり、第１のデバイスは、ページングメッセージ１２８を送信できないことがある。例示すると、第３のデバイス１０８が第１のページング時間枠の間に第１の通信チャネルを介して第２のページングメッセージを送信していることがあるので、第１のデバイス１０４は、第１のページング時間枠の間に第１の通信チャネルを介してページングメッセージ１２８を成功裏に送信できないことがある。ある特定の態様では、第１のデバイス１０４は、第１のデバイス１０４が第１のページング時間枠の間に第１の通信チャネルを介してページングメッセージ１２８を送信することが不可能である場合、後続のページング時間枠の間にページングメッセージ１２８を送信することができる。たとえば、第１のデバイス１０４は、第２の送信時間枠の第２のページング時間枠などの、第１の通信チャネルの次のまたは後続のページング時間枠の間に、ページングメッセージ１２８を送信することができる。第２の送信時間枠は、送信時間枠のセットに含まれ得る。
【００６７】
[0085]いくつかの態様では、データリンクグループの複数の電子デバイスは、ページング時間枠の間に第１の通信チャネルを介してページングメッセージを送信することを試みる（または争う）ことがある。たとえば、第１のデバイス１０４および第３のデバイス１０８がともに、第１のページング時間枠の間にページングメッセージを第２のデバイス１０６に送信することを試みることがある。ある特定の態様では、第１のデバイス１０４および第３のデバイス１０８は、上で説明されたような同期ビーコンをすでに送信または受信していることがあるので、第１のデバイス１０４の第１のクロックおよび第３のデバイス１０８の第２のクロックは同期されていることがある。第１のデバイス１０４は、第１のページング時間枠の最初からの第１のオフセットを示す第１の値を生成することができる。第３のデバイス１０８は、第１のページング時間枠の最初からの第２のオフセットを示す第２の値を生成することができる。第１のデバイス１０４および第３のデバイス１０８は各々、第１の値および第２の値などの値を生成するように構成される、乱数生成器または疑似乱数生成器を含み得る。第１の値および第２の値は、それぞれ、第１のデバイス１０４および第３のデバイス１０８の乱数生成器または疑似乱数生成器によって、ランダムに生成され得る。第１のデバイス１０４は、第１のページング時間枠の間の第１の時間（第１の値に基づいて決定される）において第１のページングメッセージを第２のデバイス１０６に送信することを試みることがあり、第３のデバイス１０８は、第１のページング時間枠の間の第２の時間（第２の値に基づいて決定される）において第２のページングメッセージを送信することを試みることがある。第１の時間と第２の時間は異なるので、第１の通信チャネルは第１の時間および第２の時間において利用可能であることがあり、第１のデバイス１０４および第３のデバイス１０８は対応するページングメッセージを送信することが可能であり得る。したがって、特定のページング時間枠の間のランダムに生成された時間においてページングメッセージを送信することは、複数のページングメッセージの順序通りの送信を可能にでき、特定のデバイスが特定のページングメッセージを送信するときにビジー状態である、または使用されている通信チャネルを制限することができる。
【００６８】
[0086]ある特定の態様では、デバイスは特定の通信チャネルが使用されていることを検出することができ、デバイスはコンテンション手順を利用することができる。たとえば、第１のデバイス１０４は、第１の通信チャネルが第１のページング時間枠の間の第１の時間において使用されていることを決定することができる。第１のデバイス１０４は、第１の通信チャネルが第１の時間において使用されていると決定したことに応答して、第１の値を第３の値に更新することができる。第３の値は、第１の値より小さいことがあり、第２のページング時間枠の最初からの第３のオフセットを示し得る。第１のデバイス１０４は、第３の値に基づいて、第２のページング時間枠の間の第３の時間において第１のページングメッセージを送信することができる。第１の値を第３の値に更新することで、第１の通信チャネルが第１のページング時間枠の間に使用されていることを第１のデバイス１０４が決定した場合、第１のデバイス１０４は、第２のページング時間枠などの後続のページング時間枠の間にページングメッセージを送信することが可能になり得る。ある特定の態様では、第１のデバイス１０４は、第３のデバイス１０８が第２のページング時間枠の間に第３のページングメッセージを送信する前に、第２のページング時間枠の間に第１のページングメッセージを送信することができる。
【００６９】
[0087]第２のデバイス１０６の加入者論理１３４は、第２のデバイス１０６の送受信機１３６を介して、ページングメッセージ１２８を受信することができる。第２のデバイス１０６は、ページングメッセージ１２８を受信したことに応答して、第１の送信時間枠の残りの部分（たとえば、データ送信時間枠）の間、アクティブ動作モードにとどまり得る。たとえば、第２のデバイス１０６の加入者論理１３４は、ページングメッセージ１２８を受信したことと、第２のデバイス１０６が第１のデバイス１０４からデータを受信する予定であることをページングメッセージ１２８が示していると決定したこととに応答して、データ送信時間枠の間、第１の通信チャネルを監視することができる。第１の通信チャネルが高スループットチャネルに対応する例では、加入者論理１３４は、ページングメッセージ１２８（たとえば、アクティブトラフィックセッションの指示）が受信された後に存在する複数の送信時間枠の間、第１の通信チャネルを監視することができ、それは、いくつかの送信時間枠がページング時間枠を含まないことがあるからである。ある特定の態様では、第２のデバイス１０６の加入者論理１３４（または第１のデバイス１０４の提供者論理１３０）は、データ送信時間枠の間に第１の通信チャネルを監視するために、第２のデバイス１０６（または第１のデバイス１０４）の送受信機１３６のチャネルを第１の通信チャネルに変更することができる。ある特定の態様では、第２のデバイス１０６の加入者論理１３４（または第１のデバイス１０４の提供者論理１３０）は、ＮＡＮ発見時間枠の終了後にＮＡＮ通信チャネルを監視し続けることによって、基本チャネルのページング時間枠の間、ＮＡＮ通信チャネルを監視することができる。したがって、第２のデバイス１０６の加入者論理１３４（または第１のデバイス１０４の提供者論理１３０）は、ＮＡＮ発見時間枠の後に通信チャネルを監視することを控えることからページング時間枠の間に通信チャネルを監視することへと切り替えることによって引き起こされ得る、ウェイクアップペナルティを避けることができる。
【００７０】
[0088]第１のデバイス１０４の提供者論理１３０は、ページングメッセージ１２８が第１のページング時間枠の間に送信されていると決定したことに応答して、データ送信時間枠の間、アクティブ動作モードにとどまることができる。たとえば、第１のデバイス１０４の提供者論理１３０は、ページングメッセージ１２８が第１のページング時間枠の間に送信されていると決定したことに応答して、データ送信時間枠の間、第１の通信チャネルを監視することができる。第１のデバイス１０４の提供者論理１３０は、データ送信時間枠の間、第１の通信チャネルを介してデータ１２２を送信することができる。たとえば、第１のデバイス１０４の提供者論理１３０は、第１のデバイス１０４の送受信機１３６を介して、データ１２２を送信することができる。
【００７１】
[0089]ある特定の態様では、第１のデバイス１０４の提供者論理１３０は、送信時間枠の最初に（すなわち、ページング時間枠を伴わずに）第１の通信チャネルを介してデータ１２２の送信を開始することができる。たとえば、第１のデバイス１０４の提供者論理１３０は、第１のデバイス１０４の送受信機１３６を介して、データ１２２を送信することができる。第１のデバイス１０４の提供者論理１３０は、第２のデバイス１０６から加入メッセージ１２４を受信したことに応答して、第１の通信チャネルを介してデータ１２２を送信することができる。この態様では、第１のデバイス１０４は、ページングメッセージ１２８を送信することなくデータ１２２を送信することができる。他の態様では、第１のデバイス１０４は、データ１２２の送信を開始するために、ページング時間枠の後まで待機することができる。
【００７２】
[0090]ある特定の態様では、第１のデバイス１０４の提供者論理１３０、第２のデバイス１０６の加入者論理１３４、または両方が、提供者論理１３０がデータ１２２を第２のデバイス１０６に送信する前に、「能力の交換」を実行することができる。たとえば、第１のデバイス１０４の提供者論理１３０は、第１のデバイス１０４の第１の通信情報を第２のデバイス１０６に送信することができ、第２のデバイス１０６の加入者論理１３４は、第２のデバイス１０６の第２の通信情報を第１のデバイス１０４に送信することができ、またはこれらの両方であり得る。第１の通信情報、第２の通信情報、またはこれらの両方が、グループ鍵または共通ネットワーク鍵などのセキュリティ情報を含み得る。たとえば、第１の通信情報は、データリンクグループまたはＮＡＮに対応するグループ鍵または共通ネットワーク鍵を含み得る。
【００７３】
[0091]ある特定の態様では、第２のデバイス１０６の加入者論理１３４は、第１のページング時間枠の間に第１の通信チャネルを介して能力メッセージ１４６を第１のデバイス１０４に送信することができる。加えて、第１のデバイス１０４の提供者論理１３０は、第１のページング時間枠の間に第１の通信チャネルを介して能力メッセージ１４４を第２のデバイス１０６に送信することができる。能力メッセージ１４６（または能力メッセージ１４４）は、第２のデバイス１０６（または第１のデバイス１０４）の通信情報を示し得る。たとえば、能力メッセージ１４４（第１の能力メッセージ）は、第１のデバイス１０４の第１の通信情報を示し得る。能力メッセージ１４６（第２の能力メッセージ）は、第２のデバイス１０６の第２の通信情報を示し得る。別の特定の態様では、能力メッセージ１４４、能力メッセージ１４６、またはこれらの両方が、発見時間枠の後でＮＡＮ通信チャネルを介して送信され得る。
【００７４】
[0092]別の特定の態様では、第１のデバイス１０４の提供者論理１３０、第２のデバイス１０６の加入者論理１３４、または両方が、プローブ要求とプローブ応答のうちの少なくとも１つを交換することによって、能力の交換を実行することができる。たとえば、能力の交換の実行は、第１のデバイス１０４がプローブ要求を第２のデバイス１０６に送信して、第２のデバイス１０６からプローブ応答を受信することを含み得る。プローブ要求およびプローブ要求のうちの少なくとも１つが、第１の通信情報、第２の通信情報、または両方を示し得る。代替的な態様では、第１のデバイス１０４の提供者論理１３０、第２のデバイス１０６の加入者論理１３４、または両方が、接続要求と接続応答のうちの少なくとも１つを交換することによって、能力の交換を実行することができる。たとえば、能力の交換の実行は、第１のデバイス１０４が接続要求を第２のデバイス１０６に送信して、第２のデバイス１０６から接続応答を受信することを含み得る。接続要求および接続要求のうちの少なくとも１つが、第１の通信情報、第２の通信情報、または両方を示し得る。
【００７５】
[0093]ある特定の態様では、能力の交換が第１のページング時間枠の間に実行され得る。たとえば、第１のデバイス１０４の提供者論理１３０（または第２のデバイス１０６の加入者論理１３４）は、第１のページング時間枠の間に第１の通信チャネルを介して能力メッセージ１４６（または能力メッセージ１４４）を受信することができる。第１のデバイス１０４の提供者論理１３０は、第１のデバイス１０４の第１の通信情報、第２のデバイス１０６の第２の通信情報、または両方を、第１のデバイス１０４のメモリに記憶することができ、第２のデバイス１０６の加入者論理１３４は、第１のデバイス１０４の第１の通信情報、第２のデバイス１０６の第２の通信情報、または両方を、第２のデバイス１０６のメモリに記憶することができる。
【００７６】
[0094]第１のデバイス１０４の提供者論理１３０は、第１の通信情報、第２の通信情報、または両方に基づいて、データ１２２を送信することができる。たとえば、第１のデバイス１０４の提供者論理１３０は、データ１２２を送信する前に、第１のデバイス１０４のセキュリティ情報、第２のデバイス１０６のセキュリティ情報、または両方に基づいて、データ１２２を暗号化することができる。
【００７７】
[0095]ある特定の態様では、サービス告知１２０は、第１のデバイス１０４の媒体アクセス制御（ＭＡＣ）アドレス１５４を示し得る。第２のデバイス１０６の加入者論理１３４は、能力メッセージ１４６、加入メッセージ１２４、または両方を、ＭＡＣアドレス１５４に基づいて送信することができる。たとえば、第２のデバイス１０６の加入者論理１３４は、ＭＡＣアドレス１５４に基づいて、インターネットプロトコル（ＩＰ）バージョン６アドレスなどのＩＰアドレスを生成することができ、ＩＰアドレスに基づいて、能力メッセージ１４６、加入メッセージ１２４、または両方を送信することができる。ある特定の態様では、Ｈｉｎｄｅｎ，Ｒ．およびＳ．Ｄｅｅｒｉｎｇ、「ＩＰ  Ｖｅｒｓｉｏｎ  ６  Ａｄｄｒｅｓｓｉｎｇ  Ａｒｃｈｉｔｅｃｔｕｒｅ」、Ｒｅｑｕｅｓｔ  ｆｏｒ  Ｃｏｍｍｅｎｔｓ  （ＲＦＣ）  ４２９１、２００６年２月に関して記述されているように、第２のデバイス１０６の加入者論理１３４は、「１１１１１１１０１０」および５４個の「０」などの二進数の第１のセットをＭＡＣアドレス１５４と連結することによって、ＭＡＣアドレス１５４に基づいてＩＰアドレスを生成することができる。
【００７８】
[0096]ある特定の態様では、第１のデバイス１０４の提供者論理１３０は、ＩＰアドレスを決定することができ、ＩＰアドレスに基づいて、ＡＣＫ１２６、ページングメッセージ１２８、能力メッセージ１４４、データ１２２、またはこれらの組合せを送信することができる。ある特定の態様では、加入メッセージ１２４は、第２のデバイス１０６のＭＡＣアドレス１５６を示し得る。第１のデバイス１０４の提供者論理１３０は、ＭＡＣアドレス１５６に基づいて、ＡＣＫ１２６、ページングメッセージ１２８、能力メッセージ１４４、データ１２２、またはこれらの組合せを送信することができる。たとえば、第１のデバイス１０４の提供者論理１３０は、ＭＡＣアドレス１５６に基づいてＩＰアドレスを生成することができ、ＩＰアドレスに基づいて、ＡＣＫ１２６、ページングメッセージ１２８、能力メッセージ１４４、データ１２２、またはこれらの組合せを送信することができる。他の態様では、第１のデバイス１０４の提供者論理１３０は、他のＩＰアドレス生成方法を使用してＩＰアドレスを生成することができる。たとえば、第１のデバイス１０４の提供者論理１３０は、ＩＰアドレスを生成するために、乱数生成器（または疑似乱数生成器）を使用することができる。
【００７９】
[0097]第２のデバイス１０６の加入者論理１３４は、データ送信時間枠の間、第１の通信チャネルを介してデータ１２２を受信することができる。たとえば、第２のデバイス１０６の加入者論理１３４は、第２のデバイス１０６の送受信機１３６を介して、データ１２２を受信することができる。ある特定の態様では、第２のデバイス１０６の送受信機１３６は、データ１２２を受信することができ、第２のデバイス１０６の加入者論理１３４がデータ送信時間枠の間に第１の通信チャネルを監視していると決定したことに応答して、第２のデバイス１０６の加入者論理１３４にデータ１２２を提供することができる。
【００８０】
[0098]ある特定の態様では、第１のデバイス１０４の提供者論理１３０は、第１のページング時間枠の間、ページングメッセージを送信しないことがある。第１のデバイス１０４は、第１のページング時間枠の間に第１のデバイス１０４の提供者論理１３０によってページングメッセージが送信されていないと決定したことに応答して、データ送信時間枠の間、スリープモードなどの低電力動作モードに遷移することができる。たとえば、第１のデバイス１０４の提供者論理１３０は、ページングメッセージが第１のページング時間枠の間に送信されていないと決定したことに応答して、データ送信時間枠の間、第１の通信チャネルを監視するのを控えることができる。第１の通信チャネルが高スループットチャネルである例では、第１のデバイス１０４の提供者論理１３０は、ページングメッセージが第１のページング時間枠の間に送信されていないと決定したことに応答して、ページング時間枠を含む送信時間枠が発生するまで、第１の通信チャネルを監視するのを控えることができる。
【００８１】
[0099]第２のデバイス１０６は、第２のデバイス１０６がデータを受信する予定であることを示すページングメッセージが第１のページング時間枠の間に受信されていないと決定したことに応答して、データ送信時間枠の間、スリープモードなどの低電力動作モードに遷移することができる。たとえば、第２のデバイス１０６の加入者論理１３４は、第２のデバイス１０６がデータを受信する予定であることを示すページングメッセージが第１のページング時間枠の間に受信されていないと決定したことに応答して、データ送信時間枠の間、第１の通信チャネルを監視するのを控えることができる。第１の通信チャネルが高スループットチャネルに対応する例では、デバイスは、デバイスがデータを受信する予定であることを示すページングメッセージが受信されなかったページング時間枠の後に存在する送信時間枠の間、通信チャネルを監視するのを控えることができる。たとえば、加入者論理１３４は、第１の通信チャネルのどの送信時間枠がページング時間枠を含むかを決定することができる。ページングメッセージが第１のページング時間枠の間に受信されなかったこと、または、第２のデバイス１０６がデータを受信する予定であることを受信されたページングメッセージが示さなかったことを決定したことに応答して、加入者論理１３４は、第１のページング時間枠の後の送信時間枠の間、第１の通信チャネルを監視するのを控えることができる。加入者論理１３４は続いて、第２のページング時間枠を含む送信時間枠の間、第１の通信チャネルを監視することができる。
【００８２】
[0100]ある特定の態様では、第２のデバイス１０６（または第１のデバイス１０４）の送受信機１３６は、データ送信時間枠の間に第１の通信チャネルを介してデータ１２２などのデータパケットを受信することができ、第２のデバイス１０６の加入者論理１３４（または第１のデバイス１０４の提供者論理１３０）がデータ送信時間枠の間に第１の通信チャネルを監視するのを控えていると決定したことに応答して、第２のデバイス１０６の加入者論理１３４に（または第１のデバイス１０４の提供者論理１３０に）データパケットを提供するのを控えることができる。
【００８３】
[0101]ある特定の態様では、送受信機１３６は、データパケットをワイヤレスインターフェースに提供することができ、ワイヤレスインターフェースは、第２のデバイス１０６の加入者論理１３４（または第１のデバイス１０４の提供者論理１３０）がデータ送信時間枠の間に第１の通信チャネルを監視するのを控えていると決定したことに応答して、第２のデバイス１０６の加入者論理１３４に（または第１のデバイス１０４の提供者論理１３０に）データパケットを提供するのを控えることができる。
【００８４】
[0102]ある特定の態様では、ワイヤレスインターフェースまたは送受信機１３６は、第２のデバイス１０６の加入者論理１３４（または第１のデバイス１０４の提供者論理１３０）がデータ送信時間枠の間に第１の通信チャネルを監視するのを控えていると決定したことに応答して、データパケットを廃棄することができる。ある特定の態様では、ワイヤレスインターフェースは、第２のデバイス１０６の加入者論理１３４（または第１のデバイス１０４の提供者論理１３０）がデータ送信時間枠の間に第１の通信チャネルを監視していると決定したことに応答して、第２のデバイス１０６の加入者論理１３４（または第１のデバイス１０４の提供者論理１３０）にデータパケットを提供することができる。
【００８５】
[0103]ある特定の態様では、第１のデバイス１０４の提供者論理１３０および加入者論理１３４は、論理チャネル１５０の複数の論理チャネルを介してデータを交換することができる。たとえば、各論理チャネルは、別個のデータセッションに対応し得る。ある特定の態様では、論理チャネル１５０の第１の論理チャネルの第１の送信時間枠は、第２の論理チャネルの第２の送信時間枠と少なくとも部分的に重複する。この態様では、第１のデバイス１０４の送受信機１３６および第２のデバイス１０６の送受信機１３６は、第１の論理チャネルに対応する第１の通信チャネルおよび第２の論理チャネルに対応する第２の通信チャネルなどの、複数の通信チャネルを介して通信していることがある。
【００８６】
[0104]ある特定の態様では、ページングメッセージ１２８は、第１のデバイス１０４からデータを受信することが予定されている電子デバイスを示すアドレスリストを含み得る。これらの電子デバイスは、受信者、ターゲット、または意図される受信者と呼ばれ得る。アドレスリストは、トラフィック指示マップ（ＴＩＭ）によって、ブルームフィルタによって、ＭＡＣアドレスリストによって、または何らかの他の方式で表され得る。ある特定の態様では、ページングメッセージ１２８の特定のフィールドの値は、アドレスリストがＴＩＭによって表されるか、ブルームフィルタによって表されるか、またはＭＡＣアドレスリストによって表されるかを示し得る。第２のデバイスの加入者論理１３４は、特定のフィールドの値（たとえば、０または１）に基づいて、アドレスリストがＴＩＭによって表されるか、ブルームフィルタによって表されるか、またはＭＡＣアドレスリストによって表されるかを決定することができる。
【００８７】
[0105]ＴＩＭは、特定の電子デバイスが、データ１２２などの送信されるべきデータを受信する予定であるかどうかを示すビットマップであり得る。ＴＩＭの各ビットは、データリンクグループの異なる電子デバイスに対応してよく、各ビットの値は、対応する電子デバイスがデータ１２２を受信する予定であるか否かを示してよい。ＴＩＭのビットと各電子デバイスとの間の対応は、接続識別子（ＡＩＤ：association identifier）に基づき得る。たとえば、第２のデバイス１０６が第１のデバイス１０４と接続することがあり、電子デバイス１０４、１０６がＡＩＤを生成して交換することがある。例示すると、第２のデバイス１０６は、第１のデバイス１０４と接続することがあり、第１のデバイス１０４から第１のＡＩＤ（たとえば、２）を受信することがある。電子デバイス１０８および１１０は、第１の電子デバイス１０４との接続の間に、別個のＡＩＤ（たとえば、それぞれ３および４）を受信することがある。ＡＩＤは、第１のデバイス１０４から受信されたＴＩＭ中の対応するビットを特定するために、電子デバイス１０６、１０８、１１０によって使用され得る。たとえば、ＴＩＭの第２のビットは、２というＡＩＤが原因で第２のデバイス１０６に対応し得る。この例では、ＴＩＭの第３のビットおよび第４のビットはそれぞれ、電子デバイス１０８および１１０に対応し得る（ＴＩＭの第１のビットは予備であり得る）。
【００８８】
[0106]電子デバイス１０６、１０８、および１１０の各々は、それがデータ１２２を受信する予定であるかどうかを、第１のデバイス１０４から受信されたＴＩＭ中の対応するビットに基づいて決定することができる。たとえば、第２のデバイス１０６がデータ１２２を受信する予定であるという決定は、ＴＩＭの第２のビットが１という論理値を有することに基づいてよく、電子デバイス１０８および１１０がデータ１２２を受信する予定ではないという決定は、第３のビットおよび第４のビットが論理値０を有することに基づいてよい。
【００８９】
[0107]ある特定の態様では、ページングメッセージ１２８は、アドレスリストを表すブルームフィルタを含み得る。ブルームフィルタは、データ１２２を受信することが予定されているデバイスのセットなどのあるセットのメンバーであることを、そのセットのメンバーを明示的に特定することなく示す、ビットの列などのデータ構造である。ブルームフィルタはＴＩＭより小さく、より少ない記憶空間を使用することがあるので、ネットワークにおけるオーバーヘッドを減らすことができ、ＴＩＭを送信することと比較して、ブルームフィルタを送信することにより引き起こされる電力消費を減らすことができる。電子デバイスは、ブルームフィルタに対応するハッシュ関数のセットを使用して、ブルームフィルタにおいてデータ１２２を受信する予定であるものとして示され得る。たとえば、ブルームフィルタは、論理値０に初期化されるｍビットのビットアレイであってよく、ブルームフィルタは、ｋ個のハッシュ関数のセットに対応することがある。ある特定の電子デバイスがデータ１２２を受信する予定であることを示すために、その特定の電子デバイスに対応するビットの列が、ビット位置のセットを生成するためにｋ個のハッシュ関数に渡されてよく、ビット位置のそのセットに対応するブルームフィルタ中の各ビットは、論理値１に設定される。ある特定の態様では、ビットの列は、特定の電子デバイスの媒体アクセス制御（ＭＡＣ）アドレスである。他の電子デバイスは、ＭＡＣアドレスなどのビットの対応する列に基づいてビット位置の対応するセットを決定することによって、および、ビット位置のセットに対応するブルームフィルタ中の各ビットを論理値１に設定することによって、データ１２２を受信する予定であるものとして示され得る。
【００９０】
[0108]ある特定の態様では、長さがＭのブルームフィルタのための、ＭＡＣアドレスなどのビット列Ｘのｊ番目のインデックスハッシュを表すハッシュ関数Ｈ（ｊ，Ｘ，Ｍ）は、３つのステップで計算される。第１の中間の結果Ａ（ｊ，Ｘ）は、式１に基づいて決定され得る。
【００９１】
【数１】
0006266841.tif 000002
【００９２】
[0109]式１において、｜｜は連結演算を表し、ｊは１つのバイトで表される。したがって、Ａ（ｊ，Ｘ）は、ＭＡＣアドレス（ビット列Ｘ）との１バイトのインデックス（ｊ番目のインデックス）の連結を表し得る。第２の中間の結果Ｂ（ｊ，Ｘ）は、式２に基づいて決定され得る。
【００９３】
【数２】
0006266841.tif 000003
【００９４】
[0110]式２において、ＣＲＣ３２（）は、ＮＡＮ規格において定義される３２ビットの巡回冗長検査の演算である。したがって、Ｂ（ｊ，Ｘ）は、第１の中間の結果Ａ（ｊ，Ｘ）に対して実行される３２ビットのＣＲＣ演算の結果の最後の２バイトを表し得る。ハッシュ関数Ｈ（ｊ，Ｘ，Ｍ）は、式３に基づいて決定され得る。
【００９５】
【数３】
0006266841.tif 000004
【００９６】
[0111]式３において、ｍｏｄは剰余演算またはモジュラス演算を表す。このようにして、複数のハッシュ関数が、式１〜３を使用して複数の異なるｊ個のインデックスに対して決定され得る。他の態様では、異なるハッシュ関数が使用され、データリンクグループの電子デバイスに通信され得る。
【００９７】
[0112]ある特定の態様では、４つのハッシュ関数のセットがブルームフィルタに対応する。ブルームフィルタインデックスが、ブルームフィルタに対応する４つのハッシュ関数のセットを特定するために（または示すために）、ページングメッセージ１２８に含まれ得る。ある特定の態様では、ブルームフィルタインデックスは、式１〜３を使用して異なるインデックス値に基づいて決定される４つのハッシュ関数の４つのセットのうちの１つを示す、２ビットの数である。この態様では、ブルームフィルタインデックスによって特定される（または示される）ハッシュ関数のセットが、表１に示されている。
【００９８】
【表１】
0006266841.tif 000005
【００９９】
[0113]ページングメッセージ１２８がブルームフィルタを含む態様では、第１のデバイス１０４の提供者論理１３０は、ブルームフィルタに対応するようにハッシュ関数の特定のセットを選択することができ、ハッシュ関数の特定のセットに基づいて、および、データ１２２を受信することになる電子デバイスのＭＡＣアドレスに基づいて、ブルームフィルタを生成することができる。たとえば、第１のデバイス１０４の提供者論理１３０は、第２のデバイス１０６がデータ１２２を受信する予定であると決定することができ、第１のデバイス１０４の提供者論理１３０は、ハッシュ関数の特定のセットに基づいて、および、第２のデバイス１０６のＭＡＣアドレス１５６に基づいて、ブルームフィルタを生成することができる。第１のデバイス１０４の提供者論理１３０は、他の電子デバイスのＭＡＣアドレスをメモリに事前に記憶していることがある。たとえば、第１のデバイス１０４の提供者論理１３０は、加入メッセージ１２４を受信したことに応答して、ＭＡＣアドレス１５６を記憶することができる。
【０１００】
[0114]ブルームフィルタ、ブルームフィルタインデックス、およびブルームフィルタのサイズは、第１の電子デバイス１０４の提供者論理１３０によって生成されるページングメッセージ１２８に含まれ得る。ブルームフィルタインデックスは、（表１に示されるような）ブルームフィルタに対応するハッシュ関数の特定のセットを示し得る。ブルームフィルタのサイズは、データ構造中のビットの数を示し得る。サイズは、ブルームフィルタに対応する目標の誤検出の百分率に基づいて決定され得る。たとえば、ブルームフィルタは誤検出マッチを生成することがあり（たとえば、特定のデバイスがデータ１２２を受信する予定であることを誤って示すことがあり）、ブルームフィルタにより生成される誤検出マッチの百分率はブルームフィルタのサイズに関連することがある。第１の電子デバイス１０４の提供者論理１３０は、誤検出の百分率が目標の誤検出の百分率に近づくように、サイズを決定することができる。例示すると、ブルームフィルタのサイズを大きくすると、誤検出の百分率が下がり得るが、ブルームフィルタのサイズを小さくすると、誤検出の百分率が上がることと引き換えに、ネットワークにおけるオーバーヘッドが減り、ブルームフィルタを送信することによって引き起こされる電力消費が減り得る。
【０１０１】
[0115]ページングメッセージ１２８を受信する、電子デバイス１０６、１０８、および１１０などの各電子デバイスは、ページングメッセージ１２８に含まれるブルームフィルタ、ページングメッセージ１２８に含まれるブルームフィルタインデックスによって示されるハッシュ関数のセット、および対応するＭＡＣアドレスに基づいて、電子デバイスがデータ１２２を受信する予定であるかどうかを決定することができる。たとえば、第２のデバイス１０６の加入者論理１３４は、ハッシュ関数のセットを通じてＭＡＣアドレス１５６を渡すことによって、ビット位置のセットを決定することができる。第２のデバイス１０６の加入者論理１３４は、ビット位置のセットの各々に対応するブルームフィルタ中のビットを、論理値１などの特定の値と比較することができる。ビット位置のセットに対応するビットが各々、特定の値（論理値１）を有する場合、第２のデバイス１０６の加入者論理１３４は、データ１２２を受信することが予定されているものとして第２のデバイス１０６が特定される（または示される）と決定することができる。ビット位置のセットに対応するビットの１つまたは複数が特定の値を有しない（たとえば、ビットの１つまたは複数が論理値０を有する）場合、第２のデバイス１０６の加入者論理１３４は、データ１２２を受信することが予定されているものとして第２のデバイス１０６が特定されない（または示されない）と決定することができる。
【０１０２】
[0116]ある特定の態様では、ページングメッセージ１２８は、アドレスリストを表す複数のＭＡＣアドレスを含むＭＡＣアドレスリストを含み得る。複数のＭＡＣアドレスの各ＭＡＣアドレスは、データリンクグループの異なる電子デバイスに対応し得る。各ＭＡＣアドレスまたは各ＭＡＣアドレスと関連付けられる値は、対応するデバイスがデータ１２２を受信する予定であるか否かを示し得る。電子デバイス１０６、１０８、および１１０の各々は、それがデータ１２２を受信する予定であるかどうかを、第１のデバイス１０４から受信されたＭＡＣアドレスリスト中のＭＡＣアドレスに基づいて決定することができる。たとえば、第２のデバイス１０６がデータ１２２を受信する予定であるという決定は、ＭＡＣアドレスリストの第１のＭＡＣアドレスが第２のデバイス１０６のＭＡＣアドレスと一致することに基づき得る。加えて、または代替的に、第２のデバイス１０６がデータ１２２を受信する予定であるという決定は、第１のＭＡＣアドレスに対応する値に基づき得る。一実装形態では、論理値０は、デバイスがデータ１２２を受信する予定ではないことを示すことがあり、論理値１は、デバイスがデータ１２２を受信する予定であることを示すことがある。
【０１０３】
[0117]いくつかの態様では、ページングメッセージ１２８はサービス品質（ＱｏＳ）インジケータを含み得る。ＱｏＳインジケータは、データ１２２のタイプ、優先度、または両方を示し得る。たとえば、ＱｏＳインジケータは、データ１２２のタイプがビデオデータであること、音声データであること、オーディオデータであること、バックグラウンドデータであること、またはこれらの組合せであることを示し得る。別の例として、ＱｏＳインジケータは、データ１２２の優先度が高いこと、中程度であること、または低いことを示し得る。例示すると、第１のデバイス１０４は、データタイプがビデオデータであること、データの優先度が高いこと、またはこれらの両方を示す、ＱｏＳインジケータとともにページングメッセージ１２８を送信することができる。
【０１０４】
[0118]ある特定の態様では、第２のデバイス１０６の加入者論理１３４は、第１のページング時間枠の間にページングメッセージ１２８を受信したことに基づいて、データ送信時間枠の間にトリガフレームを送信することができる。トリガフレームは、第２のデバイス１０６の加入者論理１３４がデータ１２２を受信する準備ができていることを示し得る。ある特定の態様では、能力メッセージ１４６がトリガフレームとして動作し得る。たとえば、第１のデバイス１０４の提供者論理１３０は、能力メッセージ１４６を受信したことに応答して、データ１２２を送信することができる。
【０１０５】
[0119]ある特定の態様では、節電ポール（ＰＳ−ＰＯＬＬ）メッセージがトリガフレームとして動作し得る。たとえば、第２のデバイス１０６の加入者論理１３４は、第１のページング時間枠の間にページングメッセージ１２８を受信したことに応答して、ワイヤレスネットワークに基づく従来のアクセスポイント（ＡＰ）におけるＰＳ−ＰＯＬＬメッセージの生成と同様の方式で、ＰＳ−ＰＯＬＬメッセージを生成することができる。しかしながら、第２のデバイス１０６の加入者論理１３４は、従来のＡＰに基づくワイヤレスネットワークにおけるユニキャストＰＳ−ＰＯＬＬメッセージとは対照的に、ブロードキャストメッセージとしてＰＳ−ＰＯＬＬメッセージを生成することができる。ある特定の態様では、ＰＳ−ＰＯＬＬメッセージは、複数の電子デバイスのためのトリガフレームとして動作し得る。たとえば、複数の電子デバイスが、ＰＳ−ＰＯＬＬメッセージを受信することができ、ＰＳ−ＰＯＬＬメッセージを受信したことに応答して、データを第２のデバイス１０６に送信することができる。ある特定の態様では、第２のデバイス１０６の加入者論理１３４は、ＰＳ−ＰＯＬＬメッセージの第３のオクテットまたは第４のオクテットなどのある部分を、「０」などの特定の値に設定することができる。第２のデバイス１０６の加入者論理１３４は、データ送信時間枠の間、第１の通信チャネルを介してＰＳ−ＰＯＬＬメッセージを送信することができる。ある特定の態様では、第２のデバイス１０６の加入者論理１３４は、データ送信時間枠の肯定応答時間枠などの最初の部分の間、第１の通信チャネルを介してＰＳ−ＰＯＬＬメッセージを送信することができる。
【０１０６】
[0120]第１のデバイス１０４の提供者論理１３０は、データ送信時間枠の間、ＰＳ−ＰＯＬＬメッセージを受信することができる。ＰＳ−ＰＯＬＬメッセージを受信したことに応答して、第１のデバイス１０４の提供者論理１３０は、データ送信時間枠の間に第１の通信チャネルを介してデータ１２２を第２のデバイス１０６に送信することができる。
【０１０７】
[0121]いくつかの態様では、サービス品質ヌル（ＱｏＳ＿ＮＵＬＬ）フレームが、トリガフレームとして動作し得る。たとえば、第２のデバイス１０６の加入者論理１３４は、第１のページング時間枠の間にページングメッセージ１２８を受信したことに応答して、ＱｏＳ＿ＮＵＬＬフレームを生成することができる。ある特定の態様では、ＱｏＳ＿ＮＵＬＬフレームは、第１のデバイス１０４からの逆方向グラント（ＲＤＧ）を示し得る。たとえば、ＱｏＳ＿ＮＵＬＬフレーム中の１つまたは複数のビットの値がＲＤＧを示し得る。ＲＤＧは、１つまたは複数のワイヤレス規格またはプロトコルによれば、物理プロトコルデータユニット（ＰＰＤＵ）中のＲＤＧと同様であり得るが、ＰＰＤＵの代わりにＱｏＳ＿ＮＵＬＬフレームに含まれ得る。ＲＤＧは、送信者の送信機会（ｔｘ＿ｏｐ）の間にデータを送信するためにＱｏＳ＿ＮＵＬＬフレームの送信者のｔｘ＿ｏｐを使用することを、ＱｏＳ＿ＮＵＬＬフレームの受信者に対して承認することができる。たとえば、第２のデバイス１０６の加入者論理１３４は、ＲＤＧを示すＱｏＳ＿ＮＵＬＬフレームを生成することができ、データ送信時間枠の間に第１の通信チャネルを介してＱｏＳ＿ＮＵＬＬフレームを第１のデバイス１０４に送信することができる。ＲＤＧを伴うＱｏＳ＿ＮＵＬＬフレームは、第２のデバイス１０６のｔｘ＿ｏｐの間にデータ１２２のフレームを第２のデバイス１０６に送信することを、第１のデバイス１０４に対して承認することができる。
【０１０８】
[0122]第１のデバイス１０４の提供者論理１３０は、ＱｏＳ＿ＮＵＬＬフレームを受信したことに応答して、第２のデバイス１０６のｔｘ＿ｏｐの間に、第１の通信チャネルを介してデータ１２２のフレームを第２のデバイス１０６に送信することができる。この方式では、第１のデバイス１０４は、データ１２２のフレームを送信するために第１の通信チャネルを求めて争う必要がない可能性がある。データ１２２が単一のフレームである場合、データ１２２の全体が、ＱｏＳ＿ＮＵＬＬフレームに応答して、第１のデバイス１０４から第２のデバイス１０６に送信され得る。データ１２２が２つ以上のフレームを含む場合、第１のデバイス１０４の提供者論理１３０は、データ１２２のフレーム中の１つまたは複数のビットを介して、データ１２２）の追加のフレームが送信されるべきであることを示し得る。たとえば、第１のデバイス１０４の提供者論理１３０は、データ１２２の追加のフレームがモアビットまたはサービス終了期間（ＥＯＳＰ：end-of-service-period）ビットを介して送信されるべきであることを示し得る。
【０１０９】
[0123]データ１２２の追加のフレームが送信されるべきであることの指示を伴うデータ１２２のフレームを受信したことに応答して、第２のデバイス１０６の加入者論理１３４は第１の通信チャネルを求めて争うことができ、コンテンションが成功すると、第２のデバイス１０６の加入者論理１３４は、第１のデバイス１０４にデータ１２２の別のフレームを送信させるために、別のＱｏＳ＿ＮＵＬＬフレームをＲＤＧとともに第１のデバイス１０４に送信することができる。このプロセスは、第１のデバイス１０４の提供者論理１３０がデータ１２２の全体を送信するまで、またはデータ送信時間枠の終了まで繰り返され得る。いくつかの態様では、第２のデバイス１０６は、複数の他の電子デバイスからデータを受信することが予定されているものとして示され得る。これらの態様では、第２のデバイス１０６の加入者論理１３４は、ＱｏＳ＿ＮＵＬＬフレームをＲＤＧとともに複数の電子デバイスに送信することができ、複数の電子デバイスの各々からＱｏＳ＿ＮＵＬＬフレームに応答してデータを受信することができる。第２のデバイス１０６の加入者論理１３４が各ＱｏＳ＿ＮＵＬＬフレームに応答してデータフレームを受信している場合、および、さらなるデータが送信されるべきであることをデータフレームが示さない場合、第２のデバイス１０６は、データ送信時間枠の残りの間、低電力動作モードに遷移することができる。さらなるデータが第２のデバイス１０６に送信されるべきであることを少なくとも１つのデータフレームが示す場合、第２のデバイス１０６は、アクティブ動作モードにとどまることができ、ＱｏＳ＿ＮＵＬＬフレームをＲＤＧとともに送信し続けることができる。
【０１１０】
[0124]いくつかの態様では、デバイスは、ＱｏＳインジケータに基づいて、ページングメッセージを優先する（たとえば、あるページングメッセージを別のページングメッセージよりも優先する）ことができる。たとえば、複数のページングメッセージを受信したことに応答して、第２のデバイス１０６の加入者論理１３４は、ページングメッセージの各々のＱｏＳインジケータに基づいて、第１のページングメッセージを第２のページングメッセージよりも優先することができる。例示すると、第２のデバイス１０６は、第１のデバイス１０４からページングメッセージ１２８を受信することができ、第３のデバイス１０８から第２のページングメッセージを受信することができる。ページングメッセージ１２８は、第１のデバイス１０４が第２のデバイスに対して中程度の優先度のデータを有することを示す、第１のＱｏＳインジケータを含み得る。第２のページングメッセージは、第３のデバイス１０８が第２のデバイス１０６に対して低優先度のデータを有することを示す、第２のＱｏＳインジケータを含み得る。第２のデバイス１０６は、第２のＱｏＳインジケータよりも高い優先度のデータを示す第１のＱｏＳインジケータに基づいて、ページングメッセージ１２８を第２のページングメッセージよりも優先することができる。たとえば、第２のデバイス１０６の加入者論理１３４は、第１のＱｏＳインジケータを第２のＱｏＳインジケータと比較して、第１のＱｏＳインジケータが第２のＱｏＳインジケータよりも高い優先度のデータを示すと決定することができる。ある特定の態様では、第２のデバイスは、ＱｏＳインジケータに基づいて、データの優先度を決定することができる。たとえば、第２のデバイス１０６は、データのタイプがビデオデータであることを示すＱｏＳインジケータに基づいて、データの優先度が高いと決定することができる。
【０１１１】
[0125]第２のデバイス１０６は、複数のページングメッセージを優先順位付けることに応答して、トリガフレームを送信することができる。たとえば、第２のデバイス１０６は、ページングメッセージ１２８を第２のページングメッセージよりも優先することに応答して、第１のトリガフレームを第１のデバイス１０４に送信することができる。第２のデバイス１０６は、第１のトリガフレームを送信した後で、または第１のデバイス１０４からデータ１２２などの第１のデータを受信した後で、第２のトリガフレームを第３のデバイス１０８に送信することができる。
【０１１２】
[0126]いくつかの態様では、第２のデバイス１０６の加入者論理１３４は、トリガフレームをマルチキャストすることができる。たとえば、第２のデバイス１０６の加入者論理１３４は、複数のページングメッセージを受信したことに応答して、特定のトリガフレームを複数のデバイスに送信することができる。特定のトリガフレームを複数の電子デバイスにマルチキャストしたことに応答して、第２のデバイス１０６は、複数の電子デバイスからデータを受信することができる。例示すると、第２のデバイス１０６は、第１のデバイス１０４からページングメッセージ１２８を受信することができ、第３のデバイス１０８から第２のページングメッセージを受信することができる。第２のデバイス１０６は、ページングメッセージ１２８と第２のページングメッセージとを受信したことに応答して、特定のトリガフレームを第１のデバイス１０４および第３のデバイス１０８に送信することができる。第２のデバイス１０６は、第１のデバイス１０４からデータ１２２を受信することができ、特定のトリガフレームを送信したことに応答して、第３のデバイス１０８から第２のデータを受信することができる。
【０１１３】
[0127]ある特定の態様では、第１のデバイス１０４の提供者論理１３０は、第１のページング時間枠の間にページングメッセージ１２８を送信した後の、データ送信時間枠の肯定応答時間枠などの最初の部分の間、トリガフレームを受信しないことがある。第１のデバイス１０４の提供者論理１３０は、トリガフレームが肯定応答時間枠の間に受信されていないと決定したことに応答して、ＮＵＬＬフレームを生成することができる。ＮＵＬＬフレームは、ペイロードまたはデータ部分を伴わない、ヘッダなどのプリアンブルを含み得る。ある特定の態様では、ＮＵＬＬフレームは、他のＮＵＬＬフレームよりも高い優先度を有し得るＱｏＳ＿ＮＵＬＬフレームであり得る。第１のデバイス１０４の提供者論理１３０は、第２のデバイス１０６にトリガフレームを送信させるために、データ送信時間枠の間、第１の通信チャネルを介してＮＵＬＬフレームを第２のデバイス１０６に送信することができる。ある特定の態様では、第１のデバイス１０４の提供者論理１３０は、トリガフレームが肯定応答時間枠の最初の部分の間に受信されていないと決定したことに応答して、肯定応答時間枠の最後の部分の間にＮＵＬＬフレームを送信することができる。
【０１１４】
[0128]第２のデバイス１０６の加入者論理１３４は、第１のデバイス１０４からＮＵＬＬフレームを受信したことに応答して、第１の通信チャネルを求めて争うことができ、コンテンションが成功すると、第１の通信チャネルを介してトリガフレームを第１のデバイス１０４に送信することができる。ある特定の態様では、アクションフレームがトリガフレームとして使用され得る。一実装形態では、アクションフレームは、公開アクションフレームであり得る。トリガフレームを受信したことに応答して、第１のデバイス１０４の提供者論理１３０は、第１の通信チャネルを求めて争うことができ、コンテンションが成功すると、データ送信時間枠の間に第１の通信チャネルを介してデータ１２２を第２のデバイス１０６に送信することができる。
【０１１５】
[0129]ある特定の態様では、第２のデバイス１０６の加入者論理１３４は、トリガフレームが送信された後の時間期間が閾値の時間期間を超えることと、その時間期間の間に第１のデバイス１０４からデータが受信されていないこととを決定したことに応答して、第２のデバイス１０６は、電力消費を減らすために、データ送信時間枠の残りの間、低電力動作モードに遷移することができる。
【０１１６】
[0130]ある特定の態様では、第２のデバイス１０６は、特定のサービスの提供者（または転送者）として動作し得る。たとえば、第２のデバイス１０６の提供者論理１３０は、第２のデバイス１０６のシングルホップカウント内にあるＮＡＮ１０２の電子デバイスにサービス告知１２０を転送することができる。例示すると、第２のデバイス１０６の提供者論理１３０は、サービス告知１２０を第４のデバイス１１０に送信することができる。第４のデバイス１１０の加入者論理１３４は、サービス告知１２０に応答して、第２のデバイス１０６に加入メッセージを送信することができる。したがって、第４のデバイス１１０は、第１のデバイス１０４が第４のデバイス１１０のシングルホップの範囲内にないとしても、第１のデバイス１０４によって提供される特定のサービスに加入することができる。
【０１１７】
[0131]システム１００の１つの利点は、データリンクグループの１つまたは複数の電子デバイスにおける電力消費の低減である。データリンクグループの電子デバイスの内部クロックは同期されるので、データリンクグループの各電子デバイスは、アクティブ動作モードに遷移するために、ページング時間枠に対応する特定の時間期間を決定することができる。データリンクグループの電子デバイスは、ＮＡＮからの同期に基づいて同期される。アクティブ動作モードにおいて、データリンクグループの電子デバイスは、ページングメッセージなどのトラフィックの指示について、特定の通信チャネルを監視することができる。特定の電子デバイスがページングメッセージを受信しない場合、または、データを受信することが予定されているものとしてページングメッセージにおいて特定されない場合、その特定の電子デバイスは、後続のデータ送信時間枠の間に低電力動作モードに遷移することによって電力消費を減らすことができ、または、データ送信時間枠の間に他のデータリンクグループもしくは他のネットワークに対応する動作を実行することができる。たとえば、第２のデバイス１０６は、第２のデバイス１０６がデータを受信する予定であることを示すページングメッセージがページング時間枠の間に受信されていないという決定に基づいて、データ送信時間枠の間、低電力動作モードに遷移することができる。したがって、第２のデバイス１０６は、アクティブ動作モードにとどまりデータ送信について通信チャネルを実質的に継続的に監視することと比べて、第２のデバイス１０６のためのデータがないデータ送信時間枠の間、電力を節約することができる。
【０１１８】
[0132]加えて、システム１００は、別個のサービスに対して、スループット、遅延、または両方の様々なレベルを、ＮＡＮ１０２の電子デバイス１０４、１０６、１０８、および１１０がサポートすることを可能にし得る。たとえば、第１のデバイス１０４は、より高い遅延感受性を有する第１のサービスに対しては、より多数の送信時間枠を有する第１の論理チャネルを使用することができ、より低い遅延感受性を有する第２のサービスに対しては、より少数の送信時間枠を有する第２の論理チャネルを使用することができる。さらに、電子デバイスは、特定のサービスに対応する複数のデータセッションを確立することができる。たとえば、特定の電子デバイスは、別個の論理チャネルに対応する複数のデータリンクグループに参加することができる。
【０１１９】
[0133]図２を参照すると、タイミング図が示されており、全般的に２００と指定されている。ある特定の態様では、タイミング図２００は図１のシステム１００の特定の態様の動作に対応し得る。図２に示されるタイミングおよび動作は、例示のためのものであり、限定するものではない。他の態様では、追加の、またはより少数の動作が実行されることがあり、タイミングが異なることがあり、たとえば、送信時間枠がページング時間枠を含まないことがある。
【０１２０】
[0134]タイミング図２００は、ＮＡＮ通信チャネル２０２に対応する全体のタイムライン２０６を含む。タイミング図２００に示されるように、第１の発見時間枠２１０および第２の発見時間枠２１２は、ＮＡＮ通信チャネル２０２に対応し得る。図１を参照して説明されるように、発見時間枠２１０、２１２は、ＮＡＮ１０２に対応する発見動作と同期動作とを実行するために、電子デバイス１０４、１０６、１０８、および１１０のために確保されている時間期間であり得る。
【０１２１】
[0135]第１の発見時間枠２１０は時間ｔ１において開始して時間ｔ２において終了することができ、第２の発見時間枠２１２は時間ｔ５において開始して時間ｔ６において終了することができる。発見時間枠２１０、２１２は、同じ発見時間枠の持続時間を有し得る（たとえば、時間ｔ１と時間ｔ２との間の時間の期間が、時間ｔ５と時間ｔ６との間の時間の期間と同じであり得る）。発見時間枠の時間長は、ＮＡＮ規格またはプロトコルに従って決定され得る。第１の発見時間枠２１０と第２の発見時間枠２１２などの、連続する発見時間枠と発見時間枠との間の時間期間は、発見期間２４８と呼ばれ得る。たとえば、発見期間２４８は、第１の発見時間枠２１０の最後と第２の発見時間枠２１２の最初の間の時間期間を含み得る。ある特定の態様では、発見期間２４８の持続時間は、ＮＡＮ規格またはプロトコルによれば、５００個の時間単位（ＴＵ）であり得る。たとえば、各ＴＵは、ＩＥＥＥ  ８０２．１１規格において記述されるように、１０２４マイクロ秒（μｓ）に対応し得る。したがって、発見期間２４８の持続時間は、約５１２ｍｓであり得る。別の特定の態様では、発見期間２４８の持続時間は、５１２個のＴＵであり得る。一実装形態では、論理チャネルは、特定の発見期間の間に繰り返し得る（たとえば、２回以上発生し得る）。たとえば、特定の論理チャネルは、特定の発見期間の間に８回発生し得る。
【０１２２】
[0136]第１の発見時間枠２１０の間、サービス告知１２０はＮＡＮ通信チャネル２０２を介して送信され得る。たとえば、第１のデバイス１０４の提供者論理１３０は、第１のデバイス１０４によって提供されている、または第１のデバイス１０４から利用可能であるサービスを告知するために、ＮＡＮ通信チャネル２０２を介してサービス告知１２０を送信することができる。サービス告知１２０は、図１を参照して説明されるように、論理チャネル１５０とＭＡＣアドレス１５４とを特定することができる。第２のデバイス１０６の加入者論理１３４は、図１を参照して説明されるように、サービス告知１２０を受信したことに応答して、ＮＡＮ通信チャネル２０２を介して加入メッセージ１２４を送信することができる。
【０１２３】
[0137]基本チャネル２６０は、ＮＡＮ通信チャネル２０２の発見時間枠２１０、２１２の終了後に開始する、ＮＡＮ通信チャネル２０２の送信時間枠に対応し得る。たとえば、基本チャネル２６０は、第１の送信時間枠２４０および第２の送信時間枠２４２に対応し得る。第１の送信時間枠２４０は、ｔ２において開始することがあり、ｔ４において終了することがある。第２の送信時間枠２４２は、ｔ６において開始することがあり、ｔ８において終了することがある。
【０１２４】
[0138]いくつかの態様では、各送信時間枠は、ページング時間枠とデータ送信時間枠とを含み得る。たとえば、第１の送信時間枠２４０は、第１のページング時間枠２２０と第１のデータ送信時間枠２２２（第１のデータ時間枠など）とを含み得る。別の例として、第２の送信時間枠２４２は、第２のページング時間枠２２４と第２のデータ送信時間枠２２６（第２のデータ時間枠など）とを含み得る。第１のページング時間枠２２０は、ｔ２において開始することがあり、ｔ３において終了することがある。第１のデータ送信時間枠２２２は、ｔ３において開始することがあり、ｔ４において終了することがある。第２のページング時間枠２２４は、ｔ６において開始することがあり、ｔ７において終了することがある。第２のデータ送信時間枠２２６は、ｔ７において開始することがあり、ｔ８において終了することがある。ページング時間枠の持続時間、データ送信時間枠の持続時間、送信時間枠の持続時間、またはこれらの組合せは、ＮＡＮ規格またはプロトコルに従って決定され得る。ある説明のための実装形態では、ページング時間枠の持続時間、データ送信時間枠の持続時間、送信時間枠の持続時間は、それぞれ、約１２８個のＴＵ、約２５６個のＴＵ、および約５１２個のＴＵであり得る。他の態様では、ページング時間枠は使用されないことがある。各送信時間枠は、データ送信時間枠を含み得る。たとえば、第１の送信時間枠２４０は第１のデータ送信時間枠２２２を含むことがあり、第１のページング時間枠２２０が存在しないとき、第１のデータ送信時間枠２２２はｔ２において開始することがあり、ｔ４において終了することがある。第２のページング時間枠２２４が存在しないとき、第２のデータ送信時間枠２２６は、ｔ６において開始することがあり、ｔ８において終了することがある。
【０１２５】
[0139]第１のページング時間枠２２０または第２のページング時間枠２２４などの基本チャネル２６０のページング時間枠の間、第１のデバイス１０４の提供者論理１３０は、図１を参照して説明されるように、ＮＡＮ通信チャネル２０２を介してページングメッセージ１２８を送信することができる。
【０１２６】
[0140]第１のデバイス１０４の提供者論理１３０は、ページングメッセージ１２８が対応するページング時間枠の間に送信されていると決定したことに応答して、データ送信時間枠の間、ＮＡＮ通信チャネル２０２を監視することができる。たとえば、第１のデバイス１０４の提供者論理１３０は、図１を参照して説明されるように、ページングメッセージ１２８が第１のページング時間枠２２０の間に送信されていると決定したことに応答して、第１のデータ送信時間枠２２２の間、ＮＡＮ通信チャネル２０２を監視することができる。
【０１２７】
[0141]第２のデバイス１０６の加入者論理１３４は、ページングメッセージ１２８が対応するページング時間枠の間に受信されていると決定したことに応答して、データ送信時間枠の間、ＮＡＮ通信チャネル２０２を監視することができる。たとえば、第２のデバイス１０６の加入者論理１３４は、図１を参照して説明されるように、ページングメッセージ１２８が第１のページング時間枠２２０の間に受信されていると決定したことに応答して、第１のデータ送信時間枠２２２の間、ＮＡＮ通信チャネル２０２を監視することができる。
【０１２８】
[0142]第１のデバイス１０４の提供者論理１３０は、図１を参照して説明されるように、第１のデータ送信時間枠２２２または第２のデータ送信時間枠２２６などのデータ送信時間枠の間、ＮＡＮ通信チャネル２０２を介してデータ１２２を送信することができる。第２のデバイス１０６の加入者論理１３４は、図１を参照して説明されるように、第１のデータ送信時間枠２２２または第２のデータ送信時間枠２２６などのデータ送信時間枠の間、ＮＡＮ通信チャネル２０２を介してデータ１２２を受信することができる。
【０１２９】
[0143]ある特定の態様では、第１のデバイス１０４の提供者論理１３０は、ページングメッセージが対応するページング時間枠の間に送信されていないと決定したことに応答して、データ送信時間枠の間、ＮＡＮ通信チャネル２０２を監視するのを控えることができる。たとえば、第１のデバイス１０４の提供者論理１３０は、図１を参照して説明されるように、ページングメッセージが第１のページング時間枠２２０の間に送信されていないと決定したことに応答して、第１のデータ送信時間枠２２２の間、ＮＡＮ通信チャネル２０２を監視するのを控えることができる。ある特定の態様では、第１のデバイス１０４は、ＮＡＮ通信チャネル２０２を監視するのを控えている間、低電力動作モードに遷移することができる。
【０１３０】
[0144]ある特定の態様では、第２のデバイス１０６の加入者論理１３４は、第２のデバイス１０６がデータを受信する予定であることを示すページングメッセージが対応するページング時間枠の間に受信されていないと決定したことに応答して、データ送信時間枠の間、ＮＡＮ通信チャネル２０２を監視するのを控えることができる。たとえば、第２のデバイス１０６の加入者論理１３４は、図１を参照して説明されるように、第２のデバイス１０６がデータを受信する予定であることを示すページングメッセージが第１のページング時間枠２２０の間に受信されていないと決定したことに応答して、第１のデータ送信時間枠２２２の間、ＮＡＮ通信チャネル２０２を監視するのを控えることができる。ある特定の態様では、第２のデバイス１０６は、ＮＡＮ通信チャネル２０２を監視するのを控えている間、低電力動作モードに遷移することができる。
【０１３１】
[0145]第１のデバイス１０４、第２のデバイス１０６、または両方のデバイスが、タイミング図２００において示されているタイミング時間枠に基づいて動作を実行することによって、電力消費を減らすことができる。たとえば、第１のデバイス１０４、第２のデバイス１０６、または両方のデバイスが、対応するページング時間枠の間に、ページングメッセージが送信されていないことまたはページングメッセージが受信されていないことを決定したことに応答して、データ送信時間枠の間、低電力動作モードに遷移することができる。
【０１３２】
[0146]図３を参照すると、タイミング図が示されており、全体的に３００と指定されている。ある特定の態様では、タイミング図３００は図１のシステム１００の特定の態様の動作に対応し得る。図３に示されるタイミングおよび動作は、例示のためのものであり、限定するものではない。他の態様では、追加の、またはより少数の動作が実行されることがあり、タイミングが異なることがある。
【０１３３】
[0147]タイミング図３００は、ＮＡＮ通信チャネル２０２および第１の通信チャネル３０２に対応する全体のタイムライン３０６を含む。第１の発見時間枠２１０の間、サービス告知１２０はＮＡＮ通信チャネル２０２を介して送信され得る。サービス告知１２０は、補助チャネル３６０を示し得る。補助チャネル３６０は、第１の通信チャネル３０２と補助チャネルオフセット３５０とを示し、含み、またはそれらに対応し得る。第１のデバイス１０４の提供者論理１３０は、第１のデバイス１０４によって提供されているサービスを告知するために、ＮＡＮ通信チャネル２０２を介してサービス告知１２０を送信することができる。サービス告知１２０は、図１を参照して説明されるように、論理チャネル１５０とＭＡＣアドレス１５４とを示すことができる。論理チャネル１５０は、補助チャネル３６０を含み得る。たとえば、サービス告知１２０は、図７を参照して説明されるように、第１の通信チャネル３０２および補助チャネルオフセット３５０に対応するＮＡＮデータリンクインデックスを示し得る。第２のデバイス１０６の加入者論理１３４は、図１を参照して説明されるように、サービス告知１２０を受信したことに応答して、ＮＡＮ通信チャネル２０２を介して加入メッセージ１２４を送信することができる。
【０１３４】
[0148]補助チャネル（ＳＣ）３６０は、第１の通信チャネル３０２の第１の送信時間枠３４０と第２の送信時間枠３４２とを示し、特定し、表し、またはそれらに対応し得る。補助チャネルオフセット３５０は、ＮＡＮ発見時間枠の開始から補助チャネルオフセット３５０に対応する時間の期間後に開始する、送信時間枠を示し得る。ある特定の態様では、補助チャネル３６０は、各発見期間の間の単一の送信時間枠を示す、補助チャネルオフセット３５０などの単一のオフセットに対応し得る。ある代替的な態様では、補助チャネル（ＳＣ）３６０は、各発見期間の間の複数の送信時間枠を示す複数のオフセットに対応し得る。
【０１３５】
[0149]第１の送信時間枠３４０は、第１の発見時間枠２１０の終了に続いて開始し得る。たとえば、第１の送信時間枠３４０は、時間ｔ９において開始することがあり、時間ｔ１１において終了することがある。時間ｔ９は、時間ｔ１からある時間の期間後にあることがあり、この時間の期間は、補助チャネルオフセット３５０に対応する。第２の送信時間枠３４２は、第２の発見時間枠２１２の終了に続いて開始し得る。たとえば、第２の送信時間枠３４２は、時間ｔ１２において開始することがあり、時間ｔ１４において終了することがある。時間ｔ１２は、時間ｔ５からある時間の期間後にあることがあり、この時間の期間は、補助チャネルオフセット３５０に対応する。
【０１３６】
[0150]いくつかの態様では、補助チャネル３６０の各送信時間枠は、ページング時間枠とデータ送信時間枠とを含み得る。たとえば、第１の送信時間枠３４０は、第１のページング時間枠３２０と第１のデータ送信時間枠３２２とを含み得る。別の例として、第２の送信時間枠３４２は、第２のページング時間枠３２４と第２のデータ送信時間枠３２６とを含み得る。第１のページング時間枠３２０は、ｔ９において開始することがあり、ｔ１０において終了することがある。第１のデータ送信時間枠３２２は、ｔ１０において開始することがあり、ｔ１１において終了することがある。第２のページング時間枠３２４は、ｔ１２において開始することがあり、ｔ１３において終了することがある。第２のデータ送信時間枠３２６は、ｔ１３において開始することがあり、ｔ１４において終了することがある。ページング時間枠の持続時間、データ送信時間枠の持続時間、または両方が、ＮＡＮ規格またはプロトコルに従って決定され得る。第１の通信チャネル３０２が高スループットチャネルである例では、第２の送信時間枠３４２は第２のページング時間枠３２４を含まないことがある。第２のページング時間枠３２４が存在しないとき、第２のデータ送信時間枠３２６は、ｔ１２において開始し、ｔ１４において終了することがある。したがって、第２のページング時間枠３２４が存在しないとき、第２のデータ送信時間枠３２６は比較的長いことがある。したがって、第２のページング時間枠３２４が存在しないとき、第１の通信チャネル３０２は比較的高いデータのスループットを有し得る。１つの特定の態様では、補助チャネル３６０の各送信時間枠はページング時間枠を含まないことがある。
【０１３７】
[0151]基本チャネル２６０のページング時間枠、補助チャネル３６０の第１のページング時間枠３２０、第２のページング時間枠３２４の間、またはこれらの組合せの間、第１のデバイス１０４の提供者論理１３０は、図１を参照して説明されるように、ＮＡＮ通信チャネル２０２、第１の通信チャネル３０２、または両方を介してページングメッセージ１２８を送信することができる。
【０１３８】
[0152]第１のデバイス１０４の提供者論理１３０（または第２のデバイス１０６の加入者論理１３４）は、ＮＡＮ通信チャネル２０２、第１の通信チャネル３０２、または両方の対応するページング時間枠の間にページングメッセージ１２８が送信（または受信）されていると決定したことに応答して、対応するデータ送信時間枠の間、ＮＡＮ通信チャネル２０２と第１の通信チャネル３０２とを監視することができる。たとえば、第１のデバイス１０４の提供者論理１３０（または第２のデバイス１０６の加入者論理１３４）は、図１を参照して説明されるように、ページングメッセージ１２８が第１のページング時間枠３２０の間に送信（または受信）されていると決定したことに応答して、第１のデータ送信時間枠３２２の間、第１の通信チャネル３０２を監視することができる。第１のデバイス１０４の提供者論理１３０（または第２のデバイス１０６の加入者論理１３４）は、図１を参照して説明されるように、第１のデータ送信時間枠３２２または第２のデータ送信時間枠３２６などの対応するデータ送信時間枠の間、ＮＡＮ通信チャネル２０２、第１の通信チャネル３０２、または両方を介してデータ１２２を送信（または受信）することができる。
【０１３９】
[0153]ある特定の態様では、第１のデバイス１０４の提供者論理１３０は、ＮＡＮ通信チャネル２０２、第１の通信チャネル３０２、または両方の対応するページング時間枠の間にページングメッセージが送信されていないと決定したことに応答して、対応するデータ送信時間枠の間、ＮＡＮ通信チャネル２０２、第１の通信チャネル３０２、または両方を監視するのを控えることができる。たとえば、第１のデバイス１０４の提供者論理１３０は、図１を参照して説明されるように、ページングメッセージが第１のページング時間枠３２０の間に送信されていないと決定したことに応答して、第１のデータ送信時間枠３２２の間、第１の通信チャネル３０２を監視するのを控えることができる。さらに、第２の送信時間枠３４２が第２のページング時間枠３２４を含まないとき、第１のデバイス１０４の提供者論理１３０は、ページングメッセージが第１のページング時間枠３２０の間に送信されていないと決定したことに応答して、第２のデータ送信時間枠３２６の間、第１の通信チャネル３０２を監視するのを控えることができる。
【０１４０】
[0154]ある特定の態様では、第２のデバイス１０６の加入者論理１３４は、第２のデバイス１０６がデータを受信する予定であることを示すページングメッセージがＮＡＮ通信チャネル２０２、第１の通信チャネル３０２、または両方の対応するページング時間枠の間に受信されていないと決定したことに応答して、対応するデータ送信時間枠の間、ＮＡＮ通信チャネル２０２、第１の通信チャネル３０２、または両方を監視するのを控えることができる。たとえば、第２のデバイス１０６の加入者論理１３４は、図１を参照して説明されるように、第２のデバイス１０６がデータを受信する予定であることを示すページングメッセージが第１のページング時間枠３２０の間に受信されていないと決定したことに応答して、第１のデータ送信時間枠３２２の間、第１の通信チャネル３０２を監視するのを控えることができる。さらに、第２のデバイス１０６の加入者論理１３４は、第２の送信時間枠３４２が第２のページング時間枠３２４を含まないことと、第２のデバイス１０６がデータを受信する予定であることを示すページングメッセージが第１のページング時間枠３２０の間に受信されていないこととを決定したことに応答して、第２のデータ送信時間枠３２６の間、第１の通信チャネル３０２を監視するのを控えることができる。ある特定の態様では、第１のデバイス１０４（または第２のデバイス１０６）は、ＮＡＮ通信チャネル２０２、第１の通信チャネル３０２、または両方を監視するのを控えている間、低電力動作モードに遷移することができる。
【０１４１】
[0155]第１のデバイス１０４、第２のデバイス１０６、または両方が、タイミング図３００において示されているタイミング時間枠に基づいて動作を実行することによって、電力消費を減らすことができる。たとえば、第１のデバイス１０４、第２のデバイス１０６、または両方が、対応するページング時間枠の間に、ページングメッセージが送信されていないことまたはページングメッセージが受信されていないことを決定したことに応答して、データ送信時間枠の間、低電力動作モードに遷移することができる。加えて、第１のデバイス１０４および第２のデバイス１０６は、基本チャネル２６０および補助チャネル３６０などの、複数の論理チャネルを介してデータを交換することができる。各論理チャネルは、別個のデータセッションに対応し得る。データを交換するために複数の論理チャネルを使用することはまた、スループットを上げ、遅延を減らし得る。
【０１４２】
[0156]図４を参照すると、タイミング図が示されており、全体的に４００と指定されている。ある特定の態様では、タイミング図４００は図１のシステム１００の特定の態様の動作に対応し得る。図４に示されるタイミングおよび動作は、例示のためのものであり、限定するものではない。他の態様では、追加の、またはより少数の動作が実行されることがあり、タイミングが異なることがある。
【０１４３】
[0157]タイミング図４００は、ＮＡＮ通信チャネル２０２、第１の通信チャネル３０２、第２の通信チャネル４０２、第３の通信チャネル４３２、および第４の通信チャネル４３４の、ページング時間枠および送信時間枠の相対的なタイミングを示す。
【０１４４】
[0158]第１のデバイス１０４の提供者論理１３０は、図１を参照して説明されるように、論理チャネル１５０を介して特定のサービスを提供するのに第１のデバイス１０４が利用可能であることを決定することができる。論理チャネル１５０は、補助チャネル３６０、補助チャネル４６０、補助チャネル４６２、補助チャネル４６４、および補助チャネル４６６の１つまたは複数を含み得る。特定の態様では、論理チャネル１５０は、５つよりも多くの補助チャネルを含み得る。
【０１４５】
[0159]補助チャネル４６０は、第２の論理チャネルに対応し得る。補助チャネル４６０は、第１の補助チャネルオフセット（たとえば、時間ｔ１から時間ｔ１５、時間ｔ５から時間ｔ１９）、第２の補助チャネルオフセット（たとえば、時間ｔ１から時間ｔ１７、時間ｔ５から時間ｔ２１）、および第２の通信チャネル４０２に対応し得る。補助チャネル４６０は、特定の発見期間の間の各補助チャネルオフセットに対応する、送信時間枠を含み、またはそれに対応し得る。たとえば、補助チャネル４６０は、ｔ２において開始する第１の発見期間の間、時間ｔ１５において開始し時間ｔ１６において終了する第１の遷移時間枠と、時間ｔ１７において開始し時間ｔ１８において終了する第２の遷移時間枠とを含み、またはそれらに対応し得る。別の例として、補助チャネル４６０は、ｔ６において開始する第２の発見期間の間、時間ｔ１９において開始し時間ｔ２０において終了する第１の遷移時間枠と、時間ｔ２１において開始し時間ｔ１２において終了する第２の遷移時間枠とを含み、またはそれらに対応し得る。
【０１４６】
[0160]補助チャネル４６２は、補助チャネルオフセット（たとえば、時間ｔ１から時間ｔ２３、時間ｔ５から時間ｔ２５）と第３の通信チャネル４３２とを含み、またはそれらに対応し得る。補助チャネル４６２は、特定の発見期間の間の各補助チャネルオフセットに対応する、送信時間枠を含み、またはそれに対応し得る。たとえば、補助チャネル４６２は、ｔ２において開始する第１の発見期間の間、時間ｔ２３において開始し時間ｔ２４において終了する遷移時間枠を含み、またはそれに対応し得る。別の例として、補助チャネル４６２は、ｔ６において開始する第２の発見期間の間、時間ｔ２５において開始し時間ｔ２６において終了する遷移時間枠を含み、またはそれに対応し得る。
【０１４７】
[0161]補助チャネル４６４は、補助チャネルオフセット（たとえば、時間ｔ１から時間ｔ２７、時間ｔ５から時間ｔ３１）と第４の通信チャネル４３４とを含み、またはそれらに対応し得る。補助チャネル４６４は、特定の発見期間の間の各補助チャネルオフセットに対応する、送信時間枠を含み、またはそれに対応し得る。たとえば、補助チャネル４６４は、ｔ２において開始する第１の発見期間の間、時間ｔ２７において開始し時間ｔ２８において終了する遷移時間枠を含み、またはそれに対応し得る。別の例として、補助チャネル４６４は、ｔ６において開始する第２の発見期間の間、時間ｔ３１において開始し時間ｔ３２において終了する遷移時間枠を含み、またはそれに対応し得る。
【０１４８】
[0162]補助チャネル４６６は、補助チャネルオフセット（たとえば、時間ｔ１から時間ｔ２９、時間ｔ５から時間ｔ３３）と第４の通信チャネル４３４とを含み、またはそれらに対応し得る。補助チャネル４６６は、特定の発見期間の間の各補助チャネルオフセットに対応する、送信時間枠を含み、またはそれに対応し得る。たとえば、補助チャネル４６６は、ｔ２において開始する第１の発見期間の間、時間ｔ２９において開始し時間ｔ３０において終了する遷移時間枠を含み、またはそれに対応し得る。別の例として、補助チャネル４６６は、ｔ６において開始する第２の発見期間の間、時間ｔ３３において開始し時間ｔ３４において終了する遷移時間枠を含み、またはそれに対応し得る。
【０１４９】
[0163]ある特定の態様では、第１のデバイス１０４の提供者論理１３０は、図１を参照して説明されるように、特定のサービスに基づいて、論理チャネル１５０を含むべき、補助チャネル３６０、４６０、４６２、４６４、または４６６などのうちの少なくとも１つの補助チャネルを選択することができる。たとえば、第１のデバイス１０４の提供者論理１３０は、図１を参照して説明されるように、特定のサービスの遅延感受性が遅延感受性の閾値を満たすと決定したことに応答して、補助チャネル４６０を選択することができる。別の例として、第１のデバイス１０４の提供者論理１３０は、図１を参照して説明されるように、特定のサービスの遅延感受性が遅延感受性の閾値を満たさないと決定したことに応答して、補助チャネル３６０、４６２、４６４、および４６６のうちの少なくとも１つを選択することができる。補助チャネル４６０は、補助チャネル３６０、４６２、４６４、および４６６の各々よりも多数の送信時間枠を含み得る。補助チャネル４６０は、補助チャネル３６０、４６２、４６４、および４６６の各々よりも高いスループット、少ない遅延、またはこれらの組合せを有し得る。
【０１５０】
[0164]第１の発見時間枠２１０の間、サービス告知１２０はＮＡＮ通信チャネル２０２を介して送信され得る。たとえば、第１のデバイス１０４の提供者論理１３０は、特定のサービスの利用可能性を告知するために、ＮＡＮ通信チャネル２０２を介してサービス告知１２０を送信することができる。サービス告知１２０は、図１を参照して説明されるように、論理チャネル１５０とＭＡＣアドレス１５４とを示すことができる。
【０１５１】
[0165]補助チャネル３６０、４６０、４６２、４６４、および４６６の各送信時間枠は、ページング時間枠とデータ送信時間枠とを含み得る。ページング時間枠の持続時間、データ送信時間枠の持続時間、または両方が、ＮＡＮ規格またはプロトコルに従って決定され得る。
【０１５２】
[0166]基本チャネル２６０のページング時間枠、論理チャネル１５０の１つまたは複数のページング時間枠、またはこれらの組合せの間、第１のデバイス１０４の提供者論理１３０は、図１を参照して説明されるように、１つまたは複数の対応する通信チャネルを介してページングメッセージ１２８を送信することができる。
【０１５３】
[0167]第１のデバイス１０４の提供者論理１３０（または第２のデバイス１０６の加入者論理１３４）は、対応する通信チャネルの対応するページング時間枠の間にページングメッセージ１２８が送信（または受信）されていないと決定したことに応答して、対応するデータ送信時間枠の間、対応する通信チャネルを監視することができる。たとえば、第１のデバイス１０４の提供者論理１３０（または第２のデバイス１０６の加入者論理１３４）は、図１を参照して説明されるように、ページングメッセージ１２８が補助チャネル３６０の第１のページング時間枠の間に送信（または受信）されていると決定したことに応答して、補助チャネル３６０の第１のデータ送信時間枠の間、第１の通信チャネル３０２を監視することができる。別の例として、第１のデバイス１０４の提供者論理１３０（または第２のデバイス１０６の加入者論理１３４）は、図１を参照して説明されるように、ページングメッセージ１２８が補助チャネル４６４の第１のページング時間枠の間に送信（または受信）されていると決定したことに応答して、補助チャネル４６４の第１のデータ送信時間枠の間、第４の通信チャネル４３４を監視することができる。
【０１５４】
[0168]第１のデバイス１０４の提供者論理１３０（または第２のデバイス１０６の加入者論理１３４）は、図１を参照して説明されるように、対応するデータ送信時間枠の間、対応する通信チャネルを介してデータ１２２を送信（または受信）することができる。たとえば、第１のデバイス１０４の提供者論理１３０（または第２のデバイス１０６の加入者論理１３４）は、図１を参照して説明されるように、ページングメッセージ１２８が補助チャネル３６０の第１のページング時間枠の間に送信（または受信）されていると決定したことに応答して、補助チャネル３６０の第１のデータ送信時間枠の間、第１の通信チャネル３０２を介してデータ１２２を送信（または受信）することができる。別の例として、第１のデバイス１０４の提供者論理１３０（または第２のデバイス１０６の加入者論理１３４）は、図１を参照して説明されるように、ページングメッセージ１２８が補助チャネル４６４の第１のページング時間枠の間に送信（または受信）されていると決定したことに応答して、補助チャネル４６４の第１のデータ送信時間枠の間、第４の通信チャネル４３４を介してデータ１２２を送信（または受信）することができる。
【０１５５】
[0169]ある特定の態様では、第１のデバイス１０４の提供者論理１３０は、ページングメッセージが対応するページング時間枠の間に送信されていないと決定したことに応答して、対応するデータ送信時間枠の間、１つまたは複数の通信チャネルを監視するのを控えることができる。たとえば、第１のデバイス１０４の提供者論理１３０は、補助チャネル３６０のページング時間枠の間に、補助チャネル３６０に対応するデータリンクグループの第２のデバイス１０６などのデバイスへページングメッセージが送信されていないと決定したことに応答して、補助チャネル３６０のデータ送信時間枠の間、第１の通信チャネル３０２を監視するのを控えることができる。
【０１５６】
[0170]ある特定の態様では、第２のデバイス１０６の加入者論理１３４は、第２のデバイス１０６がデータを受信する予定であることを示すページングメッセージが対応するページング時間枠の間に受信されていないと決定したことに応答して、対応するデータ送信時間枠の間、１つまたは複数の通信チャネルを監視するのを控えることができる。たとえば、第２のデバイス１０６の加入者論理１３４は、第２のデバイス１０６がデータを受信する予定であることを示すページングメッセージが補助チャネル３６０のページング時間枠の間に受信されていないと決定したことに応答して、補助チャネル３６０のデータ送信時間枠の間、第１の通信チャネル３０２を監視するのを控えることができる。ある特定の態様では、第１のデバイス１０４（または第２のデバイス１０６）は、第１の通信チャネル３０２を監視するのを控えている間、低電力動作モードに遷移することができる。
【０１５７】
[0171]第１のデバイス１０４、第２のデバイス１０６、または両方が、タイミング図４００において示されているタイミング時間枠に基づいて動作を実行することによって、電力消費を減らすことができる。たとえば、第１のデバイス１０４、第２のデバイス１０６、または両方が、対応するページング時間枠の間に、ページングメッセージが送信されていないことまたはページングメッセージが受信されていないことを決定したことに応答して、データ送信時間枠の間、低電力動作モードに遷移することができる。加えて、第１のデバイス１０４および第２のデバイス１０６は、基本チャネル２６０、補助チャネル３６０、４６０、４６２、４６４、４６６、またはこれらの組合せなどの、複数の論理チャネルを介してデータを交換することができる。各論理チャネルは、別個のデータセッションに対応し得る。データを交換するために複数の論理チャネルを使用することはまた、スループットを上げ、遅延を減らし得る。
【０１５８】
[0172]図５Ａを参照すると、ワイヤレス通信のチャネル化の例を示す図が示されており、全体的に５００と指定されている。図５００は、５１５０〜５９２５メガヘルツ（ＭＨｚ）の帯域などの特定の周波数帯域が複数の通信チャネルに対応し得ることを示し、各通信チャネルは、その特定の周波数帯域のある特定の部分に対応する。ある特定の態様では、複数の通信チャネルは、ＩＥＥＥ通信チャネル３６、４０、４４、４８、５２、５６、６０、６４、６８、７２、７６、８０、８４、８８、９２、９６、１００、１０４、１０８、１１２、１１６、１２０、１２４、１２８、１３２、１３６、１４０、１４４、１４９、１５３、１５７、１６１、１６５、１６９、１７３、１７７、および１８１の１つまたは複数を含み得る。複数の通信チャネルの特定の通信チャネルは、２０ＭＨｚのチャネル、４０ＭＨｚのチャネル、８０ＭＨｚのチャネル、または１６０ＭＨｚのチャネルであり得る。たとえば、図５Ａにおいて示されるように、チャネル５２は、５２５０ＭＨｚにおいて開始する２０ＭＨｚのチャネル、５２５０ＭＨｚにおいて開始する４０ＭＨｚのチャネル、または５２５０ＭＨｚにおいて開始する８０ＭＨｚのチャネルであり得る。
【０１５９】
[0173]ある特定の態様では、図２のＮＡＮ通信チャネル２０２などのＮＡＮ通信チャネルは、２．４ＧＨｚ帯のＩＥＥＥ通信チャネル６、ＩＥＥＥ通信チャネル４４、またはＩＥＥＥ通信チャネル１０４などの、複数の通信チャネルのうちの特定の通信チャネルに対応し得る。ある特定の態様では、ＮＡＮ通信チャネルに対応する通信チャネルは、ＮＡＮ規格またはＮＡＮプロトコルに従って決定され得る。ある特定の態様では、図１の論理チャネル１５０は、ＩＥＥＥ通信チャネル３６、５２、１０４、１１６、１３２、および１４９のうちの少なくとも１つに対応し得る。この態様では、ＩＥＥＥ通信チャネル３６、５２、１０４、１１６、１３２、および１４９の各々は、８０ＭＨｚのチャネルであり得る。代替的な態様では、図１の論理チャネル１５０は、ＩＥＥＥ通信チャネル４４、５２、１００、１１６、１３２、および１４９のうちの少なくとも１つに対応し得る。この態様では、ＩＥＥＥ通信チャネル３６、５２、１０４、１１６、１３２、および１４９の各々は、８０ＭＨｚのチャネルであり得る。
【０１６０】
[0174]図５Ｂを参照すると、論理チャネルの例を示す表が示されており、全体的に５０２と指定されている。表５０２は、ＮＡＮデータリンク（ＮＤＬ）インデックスの列５０４と、チャネル数の列５０６と、補助チャネルオフセットの列５０８とを含む。ある特定の態様では、表５０２は、ＮＡＮ規格またはＮＡＮプロトコルに従って決定され得る。
【０１６１】
[0175]表５０２の各行は、ある特定の論理チャネルに対応し得る。たとえば、行５１０は、図２の基本チャネル２６０などの第１の論理チャネルに対応し得る。行５１０は、ＮＤＬインデックス０などの第１のＮＤＬインデックスと、通信チャネル６などの第１の通信チャネルと、１などの第１の補助チャネルオフセットとを示し得る。ある特定の態様では、サービス告知１２０は、論理チャネル１５０の第１の論理チャネルを示すために、第１のＮＤＬインデックスを含み得る。代替的な態様では、サービス告知１２０は、図１を参照して説明されるように、第１のＮＤＬインデックスが基本チャネル２６０に対応する場合、第１のＮＤＬインデックスを含まないことがある。
【０１６２】
[0176]ある特定の態様では、第１のデバイス１０４の提供者論理１３０、第２のデバイス１０６の加入者論理１３４、または両方が、補助チャネルオフセット（たとえば、１６個のＴＵ）を決定するために、第１の補助チャネルオフセット（たとえば、１）を特定の数（たとえば、１６）と乗じることができる。第１のデバイス１０４の提供者論理１３０、第２のデバイス１０６の加入者論理１３４、または両方が、図１を参照して説明されるように、補助チャネルオフセットに基づいて、発見時間枠の開始の後で第１の論理チャネルの送信時間枠がいつ開始するかを決定することができる。
【０１６３】
[0177]別の特定の態様では、行５１２は、図２の補助チャネル３６０などの第１の補助チャネルに対応し得る。行５１２は、ＮＤＬインデックス２などの第１のＮＤＬインデックスと、通信チャネル３６などの第１の通信チャネルと、２などの第１の補助チャネルオフセットとを示し得る。行５１４は、図２の補助チャネル３６０などの第２の補助チャネルに対応し得る。行５１４は、ＮＤＬインデックス５などの第２のＮＤＬインデックスと、通信チャネル５２などの第２の通信チャネルと、２などの第２の補助チャネルオフセットと、１８などの第３の補助チャネルオフセットとを示し得る。
【０１６４】
[0178]各補助チャネルオフセットは、対応する補助チャネルの送信時間枠を示し得る。第２の補助チャネルは、第１の補助チャネルよりも多数の送信時間枠を有し得る。ある特定の態様では、第１のデバイス１０４の提供者論理１３０は、図１を参照して説明されるように、論理チャネル１５０に含めるべき第１の補助チャネルを選択することができる。この態様では、サービス告知１２０は第１のＮＤＬインデックスを含み得る。代替的な態様では、第１のデバイス１０４の提供者論理１３０は、図１を参照して説明されるように、論理チャネル１５０に含めるべき第２の補助チャネルを選択することができる。この態様では、サービス告知１２０は第２のＮＤＬインデックスを含み得る。
【０１６５】
[0179]第１のデバイス１０４の提供者論理１３０は、表５０２に基づいて、特定の論理チャネルに対応するＮＤＬインデックスを決定することができる。第１のデバイス１０４の提供者論理１３０は、特定の論理チャネルを示すために、ＮＤＬインデックスをサービス告知１２０に含めることができる。サービス告知１２０は、特定の数のビットを使用してＮＤＬインデックスを示し得る。ＮＤＬインデックスを示すためのビットの具体的な数は、特定の論理チャネルに対応する補助チャネルオフセットの数とは無関係であり得る。特定の論理チャネルを示すためにＮＤＬインデックスを使用することは、サービス告知１２０のサイズも減らすことができる。
【０１６６】
[0180]図６を参照すると、論理チャネルの例を示す図が示されており、全体的に６００と指定されている。図６００は、表６０２と表６１２とを含む。表６０２は、ＮＡＮデータリンク（ＮＤＬ）インデックスの列６０４と、チャネル数の列６０６と、チャネルオフセットの列６０８と、ブロック幅の列６１０とを含む。ある特定の態様では、表６０２は、ＮＡＮ規格またはＮＡＮプロトコルに従って決定され得る。表６１２は、ＮＡＮデータリンク（ＮＤＬ）インデックスの列６１４と、チャネル数の列６１６と、チャネルオフセットの列６１８と、ブロック幅の列６２０とを含む。ある特定の態様では、表６１２は、ＮＡＮ規格またはＮＡＮプロトコルに従って決定され得る。
【０１６７】
[0181]表６０２および６１２の各行は、ある特定の論理チャネルに対応し得る。たとえば、表６０２の行６２２は、図２の基本チャネル２６０などの第１の論理チャネルに対応し得る。行６２２は、ＮＤＬインデックス０などの第１のＮＤＬインデックスと、通信チャネル６などの第１の通信チャネルと、１などの第１の補助チャネルオフセットと、３２個のＴＵなどの第１のブロック幅とを示し得る。ある特定の態様では、サービス告知１２０は、第１の論理チャネルを示すために、第１のＮＤＬインデックス（ＮＤＬインデックス０）を含み得る。ある特定の態様では、図１を参照して説明されるように、サービス告知１２０は、第１のＮＤＬインデックスが論理チャネル１５０の１つに対応する場合、第１のＮＤＬインデックスを含んでよく、第１のＮＤＬインデックスが基本チャネル２６０に対応する場合、第１のＮＤＬインデックスを含まなくてよい。
【０１６８】
[0182]ある特定の態様では、第１のデバイス１０４の提供者論理１３０、第２のデバイス１０６の加入者論理１３４、または両方が、補助チャネルオフセット（たとえば、１６個のＴＵ）を決定するために、第１の補助チャネルオフセット（たとえば、１）を特定の数（たとえば、１６）と乗じることができる。第１のデバイス１０４の提供者論理１３０、第２のデバイス１０６の加入者論理１３４、または両方が、図１を参照して説明されるように、補助チャネルオフセットに基づいて、発見時間枠の開始の後で第１の論理チャネルの送信時間枠がいつ開始するかを決定することができる。送信時間枠の持続時間は、第１のブロック幅（たとえば、３２個のＴＵ）によって示され得る。
【０１６９】
[0183]表６０２の行は、表６１２の行に対応する論理チャネルよりも低いスループット、大きな遅延、またはこれらの組合せを有する論理チャネルに対応し得る。たとえば、表６０２の行６２４は、第１の補助チャネル（たとえば、図２の補助チャネル３６０）に対応し得る。行６２４は、第１のＮＤＬインデックス（たとえば、１）と、通信チャネル３６などの第１の通信チャネルと、第１の補助チャネルオフセット（たとえば、２）と、第１のブロック幅（たとえば、３２個のＴＵ）とを示し得る。表６１２の行６２６は、第２の補助チャネルに対応し得る。行６２６は、第２のＮＤＬインデックス（たとえば、Ｎ＋２）と、通信チャネル３６などの第２の通信チャネルと、第２の補助チャネルオフセット（たとえば、２、１０、１８、および２６）と、第２のブロック幅（たとえば、６４個のＴＵ）とを示し得る。提供者論理１３０などの提供者論理は、チャネルが高スループットチャネルとして指定されているか低スループットチャネルとして指定されているかに基づいて、チャネルのどの送信時間枠がページング時間枠を含むかを決定することができる。たとえば、提供者論理は、表６０２の行に列挙されているチャネルはあらゆる送信時間枠においてページング時間枠を含むが、表６１２の行に列挙されているチャネルはすべてではない送信時間枠において（たとえば、２つの送信時間枠ごとに、３つのページング時間枠ごとに、など）ページング時間枠を含むと、決定することができる。２つの分類だけが示されているが、ページング時間枠の構成には２つよりも多くの分類があり得る。たとえば、表６０２の行に列挙されているチャネルよりも稀に、しかし表６１２の行に列挙されているチャネルよりも頻繁にページング時間枠を含む、中間的なスループットのチャネルの分類があり得る。別の例として、ページング時間枠を一切含まない、非常に高いスループットのチャネルの分類があり得る。この例では、データはデータ送信時間枠の最初に送信される。
【０１７０】
[0184]各補助チャネルオフセットは、対応する補助チャネルの送信時間枠を示し得る。第２の補助チャネルは、より多数の送信時間枠を有し、持続時間がより長い送信時間枠を有し、またはこれらの両方であるので、第２の補助チャネルは、第１の補助チャネルよりも高いスループット、少ない遅延、またはこれらの組合せに対応し得る。
【０１７１】
[0185]ある特定の態様では、第１のデバイス１０４の提供者論理１３０は、図１を参照して説明されるように、特定のサービスの遅延感受性が特定の遅延の閾値を満たさないと決定したことに応答して、表６０２から補助チャネルを選択することができ、特定のサービスの遅延感受性が特定の遅延の閾値を満たすと決定したことに応答して、表６１２から別の補助チャネルを選択することができる。たとえば、第１のデバイス１０４の提供者論理１３０は、特定のサービスの遅延感受性が特定の遅延の閾値を満たさないと決定したことに応答して、論理チャネル１５０に含めるべき第１の補助チャネルを選択することができる。別の例として、第１のデバイス１０４の提供者論理１３０は、特定のサービスの遅延感受性が特定の遅延の閾値を満たすと決定したことに応答して、論理チャネル１５０に含めるべき第２の補助チャネルを選択することができる。
【０１７２】
[0186]第１のデバイス１０４の提供者論理１３０は、表６０２、表６１２、またはこれらの組合せに基づいて、特定の論理チャネルに対応するＮＤＬインデックスを決定することができる。第１のデバイス１０４の提供者論理１３０は、特定の論理チャネルを示すために、ＮＤＬインデックスをサービス告知１２０に含めることができる。サービス告知１２０は、特定の数のビットを使用してＮＤＬインデックスを示し得る。ＮＤＬインデックスを示すためのビットの具体的な数は、特定の論理チャネルに対応する補助チャネルオフセットの数とは無関係であり得る。特定の論理チャネルを示すためにＮＤＬインデックスを使用することは、サービス告知１２０のサイズも減らすことができる。
【０１７３】
[0187]図７Ａを参照すると、サービス告知７２０の特定の態様の図が示されており、全体的に７００と指定されている。ある特定の態様では、サービス告知７２０は、図１のサービス告知１２０に対応し得る。サービス告知７２０は、持続時間フィールド、Ａ１フィールド、Ａ２フィールド、Ａ３フィールド、シーケンス制御（ｓｅｑ．ｃｔｌ．）フィールド、タイムスタンプフィールド、ビーコン間隔フィールド、容量フィールド、またはこれらの組合せなどの、ヘッダフィールドを含み得る。サービス告知７２０は、フレーム確認シーケンス（ＦＣＳ）も含み得る。
【０１７４】
[0188]サービス告知７２０は、ＮＡＮ情報要素７３０またはＮＡＮパブリックアクションフレーム７４０をさらに含み得る。たとえば、ＮＡＮ情報要素７３０はビーコンメッセージに対応してよく、ＮＡＮパブリックアクションフレーム７４０はＮＡＮサービス発見フレームに対応してよい。ＮＡＮ情報要素７３０は、要素ＩＤフィールド、長さフィールド、組織的固有識別子（ＯＵＩ）フィールド、ＯＵＩタイプフィールド、またはこれらの組合せを含み得る。ＮＡＮパブリックアクションフレーム７４０は、カテゴリフィールド、アクションフィールド、ＯＵＩフィールド、ＯＵＩタイプフィールド、またはこれらの組合せを含み得る。ＮＡＮ情報要素７３０とＮＡＮパブリックアクションフレーム７４０の両方が、１つまたは複数のＮＡＮ属性７３２を含み得る。
【０１７５】
[0189]示される例では、１つまたは複数のＮＡＮ属性７３２は、サービス属性７４２と、ＮＡＮ−ＤＬ属性７４４と、論理チャネル属性７４６とを含む。ＮＡＮ属性７３２は、より多くのサービス属性、より多くのＮＡＮ−ＤＬ属性、より多くの論理チャネル属性、またはこれらの組合せを含み得る。いくつかの例では、ＮＡＮ属性７３２は論理チャネル属性を含まない。サービス属性は、第１のデバイス１０４などの提供者デバイスによって提供されるゲームサービスなどのサービスを記述するデータを含み得る。図７Ｃを参照して以下で説明されるように、サービス属性７４２は、ＮＡＮ−ＤＬ属性７４４を特定するインジケータを含み得る。ＮＡＮ−ＤＬ属性７４４は、サービス属性７４２によって記述される、またはサービス属性７３４に対応するサービスを提供するために使用されるＮＡＮ−ＤＬを記述するものであり得る。ＮＡＮ−ＤＬ属性７４４は、論理チャネル属性７４６に含まれる具体的な論理チャネルを特定する、インデックスなどのインジケータを含み得る。代替的に、ＮＡＮ−ＤＬ属性７４４は、提供者デバイスと加入者デバイスとの間で特定の論理チャネルの選択が基本チャネルなどを介してネゴシエートされるべきである（またはネゴシエート可能である）ことの指示を含み得る。提供者デバイスは第１のデバイス１０４であってよく、加入者デバイスは第２のデバイス１０６であってよい。例示すると、論理チャネルがネゴシエートされるべきである（またはネゴシエート可能である）ことを（たとえば、予備の値を介して、または論理チャネルを指し示さないことによって）示すＮＡＮ−ＤＬ属性７４４に基づいて、提供者デバイスおよび加入者デバイスは、サービス告知７２０が送信される発見時間枠の後に存在する基本チャネルの間に、１つまたは複数のネゴシエーションメッセージを交換することができる。ネゴシエーションメッセージに基づいて、提供者デバイスは、ＮＡＮ＿ＤＬ属性７４４のための論理チャネルを選択することができる。したがって、サービス告知７２０は、１つまたは複数のサービスと１つまたは複数のＮＡＮデータリンクグループとを特定することができ、サービス告知７２０は、１つまたは複数のサービスを１つまたは複数のＮＡＮ−ＤＬに対応付けることができる。
【０１７６】
[0190]代替的な態様では、サービス告知７２０はサービス属性をＮＡＮ−ＤＬ属性に対応付けないことがある。たとえば、ＮＡＮ−ＤＬ属性への対応付けの代わりに、サービス属性７４２は、以下でより詳細に説明されるような、サービス属性７４２によって記述されるサービスを提供するために使用される論理チャネルが、第１のデバイス１０４などの提供者デバイスおよび第２のデバイス１０６などの加入者デバイスによって基本チャネルを介してネゴシエートされるべきであることの指示を、含み得る。たとえば、論理チャネルがネゴシエートされるべきであることを（たとえば、予備の値を介して、またはＮＡＮ−ＤＬ属性を指し示さないことによって）示すサービス属性７４２に基づいて、第１のデバイス１０４および第２のデバイス１０６は、サービス告知７２０が送信される発見時間枠の後に存在する基本チャネルの間に、１つまたは複数のネゴシエーションメッセージを交換することができる。ネゴシエーションメッセージに基づいて、第１のデバイス１０４は、サービス属性７４２のための論理チャネルを選択することができる。いくつかの例では、ＮＡＮ属性７３２はＮＡＮ−ＤＬ属性７４４を含まないことがある。
【０１７７】
[0191]図７Ｂを参照すると、論理チャネル属性の特定の例の図が示されており、全体的に８００と指定されている。ある特定の例では、図８００は、図１の論理チャネル１５０または図７Ａの論理チャネル属性７４６に対応し得る。
【０１７８】
[0192]図８００に示されるように、論理チャネル属性は、属性識別子（ＩＤ）フィールド７１０、長さフィールド７１２、ＭＡＣアドレスフィールド７１４、および補助チャネル（ＳＣ）リストフィールド７１６のうちの少なくとも１つを含み得る。属性ＩＤフィールド７１０は、１オクテットなどのある特定のサイズを有し得る。属性ＩＤフィールド７１０のある特定の値は、論理チャネル属性がある論理チャネル属性であることを示し得る。例示すると、サービス告知１２０またはサービス告知７２０などのメッセージは、複数の属性タイプから選択される属性を含み得る。属性ＩＤフィールド７１０に含まれる１６進数の値０ｘ０６などの特定の値が、論理チャネル属性をある論理チャネル属性として特定することができる。
【０１７９】
[0193]長さフィールド７１２は、２オクテットなどのある特定のサイズを有し得る。ＭＡＣアドレスフィールド７１４は、６オクテットなどのある特定のサイズを有し得る。図１を参照して説明されるように、ＭＡＣアドレスフィールド７１４はＭＡＣアドレス１５４を示し得る。
【０１８０】
[0194]ＳＣリストフィールド７１６は、可変長を有し得る。ＳＣリストフィールド７１６は、図１の論理チャネル１５０を示し得る。たとえば、ＳＣリストフィールド７１６は、図５Ｂを参照して説明されるように、論理チャネル１５０の各々に対応するＮＤＬインデックスを含み得る。ＳＣリストフィールド７１６の長さは、論理チャネル１５０のカウントに基づき得る。サービス告知１２０におけるＳＣリストフィールド７１６の不在は、特定のサービスが、図２の基本チャネル２６０などの基本チャネルを介して利用可能であり、補助チャネルを介して利用不可能であることを示し得る。
【０１８１】
[0195]長さフィールド７１２は、属性ＩＤフィールド７１０、長さフィールド７１２、ＭＡＣアドレスフィールド７１４、ＳＣリストフィールド７１６、またはこれらの組合せの長さを示し得る。たとえば、長さフィールド７１２は、サービス告知１２０の長さを示し得る。別の例として、長さフィールド７１２は、ＳＣリストフィールド７１６の長さを示し得る。長さフィールド７１２のある特定の値は、ＳＣリストフィールド７１６が存在しないことを示し得る。たとえば、非限定的な例として、０、６、または９という値が、ＳＣリストフィールド７１６が存在しないことを示すことがある。
【０１８２】
[0196]図７Ｃを参照すると、サービス属性７６０およびＮＡＮ−ＤＬ属性７７０の特定の例を示す図が示されており、全体的に９００と指定されている。サービス属性７６０は、サービス属性１７０の１つまたはサービス属性７４２に対応することがあり、ＮＡＮ−ＤＬ属性７７０は、ＮＡＮ−ＤＬ属性１８０の１つまたはＮＡＮ−ＤＬ属性７４４に対応することがある。
【０１８３】
[0197]サービス属性７６０は、サービス属性７６０をあるサービス属性として特定する値を含む属性ＩＤフィールド７６１を含み得る。例示すると、サービス告知１２０またはサービス告知７２０などのメッセージは、複数の属性タイプから選択される属性を含み得る。１６進数の値０ｘ０Ａなどの、属性ＩＤフィールド７６１に含まれる特定の値が、サービス属性７６０をあるサービス属性として特定することができる。
【０１８４】
[0198]サービス属性７６０は、サービス属性７６０の長さを特定する値を含む長さフィールドをさらに含み得る。サービス属性７６０は、サービス属性７６０によって記述されるサービスを特定する値を含む、サービス識別子などのサービス識別子（ＩＤ）フィールド７６２をさらに含み得る。たとえば、サービスＩＤフィールド７６２は、ゲームサービスまたはメッセージングサービスに対応する値を含み得る。ある特定の例では、サービスＩＤは、「ゲーム」などのサービス名のハッシュに対応する値を含む。
【０１８５】
[0199]サービス属性７６０は、サービス属性７６０によって記述されるサービスのインスタンスを特定するインスタンス識別子（ＩＤ）フィールド７６３をさらに含み得る。例示すると、第１のデバイス１０４などの提供者デバイスが、ゲームサービスの２つ以上のインスタンスをサポートすることができる。インスタンスＩＤフィールド７６３は、サービス属性７６０がゲームサービスのどのインスタンスを記述するかを特定し得る。たとえば、インスタンスＩＤフィールド７６３は、第１のインスタンス識別子などの、ゲームサービスのチェスのインスタンスに対応する第１の値を含み得る。
【０１８６】
[0200]サービス属性７６０は、インジケータなどの、バインディングビットマップフィールド７６４をさらに含み得る。バインディングビットマップフィールド７６４は、サービス属性７６０を用いてメッセージに含まれるＮＡＮ−ＤＬ属性を示すビットマップを含み得る。すなわち、バインディングビットマップは、サービス属性７６０によって記述されるサービス（またはサービスインスタンス）を提供するためにどのＮＡＮ−ＤＬが使用されるかを示す。たとえば、メッセージ（サービス告知１２０またはサービス告知７２０など）は、１つまたは複数のＮＡＮ−ＤＬ属性を含み得る。０ｘ０００１というバインディングビットマップ値は、メッセージに含まれる第１のＮＡＮ−ＤＬ属性を識別し得る。サービス属性７６０はバインディングビットマップフィールド７６４を含むものとして示されているが、サービス（またはサービスインスタンス）を提供するために使用されるＮＡＮ−ＤＬを記述するＮＡＮ−ＤＬ属性を示すために、他のタイプのインジケータが使用され得る。
【０１８７】
[0201]代替的に、バインディングビットマップフィールド７６４は、サービス属性７６０によって記述されるサービス（またはサービスインスタンス）を提供するために使用される論理チャネルが、たとえば第１のデバイス１０４などの提供者デバイスと第２のデバイス１０６などの加入者デバイスとの間の基本チャネルを介してネゴシエートされるべきであることを示す、０ｘ００００などの値を含み得る。
【０１８８】
[0202]サービス属性７６０は、要求者インスタンスＩＤフィールドと、サービス情報長さフィールド７６５と、サービス情報フィールド７６６とをさらに含み得る。サービス情報長さフィールド７６５は、サービス情報フィールド７６６の長さを示す値を含み得る。サービス情報フィールド７６６は、サービス属性７６０によって記述されるサービス（またはサービスインスタンス）に関する情報を含み得る。たとえば、サービス情報フィールド７６６は、チェスゲームサービスのインスタンスを記述する情報を含み得る。他の例では、サービス属性は、より多数または少数のフィールドを含み得る。
【０１８９】
[0203]ＮＡＮ−ＤＬ属性７７０は、ＮＡＮ−ＤＬ属性７７０をあるＮＡＮ−ＤＬ属性として特定する値を含む属性ＩＤフィールド７７１を含み得る。ＮＡＮ−ＤＬ属性７７０は、ＮＡＮ−ＤＬがどのチャネル上で動作するかを示す値を含む、ＮＡＮ−ＤＬチャネルフィールド７７２をさらに含む。ＮＡＮ−ＤＬ属性７７０は、ＮＡＮ−ＤＬ制御フィールド７７３をさらに含み得る。ＮＡＮ−ＤＬ制御フィールド７７３は、ＮＡＮ−ＤＬによって使用される、論理チャネル１５０またはＳＣリストフィールド７１６などの論理チャネルリスト中の論理チャネルを示す、インデックスなどの値を含み得る。いくつかの例では、０００または１１１などのＮＡＮ−ＤＬ制御フィールド７７３のある特定の値は、論理チャネルリスト中のある論理チャネルではなく基本チャネルを示す。いくつかの例では、０００または１１１などのＮＡＮ−ＤＬ制御フィールド７７３のある特定の値は、第１のデバイス１０４などの提供者デバイスと第２のデバイス１０６などの加入者デバイスとの間で論理チャネルがネゴシエートされるべきであることを示す。ＮＡＮ−ＤＬ属性７７０は、ＮＡＮ−ＤＬを名付ける値を含むＮＡＮ−ＤＬグループＩＤフィールド７７４を含み得る。たとえば、ＮＡＮ−ＤＬグループＩＤフィールド７７４は、ＮＡＮ−ＤＬグループ（たとえば、第１のデータリンクグループ）を「チェスグループ」として特定することができる。ＮＡＮ−ＤＬ属性７７０は、長さフィールドとＯＵＩフィールドとをさらに含み得る。他の例では、サービス属性は、より多数または少数のフィールドを含み得る。
【０１９０】
[0204]したがって、図９００は、サービス属性によって記述されるサービス（またはサービスインスタンス）を提供するために使用されるＮＡＮ−ＤＬ属性を示し得る、サービス属性を示す。ＮＡＮ−ＤＬ属性を示すサービス属性を含むメッセージの例が、図７Ｄを参照して以下で説明される。
【０１９１】
[0205]図７Ｄを参照すると、ＮＡＮ−ＤＬ属性および論理チャネルに対応付けられるサービスインスタンスの例を示す図が示されており、全体的に１０００と指定されている。
【０１９２】
[0206]第１の例では、共通のＮＡＮ−ＤＬを特定する、共通のサービスの異なるインスタンスを記述する２つのサービス属性を含む、サービス告知１２０またはサービス告知７２０などのメッセージが示されている。このメッセージは、第１のサービス属性７８１と、第２のサービス属性７８２と、ＮＡＮ−ＤＬ属性７８３と、論理チャネル属性７８４とを含む。第１のサービス属性７８１および第２のサービス属性７８２は、サービス属性７６０を各々特定するフィールドを含み得る。
【０１９３】
[0207]第１のサービス属性７８１は、第１のデバイス１０４などの提供者デバイスによって提供される（ゲームサービスなどの）サービスの第１のインスタンス（チェス）に対応してよく、第２のサービス属性７８２は、提供者デバイスによって提供されるサービスの第２のインスタンス（チェッカー）に対応してよい。例示すると、第１のサービス属性７８１は、サービスＩＤフィールド７６２に対応するフィールドを含み得る。サービスＩＤフィールドは、第１のサービス属性７８１がゲームサービスを記述することを示す値を含み得る。第１のサービス属性７８１は、ゲームサービスのチェスのインスタンスを第１のサービス属性７８１が記述することを示す、第１のインスタンス識別子などの、インスタンスＩＤフィールド７６３に対応するフィールドをさらに含み得る。第１のサービス属性７８１は、ＮＡＮ−ＤＬ属性７８３を特定する、第１のインジケータなどのバインディングビットマップフィールド７６４に対応するフィールドをさらに含み得る。バインディングビットマップフィールドは、バインディングビットマップフィールド中の特定の値の位置などの、バインディングビットマップフィールドの値に基づいて、ＮＡＮ−ＤＬ属性７８３を特定することができる。たとえば、バインディングビットマップフィールドは、ＮＡＮ−ＤＬ属性７８３などの、メッセージに含まれる第１のＮＡＮ−ＤＬ属性を特定する値０ｘ０００１を含み得る。第１のサービス属性７８１は、チェスのゲームサービスのインスタンスを記述する情報を含む、サービス情報フィールド７６６に対応するフィールドをさらに含み得る。
【０１９４】
[0208]第２のサービス属性７８２は、サービスＩＤフィールド７６２に対応するフィールドを含み得る。サービスＩＤフィールド７６２は、ゲームサービスを記述する第２のサービス属性７８２を示す値を含み得る。第２のサービス属性７８２は、ゲームサービスのチェッカーのインスタンスを第２のサービス属性７８２が記述することを示す、第２のインスタンス識別子などの、インスタンスＩＤフィールド７６３に対応するフィールドをさらに含み得る。第２のサービス属性７８２は、ＮＡＮ−ＤＬ属性７８３を特定する値を含む、第２のインジケータなどの、バインディングビットマップフィールド７６４に対応するフィールドをさらに含み得る。たとえば、バインディングビットマップフィールドは、ＮＡＮ−ＤＬ属性７８３などの、メッセージに含まれる第１のＮＡＮ−ＤＬ属性を特定する値０ｘ０００１を含み得る。第２のサービス属性７８２は、チェッカーのゲームサービスのインスタンスを記述する情報を含む、サービス情報フィールド７６６に対応するフィールドをさらに含み得る。
【０１９５】
[0209]ＮＡＮ−ＤＬ属性７８３は、ＮＡＮ−ＤＬ属性７７０に関して示されるようなフィールドを含み得る。たとえば、ＮＡＮ−ＤＬ属性７８３は、属性ＩＤフィールド７７１に対応するフィールドを含み得る。属性ＩＤフィールド７７１は、ＮＡＮ−ＤＬ属性７８３があるＮＡＮ−ＤＬ属性であることを示す値を含み得る。ＮＡＮ−ＤＬ属性７８３は、ＮＡＮ−ＤＬ属性７８３によって記述されるＮＡＮ−ＤＬによって通信するために使用される、チャネル４８などのチャネルを示す、ＮＡＮ−ＤＬチャネルフィールド７７２に対応するフィールドをさらに含み得る。ＮＡＮ−ＤＬ属性７８３は、論理チャネル属性７８４において記述される特定の論理チャネルを示すインデックスなどの値を含む、ＮＡＮ−ＤＬ制御フィールド７７３に対応するフィールドをさらに含み得る。ＮＡＮ−ＤＬ属性７８３は、ＮＡＮ−ＤＬ属性７８３によって記述されるＮＡＮ−ＤＬの、「ゲームグループ」などのグループ名を特定するフィールドを含む、ＮＡＮ−ＤＬグループＩＤフィールド７７４に対応するフィールドをさらに含み得る。論理チャネル属性７８４は、図８００において示されるようなフィールドを含み得る。したがって、第１の例では、メッセージは、サービスの２つの異なるインスタンスを告知し、共通のＮＡＮ−ＤＬを介して提供者デバイスによって両方のインスタンスが提供されることを示し得る。
【０１９６】
[0210]第２の例では、異なるＮＡＮ−ＤＬを特定する、共通のサービスの異なるインスタンスを記述する２つのサービス属性を含む、サービス告知１２０またはサービス告知７２０などのメッセージが示されている。このメッセージは、第１のサービス属性７８５と、第２のサービス属性７８６と、第１のＮＡＮ−ＤＬ属性７８７と、第２のＮＡＮ−ＤＬ属性７８８と、論理チャネル属性７８９とを含む。
【０１９７】
[0211]第１のサービス属性７８５は、第１のデバイス１０４などの提供者デバイスによって提供されるサービス（ゲームサービス）の第１のインスタンス（チェス）に対応してよく、第２のサービス属性７８６は、提供者デバイスによって提供されるゲームサービスの第２のインスタンス（チェッカー）に対応してよい。例示すると、第１のサービス属性７８５は、サービスＩＤフィールド７６２に対応するフィールドを含み得る。サービスＩＤフィールド７６２は、第１のサービス属性７８５がゲームサービスを記述することを示す値を含み得る。第１のサービス属性７８５は、ゲームサービスのチェスのインスタンスを第１のサービス属性７８５が記述することを示す、インスタンスＩＤフィールド７６３に対応するフィールドをさらに含み得る。第１のサービス属性７８５は、第１のＮＡＮ−ＤＬ属性７８７を特定する値を含むバインディングビットマップフィールド７６４に対応するフィールドをさらに含み得る。たとえば、バインディングビットマップフィールド７６４は、第１のＮＡＮ−ＤＬ属性７８７などの、メッセージに含まれる第１のＮＡＮ−ＤＬ属性を特定する値０ｘ０００１を含み得る。第１のサービス属性７８５は、チェスのゲームサービスのインスタンス（第１のインスタンス）を記述する情報を含む、サービス情報フィールド７６６に対応するフィールドをさらに含み得る。
【０１９８】
[0212]第２のサービス属性７８６は、サービスＩＤフィールド７６２に対応するフィールドを含み得る。サービスＩＤフィールド７６２は、第２のサービス属性７８６がゲームサービスも記述することを示す値を含み得る。第２のサービス属性７８６は、ゲームサービスのチェッカーのインスタンスを第２のサービス属性７８６が記述することを示す、インスタンスＩＤフィールド７６３に対応するフィールドをさらに含み得る。第２のサービス属性７８６は、第２のＮＡＮ−ＤＬ属性７８８を特定する値を含むバインディングビットマップフィールド７６４に対応するフィールドをさらに含み得る。たとえば、バインディングビットマップフィールド７６４は、第２のＮＡＮ−ＤＬ属性７８８などの、メッセージに含まれる第２のＮＡＮ−ＤＬ属性を特定する値０ｘ０００２を含み得る。第２のサービス属性７８６は、チェッカーのゲームサービスのインスタンス（第２のインスタンス）を記述する情報を含む、サービス情報フィールド７６６に対応するフィールドをさらに含み得る。
【０１９９】
[0213]第１のＮＡＮ−ＤＬ属性７８７は、ＮＡＮ−ＤＬ属性７７０に関して示されるようなフィールドを含み得る。たとえば、第１のＮＡＮ−ＤＬ属性７８７は、属性ＩＤフィールド７７１に対応するフィールドを含み得る。属性ＩＤフィールド７７１は、第１のＮＡＮ−ＤＬ属性７８７があるＮＡＮ−ＤＬ属性であることを示す値を含み得る。第１のＮＡＮ−ＤＬ属性７８７は、第１のＮＡＮ−ＤＬ属性７８７によって記述されるＮＡＮ−ＤＬによって通信するために使用される、チャネル４８などのチャネルを示す、ＮＡＮ−ＤＬチャネルフィールド７７２に対応するフィールドをさらに含み得る。第１のＮＡＮ−ＤＬ属性７８７は、ＳＣリストフィールド７１６に対応するフィールドにおいて挙げられている第１の論理チャネルなどの、論理チャネル属性７８４において記述される第１の論理チャネルを示すインデックスなどの値を含む、ＮＡＮ−ＤＬ制御フィールド７７３に対応するフィールドをさらに含み得る。第１のＮＡＮ−ＤＬ属性７８７は、第１のＮＡＮ−ＤＬ属性７８７によって記述されるＮＡＮ−ＤＬの、「チェスゲームグループ」などのグループ名を特定するフィールドを含む、ＮＡＮ−ＤＬグループＩＤフィールド７７４に対応するフィールドをさらに含み得る。
【０２００】
[0214]第２のＮＡＮ−ＤＬ属性７８８は、ＮＡＮ−ＤＬ属性７７０に関して示されるようなフィールドを含み得る。たとえば、第２のＮＡＮ−ＤＬ属性７８８は、属性ＩＤフィールド７７１に対応するフィールドを含み得る。属性ＩＤフィールド７７１は、第２のＮＡＮ−ＤＬ属性７８８があるＮＡＮ−ＤＬ属性であることを示す値を含み得る。第２のＮＡＮ−ＤＬ属性７８８は、第２のＮＡＮ−ＤＬ属性７８８によって記述されるＮＡＮ−ＤＬによって通信するために使用される、チャネル３０などのチャネルを示す、ＮＡＮ−ＤＬチャネルフィールド７７２に対応するフィールドをさらに含み得る。第２のＮＡＮ−ＤＬ属性７８８は、ＳＣリストフィールド７１６に対応するフィールドにおいて挙げられている第２の論理チャネルなどの、論理チャネル属性７８４において記述される第２の論理チャネルを示すインデックスなどの値を含む、ＮＡＮ−ＤＬ制御フィールド７７３に対応するフィールドをさらに含み得る。第２のＮＡＮ−ＤＬ属性７８８は、第２のＮＡＮ−ＤＬ属性７８８によって記述されるＮＡＮ−ＤＬの、「チェッカーゲームグループ」などのグループ名を特定するフィールドを含む、ＮＡＮ−ＤＬグループＩＤフィールド７７４に対応するフィールドをさらに含み得る。
【０２０１】
[0215]したがって、第２の例では、メッセージは、サービスの２つの異なるインスタンスを告知し、異なるＮＡＮ−ＤＬを介して提供者デバイスによってインスタンスが提供されることを示し得る。
【０２０２】
[0216]第３の例では、異なるＮＡＮ−ＤＬを特定する異なるサービスを記述する２つのサービス属性を含む、サービス告知１２０またはサービス告知７２０などのメッセージが示されている。このメッセージは、第１のサービス属性７９０と、第２のサービス属性７９１と、第１のＮＡＮ−ＤＬ属性７９２と、第２のＮＡＮ−ＤＬ属性７９３と、論理チャネル属性７９４とを含む。
【０２０３】
[0217]第１のサービス属性７９０は、第１のデバイス１０４などの提供者デバイスによって提供される第１のサービス（ゲームサービス）のインスタンス（チェス）に対応してよく、第２のサービス属性７９１は、提供者デバイスによって提供される第２のサービス（メッセージングサービス）のインスタンス（家族のメッセージング）に対応してよい。例示すると、第１のサービス属性７９０は、サービスＩＤフィールド７６２に対応するフィールドを含み得る。サービスＩＤフィールド７６２は、第１のサービス属性７９０がゲームサービスを記述することを示す値を含み得る。第１のサービス属性７９０は、ゲームサービスのチェスのインスタンスを第１のサービス属性７９０が記述することを示す、インスタンスＩＤフィールド７６３に対応するフィールドをさらに含み得る。第１のサービス属性７９０は、第１のＮＡＮ−ＤＬ属性７９２を特定する値を含むバインディングビットマップフィールド７６４に対応するフィールドをさらに含み得る。たとえば、バインディングビットマップフィールド７６４は、第１のＮＡＮ−ＤＬ属性７９２などの、メッセージに含まれる第１のＮＡＮ−ＤＬ属性を特定する値０ｘ０００１を含み得る。第１のサービス属性７９０は、チェスのゲームサービスのインスタンスを記述する情報を含む、サービス情報フィールド７６６に対応するフィールドをさらに含み得る。
【０２０４】
[0218]第２のサービス属性７９１は、サービスＩＤフィールド７６２に対応するフィールドを含み得る。サービスＩＤフィールド７６２は、第２のサービス属性７９１が第３のサービス属性などのメッセージングサービスを記述することを示す値を含み得る。第２のサービス属性７９１は、メッセージングサービスの家族のメッセージングのインスタンスを第２のサービス属性７９１が記述することを示す、第３のインスタンス識別子などの、インスタンスＩＤフィールド７６３に対応するフィールドをさらに含み得る。第２のサービス属性７９１は、第２のＮＡＮ−ＤＬ属性７９３を特定する値を含む、第３のインジケータなどの、バインディングビットマップフィールド７６４に対応するフィールドをさらに含み得る。たとえば、バインディングビットマップフィールド７６４は、第２のＮＡＮ−ＤＬ属性７９３などの、メッセージに含まれる第２のＮＡＮ−ＤＬ属性を特定する値０ｘ０００２を含み得る。第２のサービス属性７９１は、家族のメッセージングサービスのインスタンスを記述する情報を含む、サービス情報フィールド７６６に対応するフィールドをさらに含み得る。
【０２０５】
[0219]第１のＮＡＮ−ＤＬ属性７９２は、ＮＡＮ−ＤＬ属性７７０に関して示されるようなフィールドを含み得る。たとえば、第１のＮＡＮ−ＤＬ属性７９２は、属性ＩＤフィールド７７１に対応するフィールドを含み得る。属性ＩＤフィールド７７１は、第１のＮＡＮ−ＤＬ属性７９２があるＮＡＮ−ＤＬ属性であることを示す値を含み得る。第１のＮＡＮ−ＤＬ属性７９２は、第１のＮＡＮ−ＤＬ属性７９２によって記述されるＮＡＮ−ＤＬによって通信するために使用される、チャネル４８などのチャネルを示す、ＮＡＮ−ＤＬチャネルフィールド７７２に対応するフィールドをさらに含み得る。第１のＮＡＮ−ＤＬ属性７９２は、ＳＣリストフィールド７１６に対応するフィールドにおいて挙げられている第１の論理チャネルなどの、論理チャネル属性７９４において記述される第１の論理チャネルを示すインデックスなどの値を含む、ＮＡＮ−ＤＬ制御フィールド７７３に対応するフィールドをさらに含み得る。第１のＮＡＮ−ＤＬ属性７９２は、第１のデータリンク属性などの第１のＮＡＮ−ＤＬ属性７９２によって記述されるＮＡＮ−ＤＬの、「ゲームグループ」などのグループ名（たとえば、第１のデータリンクグループ）を特定するフィールドを含む、ＮＡＮ−ＤＬグループＩＤフィールド７７４に対応するフィールドをさらに含み得る。
【０２０６】
[0220]第２のＮＡＮ−ＤＬ属性７９３は、ＮＡＮ−ＤＬ属性７７０に関して示されるようなフィールドを含み得る。たとえば、第２のＮＡＮ−ＤＬ属性７９３は、属性ＩＤフィールド７７１に対応するフィールドを含み得る。属性ＩＤフィールド７７１は、第２のＮＡＮ−ＤＬ属性７９３があるＮＡＮ−ＤＬ属性であることを示す値を含み得る。第２のＮＡＮ−ＤＬ属性７９３は、第２のＮＡＮ−ＤＬ属性７９３によって記述されるＮＡＮ−ＤＬによって通信するために使用される、チャネル３０などのチャネルを示す、ＮＡＮ−ＤＬチャネルフィールド７７２に対応するフィールドをさらに含み得る。第２のＮＡＮ−ＤＬ属性７９３は、ＳＣリストフィールド７１６に対応するフィールドにおいて挙げられている第２の論理チャネルなどの、論理チャネル属性７９４において記述される第２の論理チャネルを示すインデックスなどの値を含む、ＮＡＮ−ＤＬ制御フィールド７７３に対応するフィールドをさらに含み得る。第２のＮＡＮ−ＤＬ属性７９３は、第２のデータリンク属性などの第２のＮＡＮ−ＤＬ属性７９３によって記述されるＮＡＮ−ＤＬの、「メッセージンググループ」などのグループ名（たとえば、第２のデータリンクグループ）を特定するフィールドを含む、ＮＡＮ−ＤＬグループＩＤフィールド７７４に対応するフィールドをさらに含み得る。
【０２０７】
[0221]したがって、第３の例では、メッセージは、２つの異なるサービスを告知し、第１のデータリンクグループおよび第２のデータリンクグループなどの異なるＮＡＮ−ＤＬを介して提供者デバイスによって２つの異なるサービスが提供されることを示し得る。
【０２０８】
[0222]図８を参照すると、時間ブロックの木表現の特定の態様が示されており、全体的に１１００と指定されている。ある特定の態様では、図１のシステム１００の電子デバイス１０４、１０６、１０８、１１０、および１１２のうちの少なくとも１つの提供者論理１３０、加入者論理１３４、または両方が、木１１００に対応するデータをメモリに記憶することができる。木１１００は、バイナリ木または別の木データ構造に対応し得る。
【０２０９】
[0223]図２の発見期間２４８などの発見期間は、複数の時間ブロックに分割され得る。複数の時間ブロックの各々は同じ持続時間を有し得る。ある特定の実装形態では、複数の時間ブロックの各々は、送信時間枠を含み、またはそれに対応し得る。別の特定の実装形態では、複数の時間ブロックの各々は、ＮＡＮ−ＤＬ  ＴＢを含み、またはそれに対応し得る。木１１００は、リーフノード８０４およびリーフノード８０６などの、第１の数、すなわち３２個のリーフノードを含み得る。リーフノードの各々は、複数の時間ブロックのある特定の時間ブロックに対応し得る。たとえば、リーフノード８０４は、時間ブロック（ＴＢ）２などの第１の時間ブロックに対応し得る。図２の第２の送信時間枠２４２は、ＴＢ２を含み、またはそれに対応し得る。リーフノード８０６は、ＴＢ３などの第２の時間ブロックに対応し得る。
【０２１０】
[0224]木１１００は、第２の数、すなわち３１個の内部ノードを含み得る。たとえば、木１１００は、ルートノード８２０を含むことがあり、ルートノード８２０とリーフノードの間に１つまたは複数の追加の内部ノードを含むことがある。各内部ノードは、２個などの特定の数の子ノードを有し得る。特定の内部ノードの子ノードは、別の内部ノードまたはリーフノードを含み得る。たとえば、ルートノード８２０は、内部ノード８２２および内部ノード８２４などの内部ノードである子ノードを有する。別の例として、内部ノード８０８は、リーフノード８０４およびリーフノード８０６）などのリーフノードである子ノードを有する。
【０２１１】
[0225]木１１００の各ノードは、ある特定のインデックスに対応し得る。たとえば、リーフノード８０４は、ＴＢインデックス２などの第１のインデックスに対応することがあり、リーフノード８０６は、ＴＢインデックス３などの第２のインデックスに対応することがある。別の例として、内部ノード８０２は、ＴＢインデックス３２などの第１の特定のインデックスに対応することがあり、内部ノード８０８は、ＴＢインデックス３３などの第２の特定のインデックスに対応することがある。
【０２１２】
[0226]ある特定のインデックスは、１つまたは複数の時間ブロックを示し得る。たとえば、リーフノードに対応するインデックスは、単一の時間ブロックを示し得る。例示すると、第１のインデックスであるＴＢインデックス２は、第１の時間ブロックＴＢ２を示し得る。別の例では、内部ノードに対応するインデックスは、複数の時間ブロックを示し得る。例示すると、ＴＢインデックス３３などの第２の特定のインデックスは、ＴＢ２およびＴＢ３に対応し得る。
【０２１３】
[0227]木１１００に対応する１つまたは複数のインデックスは、図１０を参照してさらに説明されるように、発見期間２４８の１つまたは複数の部分を示すために使用され得る。ある特定の態様では、複数の時間ブロックを示すために単一のインデックスを使用することで、各時間ブロックに対応するインデックスを使用することと比較して、時間ブロックを表すために使用されるビットの数を減らすことができる。
【０２１４】
[0228]図９を参照すると、対応付けデータの特定の態様が示されており、全体的に１２００と指定されている。対応付けデータ１２００は、図８の木１１００に対応し得る。ある特定の態様では、図１のシステム１００の電子デバイス１０４、１０６、１０８、１１０、および１１２のうちの少なくとも１つが、対応付けデータ１２００をメモリに記憶することができる。
【０２１５】
[0229]対応付けデータ１２００は、木１１００の各ノードに対応する少なくとも１つの時間ブロックを示し得る。たとえば、対応付けデータ１２００は、木１１００の特定のノードの特定のインデックスに対応する１つまたは複数の時間ブロックを示し得る。例示すると、対応付けデータ１２００は、ＴＢインデックス０〜３１などのインデックスの第１のセットの各インデックスがＴＢ０〜ＴＢ３１などの単一の時間ブロックに対応することを示し得る。インデックスの第１のセットは、木１１００のリーフノードに対応し得る。
【０２１６】
[0230]対応付けデータ１２００は、ＴＢインデックス３２〜４７などのインデックスの第２のセットの各インデックスが時間ブロックのペアに対応することを示し得る。たとえば、ＴＢインデックス３２はＴＢ０およびＴＢ１に対応し得る。インデックスの第２のセットは、木１１００の第１のレベルの内部ノードに対応し得る。リーフノードは、第１のレベルの内部ノードの子ノードであり得る。
【０２１７】
[0231]対応付けデータ１２００は、ＴＢインデックス４８〜５５などのインデックスの第３のセットの各インデックスが４つの時間ブロックに対応することを示し得る。たとえば、ＴＢインデックス４８はＴＢ０〜ＴＢ３に対応し得る。インデックスの第３のセットは、木１１００の第２のレベルの内部ノードに対応し得る。第１のレベルの内部ノードは、第２のレベルの内部ノードの子ノードであり得る。
【０２１８】
[0232]対応付けデータ１２００は、ＴＢインデックス５６〜５９などのインデックスの第４のセットの各インデックスが８つの時間ブロックに対応することを示し得る。たとえば、ＴＢインデックス５６はＴＢ０〜ＴＢ７に対応し得る。インデックスの第４のセットは、木１１００の第３のレベルの内部ノードに対応し得る。第２のレベルの内部ノードは、第３のレベルの内部ノードの子ノードであり得る。
【０２１９】
[0233]対応付けデータ１２００は、ＴＢインデックス６０〜６１などのインデックスの第５のセットの各インデックスが１６個の時間ブロックに対応することを示し得る。たとえば、ＴＢインデックス６０はＴＢ０〜ＴＢ１５に対応し得る。インデックスの第５のセットは、木１１００の第４のレベルの内部ノードに対応し得る。第３のレベルの内部ノードは、第４のレベルの内部ノードの子ノードであり得る。
【０２２０】
[0234]対応付けデータ１２００は、ＴＢインデックス６２などの特定のインデックスが３２個の時間ブロックに対応することを示し得る。たとえば、特定のインデックスはＴＢ０〜ＴＢ３１に対応し得る。特定のインデックスは、図８のルートノード８２０に対応し得る。
【０２２１】
[0235]したがって、対応付けデータ１２００は、インデックスと１つまたは複数の時間ブロックとの間の対応付けを示し得る。たとえば、対応付けデータ１２００は、ＴＢインデックス３０などの第１のインデックスが第１の時間ブロック（ＴＢ３０）に対応することを示し得る。別の例として、対応付けデータ１２００は、ＴＢインデックス４７などの第２のインデックスが第１の時間ブロック（ＴＢ３０）および第２の時間ブロック（ＴＢ３１）に対応することを示し得る。
【０２２２】
[0236]図１０を参照すると、論理チャネル属性の特定の態様が示されており、全体的に１３００と指定されている。論理チャネル属性は、図７Ａの論理チャネル属性７４６、図７Ｄの論理チャネル属性７８４、論理チャネル属性７８９、論理チャネル属性７９４、またはこれらの組合せに対応し得る。
【０２２３】
[0237]論理チャネル属性１３００は、１つまたは複数のチャネル識別子を含み得る。たとえば、論理チャネル属性１３００は、第１のチャネル識別子１００４、第２のチャネル識別子１０１２、または両方を含み得る。特定のチャネル識別子は、ある特定の通信チャネルを示し得る。たとえば、第１のチャネル識別子１００４は第１の通信チャネルを示すことがあり、第２のチャネル識別子１０１２は第２の通信チャネルを示すことがあり、またはこれらの両方であり得る。
【０２２４】
[0238]論理チャネル属性１３００は、図８の木１１００の１つまたは複数の時間ブロックインデックスを含み得る。１つまたは複数の時間ブロックインデックスは、１つまたは複数のチャネル識別子などの対応するチャネル識別子を有し得る。たとえば、論理チャネル属性１３００は、１つまたは複数の第１の時間ブロックインデックス１０１０を含み得る。例示すると、第１の時間ブロックインデックス１０１０は、第１のＴＢインデックス１００６、第２のＴＢインデックス１００８、または両方を含み得る。第１の時間ブロックインデックス１０１０は、対応するチャネル識別子である第１のチャネル識別子１００４を有し得る。論理チャネル属性１３００は、１つまたは複数の第２の時間ブロックインデックス１０１４を含み得る。第２の時間ブロックインデックス１０１４は、対応するチャネル識別子である第２のチャネル識別子１０１２を有し得る。論理チャネル属性１３００は、２オクテットまたは４オクテットなどの特定のサイズを有し得る。
【０２２５】
[0239]動作の間、図１の第１のデバイス１０４の提供者論理１３０は、図１を参照して説明されるように、論理チャネル１５０を選択し得る。たとえば、提供者論理１３０は、特定のサービスを提供すべき論理チャネル１５０を複数の利用可能な論理チャネルから選択することができる。図２の発見期間２４８などの発見期間は、複数の時間ブロックに分割され得る。複数の時間ブロックの各々は同じ持続時間を有し得る。
【０２２６】
[0240]提供者論理１３０は、第１のデバイス１０４が論理チャネル１５０を介して通信するために利用可能であることを示す、図１のサービス告知１２０、図７Ａのサービス告知７２０、または両方などのメッセージを生成することができる。サービス告知１２０は、論理チャネル１５０の各々に対応するチャネル識別子と１つまたは複数の時間ブロックインデックスとを含み得る。たとえば、論理チャネル１５０の特定の論理チャネルは、通信チャネルおよび複数の時間ブロックのうちの少なくとも１つの時間ブロックに対応し得る。提供者論理１３０は、通信チャネルの第１のチャネル識別子１００４などのチャネル識別子と、少なくとも１つの時間ブロックを示す少なくとも１つの時間ブロックインデックスとを決定することができる。
【０２２７】
[0241]ある特定の態様では、少なくとも１つの時間ブロックは、複数の時間ブロックのうちの単一の時間ブロックを含み得る。この態様では、図８の木１１００のリーフノード８０４またはリーフノード８０６などのリーフノードは、少なくとも１つの時間ブロックを表し得る。別の態様では、少なくとも１つの時間ブロックは、複数の時間ブロックのうちの多数の時間ブロックを含み得る。この態様では、木１１００の１つまたは複数のリーフノード、１つまたは複数の内部ノード、またはこれらの組合せは、少なくとも１つの時間ブロックを表し得る。
【０２２８】
[0242]ある特定の実装形態では、提供者論理１３０は、少なくとも１つの時間ブロックを表す最小の数のノードを決定するために、木１１００を調査することができる。少なくとも１つの時間ブロックが複数の時間ブロックのうちの単一の時間ブロックを含む場合、木１１００のリーフノード８０４などのリーフノードは、少なくとも１つの時間ブロックを表し得る。第１のＴＢインデックス１００６は、リーフノード８０４のＴＢインデックス（ＴＢインデックス２）に対応し得る。
【０２２９】
[0243]少なくとも１つの時間ブロックが複数の時間ブロックのうちの多数の時間ブロックを含む場合、木１１００の１つまたは複数のリーフノード、１つまたは複数の内部ノード、またはこれらの組合せは、少なくとも１つの時間ブロックを表し得る。提供者論理１３０は、複数の時間ブロックに対応する木１１００のリーフノードのセットを特定することができる。提供者論理１３０は、リーフノードのセットを表す最小の数のノードを決定することができる。たとえば、提供者論理１３０は、木１１００の内部ノードなどの同じ親ノードを有するセット中のノードのペアを、親ノードで置き換えることができる。提供者論理１３０は、セット中の残りのノードが別個の親ノードを有するまで、この置き換えの処理を繰り返すことができる。例示すると、少なくとも１つの時間ブロックはＴＢ２〜ＴＢ４を含み得る。提供者論理１３０は、ＴＢ２〜ＴＢ４に対応するリーフノードのセットを特定することができる。たとえば、リーフノードのセットは、ＴＢ２に対応するリーフノード８０４と、ＴＢ３に対応するリーフノード８０６と、ＴＢ４に対応するリーフノード８１０とを含み得る。提供者論理１３０は、リーフノード８０４およびリーフノード８０６が同じ親ノード（内部ノード８０８）を有すると決定したことに応答して、リーフノード８０４とリーフノード８０６とをセット中の内部ノード８０８で置き換えることができる。提供者論理１３０は、内部ノード８０８およびリーフノード８１０が別個の親ノードを有すると決定したことに応答して、少なくとも１つの時間ブロックを表す最小の数のノードが特定されていると決定することができる。提供者論理１３０は、セット中の残りのノードに基づいて少なくとも１つのインデックスを決定することができる。たとえば、少なくとも１つのインデックスは、内部ノード８０８に対応する第１のインデックス（ＴＢインデックス３３）とリーフノード８１０に対応する第２のインデックス（ＴＢインデックス４）とを含み得る。
【０２３０】
[0244]ある代替的な実装形態では、提供者論理１３０は、対応付けデータ１２００に基づいて、少なくとも１つの時間ブロックを表す最小の数のノードを決定することができる。たとえば、提供者論理１３０は、降順または昇順などの順序で、対応付けデータ１２００を処理することができる。一例では、提供者論理１３０は、ルートノード８２０に対応する第１の時間ブロックインデックス、すなわちＴＢインデックス６１から、降順で対応付けデータ１２００を処理することができる。例示すると、提供者論理１３０は、少なくとも１つの時間ブロックに対応するリーフノードのセットを特定することができる。提供者論理１３０は、次のＴＢインデックスが１つまたは複数の時間ブロックに対応することを対応付けデータ１２００が示すと決定することができる。提供者論理１３０は、１つまたは複数の時間ブロックの各々に対応するリーフノードがセットに含まれると決定したことに応答して、セットからリーフノードを除去し、次のＴＢインデックスを少なくとも１つの時間ブロックインデックスに追加することができる。提供者論理１３０は、単一のリーフノードがセットに残るまで、または、ＴＢインデックス３２などの特定のインデックスが処理されるまで、この処理を繰り返すことができる。特定のインデックスは、処理されるべき最後の内部ノードに対応し得る。提供者論理１３０は、セットの各々の残りのリーフノードに対応する時間ブロックインデックスを少なくとも１つの時間ブロックインデックスに追加することができる。
【０２３１】
[0245]サービス告知１２０は、第１のチャネル識別子１００４と第１の時間ブロックインデックス１０１０とを示し得る。たとえば、サービス告知１２０は、論理チャネル属性１３００を含み得る。論理チャネル属性１３００は、通信チャネルを示す第１のチャネル識別子１００４と、少なくとも１つの時間ブロックインデックスに対応する第１の時間ブロックインデックス１０１０とを含み得る。
【０２３２】
[0246]ある特定の態様では、論理チャネル１５０は複数の通信チャネルに対応し得る。論理チャネル属性１３００は、各通信チャネルのチャネル識別子と、各通信チャネルに対応する１つまたは複数の時間ブロックインデックスとを含み得る。たとえば、論理チャネル属性１３００は、第１の通信チャネルに対応する第１のチャネル識別子１００４と、第１の通信チャネルに対応する第１の時間ブロックインデックス１０１０とを含み得る。論理チャネル属性１３００は、第２の通信チャネルの第２のチャネル識別子１０１２と、第２の通信チャネルに対応する第２の時間ブロックインデックス１０１４とを含み得る。
【０２３３】
[0247]第１のデバイス１０４の送受信機１３６は、サービス告知１２０を送信することができる。第２のデバイス１０６の送受信機１３６は、サービス告知１２０を受信することができ、サービス告知１２０を第２のデバイス１０６の加入者論理１３４に提供することができる。加入者論理１３４は、サービス告知１２０の論理チャネル属性１３００に基づいて、１つまたは複数の通信チャネルと、通信チャネルの各々に対応する少なくとも１つの時間ブロックとを決定することができる。たとえば、加入者論理１３４は、第１のチャネル識別子１００４に基づいて第１の通信チャネルを決定することができ、第２のチャネル識別子１０１２に基づいて第２の通信チャネルを決定することができ、または両方であり得る。加入者論理１３４は、第１の時間ブロックインデックス１０１０に基づいて１つまたは複数の第１の時間ブロックを決定することができ、第２の時間ブロックインデックス１０１４に基づいて１つまたは複数の第２の時間ブロックを決定することができ、または両方であり得る。
【０２３４】
[0248]ある特定の実装形態では、加入者論理１３４は、図８の木１１００を調査することに基づいて、少なくとも１つの時間ブロックインデックスに対応する少なくとも１つの時間ブロックを決定することができる。たとえば、加入者論理１３４は、第１の時間ブロックインデックス１０１０の各インデックスに対応する少なくとも１つのリーフノードを特定するために、木１１００を調査することができる。第１の時間ブロックは、少なくとも１つのリーフノードに対応する１つまたは複数の時間ブロックを含み得る。
【０２３５】
[0249]ある代替的な実装形態では、加入者論理１３４は、図９の対応付けデータ１２００に基づいて、少なくとも１つの時間ブロックインデックスに対応する少なくとも１つの時間ブロックを決定することができる。たとえば、加入者論理１３４は、第１の時間ブロックインデックスの特定の時間ブロックインデックスが１つまたは複数の特定の時間ブロックに対応することを対応付けデータ１２００が示すと決定したことに応答して、１つまたは複数の特定の時間ブロックを第１の時間ブロックに含めることができる。加入者論理１３４は、第１の時間ブロックの間に第１の通信チャネルを監視することができ、第２の時間ブロックの間に第２の通信チャネルを監視することができ、または両方であり得る。
【０２３６】
[0250]ある特定の態様では、提供者論理１３０は、データリンクグループにデバイスが参加したことに応答して、時間ブロックを追加することができる。たとえば、提供者論理１３０は、データリンクグループに第４のデバイスが参加したことに応答して、追加の時間ブロックを追加することができる。例示すると、提供者論理１３０は、データリンクグループに対応する論理チャネル属性７４６にＴＢ２を追加することができる。提供者論理１３０は、ＴＢインデックス３という値（ＴＢ３を示す）を伴う第２のＴＢインデックス１００８を、ＴＢインデックス２という値（ＴＢ２を示す）を伴う第１のＴＢインデックス１００６に追加することによって、ＴＢ３を含むように第１の時間ブロックインデックス１０１０を更新することができる。代替的に、提供者論理１３０は、第１のＴＢインデックス１００６の値をＴＢインデックス２（ＴＢ２を示す）からＴＢインデックス３３（ＴＢ２とＴＢ３とを示す）に更新することによって、ＴＢ３を含むように第１の時間ブロックインデックス１０１０を更新することができる。
【０２３７】
[0251]したがって、論理チャネル属性１３００は、論理チャネル１５０の正確な表現を与え得る。たとえば、論理チャネルの複数の時間ブロックを表すために、単一のインデックスが使用され得る。
【０２３８】
[0252]図１１Ａを参照すると、動作の方法の特定の態様が示されており、全体的に１４００と指定されている。ある特定の態様では、方法１４００は、図１のシステム１００の電子デバイス１０４、１０６、１０８、１１０、および１１２のうちの少なくとも１つの提供者論理１３０によって実行され得る。
【０２３９】
[0253]方法１４００は、１１０２において、近隣認識ネットワーク（ＮＡＮ）の提供者デバイスにおいて複数の論理チャネルを選択することを含む。たとえば、図１の第１のデバイス１０４の提供者論理１３０は、図１を参照して説明されるように、論理チャネル１５０を選択し得る。第１のデバイス１０４は、図１のＮＡＮ１０２に含まれ得る。
【０２４０】
[0254]方法１４００はまた、１１０４において、提供者デバイスが複数の論理チャネルを介して通信するのに利用可能であることを示すメッセージを生成することを含む。たとえば、図１の第１のデバイス１０４の提供者論理１３０は、図１を参照して説明されるように、特定のサービスが論理チャネル１５０を介して利用可能であることを示すサービス告知１２０を生成することができる。
【０２４１】
[0255]方法１４００はさらに、１１０６において、メッセージをＮＡＮの電子デバイスに送信することを含む。たとえば、図１の第１のデバイス１０４の提供者論理１３０は、図１を参照して説明されるように、サービス告知１２０をＮＡＮ１０２の電子デバイス１０６、１０８、１１０、および１１２のうちの少なくとも１つに送信することができる。ある特定の態様では、第１のデバイス１０４の提供者論理１３０は、第１のデバイス１０４のカバレッジエリア（たとえば、シングルホップ）内にあるＮＡＮ１０２の電子デバイスにサービス告知１２０を送信することができる。
【０２４２】
[0256]方法１４００はまた、１１０８において、電子デバイスの加入者デバイスから、提供者デバイスにおいて加入メッセージを受信することを含む。たとえば、図１の第１のデバイス１０４の提供者論理１３０は、図１を参照して説明されるように、加入メッセージをＮＡＮ１０２の電子デバイス１０６、１０８、１１０、および１１２のうちの少なくとも１つから受信することができる。例示すると、第１のデバイス１０４の提供者論理１３０は、加入メッセージ１２４を第２のデバイス１０６から受信することができる。加入メッセージ１２４は、図１を参照して説明されるように、第２のデバイス１０６が通信するのに利用可能であることを示し得る。たとえば、第２のデバイス１０６の加入者論理１３４は、図１を参照して説明されるように、論理チャネル１５０のうちの少なくとも１つを介して通信するのに第２のデバイス１０６が利用可能であると決定したことに応答して、加入メッセージ１２４を生成することができる。第１のデバイス１０４の提供者論理１３０は、加入メッセージ１２４を受信したことに応答して、論理チャネル１５０のうちの少なくとも１つを介して通信するのに第２のデバイス１０６が利用可能であると決定することができる。
【０２４３】
[0257]方法１４００は、１１１０において、加入メッセージを受信したことに応答して肯定応答を加入者デバイスに送信することをさらに含む。たとえば、図１の第１のデバイス１０４の提供者論理１３０は、図１を参照して説明されるように、ＡＣＫ１２６を第２のデバイス１０６に送信することができる。
【０２４４】
[0258]方法１４００は、１１１２において、ページング時間枠の間に通信チャネルを監視することも含む。たとえば、第１のデバイス１０４の提供者論理１３０は、図１および図３を参照して説明されるように、第１のページング時間枠３２０の間に第１の通信チャネル３０２を監視することができる。複数の論理チャネルの補助チャネル３６０などの論理チャネルは、図３を参照して説明されるように、第１の通信チャネル３０２などの通信チャネルに、および第１の送信時間枠３４０などの１つまたは複数の送信時間枠に対応し得る。
【０２４５】
[0259]方法１４００は、１１１４において、ページング時間枠の間に通信チャネルを介してページングメッセージを送信することをさらに含む。たとえば、第１のデバイス１０４の提供者論理１３０は、図３を参照して説明されるように、第１のページング時間枠３２０の間に第１の通信チャネル３０２を介してページングメッセージ１２８を送信することができる。第１のページング時間枠３２０は、図３を参照して説明されるように、第１の送信時間枠３４０の最初の部分に対応し得る。
【０２４６】
[0260]方法１４００は、１１１６において、データ送信時間枠の間に通信チャネルを監視することも含む。たとえば、第１のデバイス１０４の提供者論理１３０は、図３を参照して説明されるように、第１のデータ送信時間枠３２２の間に第１の通信チャネル３０２を監視することができる。第１のデータ送信時間枠３２２は、図３を参照して説明されるように、第１の送信時間枠３４０の残りの部分に対応し得る。
【０２４７】
[0261]方法１４００は、１１１８において、データ送信時間枠の間に通信チャネルを介してデータを送信することをさらに含む。たとえば、第１のデバイス１０４の提供者論理１３０は、図３を参照して説明されるように、第１のデータ送信時間枠３２２の間に第１の通信チャネル３０２を介してデータ１２２を送信することができる。
【０２４８】
[0262]したがって、方法１４００は、提供者デバイスが論理チャネルを介して特定のサービスのデータを送信することを可能にし得る。たとえば、提供者デバイスは、論理チャネル１５０を示すサービス告知１２０を送信することができる。加入者デバイスは、補助チャネル３６０に対応する第１の通信チャネル３０２を監視することができる。提供者デバイスは、第１のデータ送信時間枠３２２の間、第１の通信チャネル３０２を介してデータ１２２を送信することができる。
【０２４９】
[0263]図１１Ｂを参照すると、動作の方法の特定の態様が示されており、全体的に１５００と指定されている。ある特定の態様では、方法１５００は、図１のシステム１００の電子デバイス１０４、１０６、１０８、１１０、および１１２のうちの少なくとも１つの提供者論理１３０によって実行され得る。
【０２５０】
[0264]方法１５００は、１１２２において、近隣認識ネットワーク（ＮＡＮ）の提供者デバイスにおいて、ＮＡＮのＮＡＮデータリンクを介して提供者デバイスによって提供されるサービスを記述する第１の属性と、ＮＡＮデータリンクを記述する第２の属性とを含む、メッセージを生成することを含む。第１の属性は、第２の属性を特定するインジケータを含む。たとえば、図１の第１のデバイス１０４の提供者論理１３０は、サービス告知１２０を生成することができる。サービス告知１２０は、１つまたは複数のサービス属性１７０と１つまたは複数のＮＡＮ−ＤＬ属性１８０とを含み得る。１つまたは複数のサービス属性１７０のサービス属性は、ＮＡＮ−ＤＬ属性１８０の１つによって記述されるＮＡＮ−ＤＬを介して第１のデバイス１０４によって提供されるサービスを特定することができる。サービス属性は、サービスを提供するために使用されるＮＡＮ−ＤＬを記述するＮＡＮ−ＤＬ属性を特定するインジケータを含み得る。
【０２５１】
[0265]方法１５００は、１１２４において、メッセージを送信することも含む。たとえば、図１の第１のデバイス１０４の提供者論理１３０は、図１を参照して説明されるように、サービス告知１２０を第２のデバイス１０６に送信することができる。したがって、提供者デバイスは、ＮＡＮ−ＤＬを介して提供されるサービスを特定し、サービスがＮＡＮ−ＤＬを介してどのように加入者デバイスによってアクセスされ得るかを記述する、告知を生成することができる。
【０２５２】
[0266]図１２を参照すると、動作の方法の特定の例が示されており、全体的に１６００と指定されている。方法１６００は、図１のシステム１００の電子デバイス１０４、１０６、１０８、１１０、および１１２のうちの少なくとも１つの加入者論理１３４によって実行され得る。
【０２５３】
[0267]方法１６００は、１２０２において、近隣認識ネットワーク（ＮＡＮ）の提供者デバイスからＮＡＮの加入者デバイスにおいてメッセージを受信することを含む。たとえば、図１の第２のデバイス１０６の加入者論理１３４は、サービス告知１２０を第１のデバイス１０４から受信することができる。第１のデバイス１０４および第２のデバイス１０６は、図１のＮＡＮ１０２に含まれ得る。このメッセージは、提供者デバイスが複数の論理チャネルを介して通信するために利用可能であることを示し得る。たとえば、サービス告知１２０は、特定のサービスが論理チャネル１５０を介して利用可能であることを示し得る。
【０２５４】
[0268]方法１６００は、１２０４において、加入メッセージを提供者デバイスに送信することも含む。たとえば、図１の第２のデバイス１０６の加入者論理１３４は、図１を参照して説明されるように、加入メッセージ１２４を第１のデバイス１０４に送信することができる。加入メッセージ１２４は、第２のデバイス１０６が通信するのに利用可能であることを示し得る。たとえば、第２のデバイス１０６の加入者論理１３４は、図１を参照して説明されるように、論理チャネル１５０のうちの少なくとも１つを介して通信するのに第２のデバイス１０６が利用可能であると決定したことに応答して、加入メッセージ１２４を生成することができる。
【０２５５】
[0269]方法１６００は、１２０６において、提供者デバイスから肯定応答を受信することをさらに含む。たとえば、図１の第２のデバイス１０６の加入者論理１３４は、図１を参照して説明されるように、ＡＣＫ１２６を第１のデバイス１０４から受信することができる。
【０２５６】
[0270]方法１６００は、１２０８において、ページング時間枠の間に通信チャネルを監視することも含む。たとえば、第２のデバイス１０６の加入者論理１３４は、図１および図３を参照して説明されるように、第１のページング時間枠３２０の間に第１の通信チャネル３０２を監視することができる。複数の論理チャネルの補助チャネル３６０などの論理チャネルは、図３を参照して説明されるように、第１の通信チャネル３０２などの通信チャネルに、および第１の送信時間枠３４０などの１つまたは複数の送信時間枠に対応し得る。
【０２５７】
[0271]方法１６００は、１２１０において、ページング時間枠の間に通信チャネルを介してページングメッセージを受信することをさらに含む。たとえば、第２のデバイス１０６の加入者論理１３４は、図３を参照して説明されるように、第１のページング時間枠３２０の間に第１の通信チャネル３０２を介してページングメッセージ１２８を受信することができる。第１のページング時間枠３２０は、図３を参照して説明されるように、第１の送信時間枠３４０の最初の部分に対応し得る。
【０２５８】
[0272]したがって、方法１６００は、提供者デバイスが複数の論理チャネルを介してサービスを提供していると、加入者デバイスが決定することを可能にし得る。たとえば、提供者デバイスは、論理チャネル１５０を示すサービス告知１２０を送信することができる。加入者デバイスは、ページング時間枠の間に論理チャネル１５０の補助チャネル３６０に対応する第１の通信チャネル３０２を監視することができる。加入者デバイスは、ページングメッセージ１２８を受信することができ、ページングメッセージ１２８を受信したことに基づいて、提供者デバイスが加入者デバイスへ送信されるべきデータを有していると決定することができる。
【０２５９】
[0273]図１３を参照すると、動作の方法の特定の例が示されており、全体的に１７００と指定されている。方法１７００は、図１のシステム１００の電子デバイス１０４、１０６、１０８、１１０、および１１２のうちの少なくとも１つの加入者論理１３４によって実行され得る。
【０２６０】
[0274]方法１７００は、１３０２において、ページング時間枠の間に通信チャネルを介してページングメッセージが受信されているかどうかを決定することを含む。たとえば、第２のデバイス１０６の加入者論理１３４は、ページングメッセージ１２８が第１のページング時間枠３２０の間に第１の通信チャネル３０２を介して受信されているかどうかを決定することができる。
【０２６１】
[0275]方法１７００はまた、１３０４において、ページングメッセージが受信されていないと決定したことに応答して、データ送信時間枠の間、通信チャネルを監視するのを控えることを含む。たとえば、第２のデバイス１０６の加入者論理１３４は、図１および図３を参照して説明されるように、ページングメッセージ１２８が第１のページング時間枠３２０の間に受信されていないと決定したことに応答して、第１のデータ送信時間枠３２２の間、第１の通信チャネル３０２を監視するのを控えることができる。第１のデータ送信時間枠３２２は、第１の送信時間枠３４０の残りの部分に対応し得る。ある特定の態様では、第２のデバイス１０６のワイヤレスインターフェースは、第２のデバイス１０６が第１の通信チャネルを監視するのを控えていると決定したことに応答して、ページングメッセージ１２８を廃棄することができる。
【０２６２】
[0276]方法１７００はさらに、１３０６において、ページングメッセージが受信されていると決定したことに応答して、データ送信時間枠の間、通信チャネルを監視することを含む。たとえば、第２のデバイス１０６の加入者論理１３４は、図１および図３を参照して説明されるように、ページングメッセージ１２８が第１のページング時間枠３２０の間に受信されていると決定したことに応答して、第１のデータ送信時間枠３２２の間、第１の通信チャネル３０２を監視することができる。
【０２６３】
[0277]方法１７００はまた、１３０８において、データ送信時間枠の間に通信チャネルを介してデータを受信することを含む。たとえば、第２のデバイス１０６の加入者論理１３４は、図１および図３を参照して説明されるように、第１のデータ送信時間枠３２２の間に第１の通信チャネル３０２を介してデータ１２２を受信することができる。
【０２６４】
[0278]ある特定の態様では、方法１７００は、図１の論理チャネル１５０の各論理チャネルに対して実行され得る。たとえば、第２のデバイス１０６の加入者論理１３４は、論理チャネル１５０の複数の論理チャネルを監視することができる。ある特定の態様では、第１の論理チャネルの第１のページング時間枠は、第２の論理チャネルの第２のページング時間枠と重複し得る。この態様では、方法１７００は、第１の論理チャネルおよび第２の論理チャネルに対して同時に実行され得る。
【０２６５】
[0279]したがって、方法１７００は、加入者デバイスが、ページングメッセージを受信したことに基づいてデータ送信時間枠を監視するかどうかを決定することを可能にし得る。たとえば、加入者デバイスは、関連するページング時間枠の間、複数の論理チャネルに対応する１つまたは複数の通信チャネルを監視することができる。ページングメッセージは、提供者デバイスが加入者デバイスに送信されるべきデータを有することを示し得る。加入者デバイスは、ページングメッセージを受信したことに応答してデータ送信時間枠の間に通信チャネルを監視することができ、データ送信時間枠の間に提供者から通信チャネルを介してデータを受信することができる。代替的に、加入者デバイスは、ページングメッセージがページング時間枠の間に受信されていないと決定したことに応答して、データ送信時間枠の間、通信チャネルを監視するのを控えることによって、電力を節約することができる。
【０２６６】
[0280]図１４を参照すると、動作の方法の特定の例が示されており、全体的に１８００と指定されている。方法１８００は、図１のシステム１００の電子デバイス１０４、１０６、１０８、１１０、および１１２のうちの少なくとも１つの提供者論理１３０によって実行され得る。
【０２６７】
[0281]方法１８００は、１４０２において、近隣認識ネットワーク（ＮＡＮ）の第１の電子デバイスにおいて複数の論理チャネルのうちの論理チャネルを選択することを含む。論理チャネルは、複数の通信チャネルのうちの特定の通信チャネルを示すことがあり、複数の送信時間枠のうちの送信時間枠のセットを示すことがある。たとえば、第１のデバイス１０４の提供者論理１３０は、図１を参照して説明されるように、論理チャネル１５０を選択し得る。図３の補助チャネル３６０などの論理チャネルは、図１および図３を参照して説明されるように、複数の通信チャネルのうちの特定の通信チャネルを示すことがあり、複数の送信時間枠のうちの送信時間枠のセットを示すことがある。
【０２６８】
[0282]方法１８００はまた、１４０４において、第１の電子デバイスがＮＡＮの他の電子デバイスと通信するために利用可能であることを示すメッセージを生成することと、論理チャネルを特定することとを含む。たとえば、提供者論理１３０は、図１および図３を参照して説明されるように、図３の補助チャネル３６０などの論理チャネルを介して通信するのに第１のデバイス１０４が利用可能であることを示す、サービス告知１２０を生成することができる。サービス告知１２０は、図１０を参照して説明されるように、通信チャネルの第１のチャネル識別子１００４と、少なくとも１つの時間ブロックを示す第１の時間ブロックインデックス１０１０とを含み得る。
【０２６９】
[0283]方法１８００はさらに、１４０６において、メッセージをＮＡＮの第２の電子デバイスに送信することを含む。たとえば、第１のデバイス１０４の送受信機１３６は、図１を参照して説明されるように、サービス告知１２０を第２のデバイス１０６に送信することができる。
【０２７０】
[0284]いくつかの態様では、複数の論理チャネルのうちの第２の論理チャネルは、特定の通信チャネルを示し、複数の送信時間枠のうちの送信時間枠の第２のセットを示す。たとえば、補助チャネル４６０などの第２の論理チャネルは、図４を参照して説明されるように、複数の送信時間枠を示し得る。
【０２７１】
[0285]他の態様では、メッセージは複数の論理チャネルのうちの多数の論理チャネルを特定し、この多数の論理チャネルはその論理チャネルを含み、多数の論理チャネルの各々の特定の論理チャネルに対して、メッセージは特定の論理チャネルに対応する通信チャネルのチャネル識別子を含む。たとえば、図１のサービス告知１２０は、論理チャネル１５０のうちの多数の論理チャネルを特定することがあり、図７Ａの論理チャネル属性７４６を含むことがある。論理チャネル属性は、図７Ｂおよび図１０を参照して説明されるように、特定の論理チャネルに対応するＳＣリストフィールド７１６または第１のチャネル識別子１００４を含み得る。
【０２７２】
[0286]いくつかの態様では、メッセージは、第１の電子デバイスから利用可能なサービスを示すサービス告知を含み、サービスは、対応する論理チャネルを使用して提供される。たとえば、図１のサービス告知１２０は、第１のデバイス１０４から利用可能であるサービスを示す、図７Ａのサービス属性７４２を含み得る。サービスは、第１のデータリンクグループに関連する、補助チャネル３６０などの対応する論理チャネルを含み得る。
【０２７３】
[0287]他の態様では、方法１８００は、ビーコンメッセージまたはサービス発見メッセージを生成することを含む。メッセージは、ビーコンメッセージまたはサービス発見メッセージに含まれ、メッセージを送信することは、第１の通信チャネルの発見時間枠の間、ビーコンメッセージまたはサービス発見メッセージを第２の電子デバイスに送信することを含む。たとえば、図１の第１のデバイス１０４は、図１および図２を参照して説明されるように、サービス告知１２０を含むビーコンメッセージを生成し、ＮＡＮ通信チャネルの第１の発見時間枠２１０の間にビーコンメッセージを送信することができる。
【０２７４】
[0288]いくつかの態様では、メッセージは、第１の通信チャネルの第１の発見時間枠の間に送信される。発見期間は第１の発見時間枠の最後と第２の発見時間枠の最初の間の持続時間を含み、発見期間は複数の送信時間枠を含み、複数の送信時間枠のうちの第１の送信時間枠は第１の発見時間枠の最後からの第１のオフセットを有し、複数の送信時間枠のうちの第２の送信時間枠は第１の発見時間枠の最後からの第２のオフセットを有する。たとえば、サービス告知１２０は、第１の発見時間枠２１０の間に送信され得る。発見期間２４８は、第１の発見時間枠２１０の最後と第２の発見時間枠２１２の最初の間の持続時間を含み得る。
【０２７５】
[0289]他の態様では、メッセージは、第１の通信チャネルの第１の発見時間枠の間に送信される。発見期間は第１の発見時間枠の最後と第２の発見時間枠の最初の間の持続時間を含み、発見期間は複数の時間ブロックを含む。複数の時間ブロックの各時間ブロックは同じ持続時間を有し、複数の論理チャネルの特定のうちの論理チャネルは、発見期間の間、複数回発生する。たとえば、サービス告知１２０は、第１の発見時間枠２１０の間に送信され得る。発見期間２４８は、図２および図８を参照して説明されるように、図８の複数の時間ブロックを含み得る。
【０２７６】
[0290]他の態様では、送信時間枠のセットのうちの特定の送信時間枠は、複数の時間ブロックのうちの時間ブロックに対応する。メッセージは、通信チャネルを示すチャネル識別子を含み、メッセージはさらに、時間ブロックを示す時間ブロックインデックスを含む。たとえば、図２の第２の送信時間枠２４２は、図８のＴＢ２を含み、またはそれに対応し得る。図１のサービス告知１２０は、第１のチャネル識別子１００４を含むことがあり、図１０の第１の時間ブロックインデックス１０１０を含むことがある。
【０２７７】
[0291]いくつかの態様では、送信機はさらに、第２の発見時間枠の間に第２のメッセージを送信するように構成されてよく、第２のメッセージは特定の論理チャネルがネゴシエート可能であることを示す。たとえば、図１を参照すると、第１のデバイス１０４の送受信機１３６は、サービス告知１２０などの第２のサービス告知を、第２の発見時間枠２１２の間に送信することができる。サービス告知は、図１を参照して説明されるように、論理チャネル１５０のうちの論理チャネルを示し得る。加えて、受信機は、第２の発見時間枠の終了後に、第２の電子デバイスからネゴシエーションメッセージまたは接続要求を受信するように構成され得る。たとえば、送受信機１３６は、第２の発見時間枠２１２の終了後に、ネゴシエーションメッセージまたは接続要求を受信することができる。加えて、プロセッサはさらに、図１を参照して説明されるように、ネゴシエーションメッセージまたは接続要求に一部基づいて、ネゴシエートされた論理チャネルを決定するように構成され得る。たとえば、送受信機１３６は、図１を参照して説明されるように、第２の発見時間枠２１２の終了後にネゴシエーションメッセージを送信することができる。
【０２７８】
[0292]いくつかの態様では、時間ブロックインデックスは、複数の時間ブロックインデックスの木表現のノードに対応する。たとえば、図１０の第１の時間ブロックインデックス１０１０は、図８のリーフノード８０４に対応し得る。他の態様では、木表現は、複数の時間ブロックインデックスのバイナリ木表現を含む。たとえば、図８の木１１００は、図８および図９を参照して説明されるように、複数の時間ブロックインデックスのバイナリ木表現を含み得る。
【０２７９】
[0293]いくつかの態様では、メッセージは複数の時間ブロックインデックスを含む。複数の時間ブロックインデックスのうちの第１のインデックスは複数の時間ブロックのうちの第１の時間ブロックを示し、複数の時間ブロックインデックスのうちの第２のインデックスは複数の時間ブロックの連続する時間ブロックのセットを示す。たとえば、図１のサービス告知１２０は、図１０の第１の時間ブロックインデックス１０１０と第２の時間ブロックインデックス１０１４とを含み得る。第１の時間ブロックインデックス１０１０は、第１のＴＢインデックス１００６と第２のＴＢインデックス１００８とを含み得る。
【０２８０】
[0294]他の態様では、方法１８００は、別の電子デバイスがＮＡＮのデータリンクグループに参加したことに応答して、複数の時間ブロックの第１の時間ブロックを示し、第２の時間ブロックを示すように、複数の時間ブロックの第１のインデックスを更新することを含む。たとえば、第１のデバイス１０４は、図８のＴＢ２を示すように、第１の時間ブロックインデックス１０１０の第２のＴＢインデックス１００８を追加または更新することができる。
【０２８１】
[0295]いくつかの態様では、メッセージは、発見時間枠の間、ＮＡＮの第２の電子デバイスおよび第３の電子デバイスに送信される。第２の電子デバイスおよび第３の電子デバイスは、ＮＡＮのデータリンクグループに含まれる。たとえば、図１の第１のデバイス１０４は、第１の発見時間枠２１０の間、サービス告知１２０を第２のデバイス１０６および第３のデバイス１０８に送信することができる。第２のデバイス１０６および第３のデバイス１０８は、図１を参照して説明されるように、データリンクグループに含まれ得る。加えて、または代替的に、方法１８００は、第１の時間ブロックの間、第１のデータを第２の電子デバイスに送信することを含む。たとえば、第１のデバイス１０４は、図８のＴＢ２の間にデータ１２２を第２のデバイス１０６へ送信することができる。方法１８００はまた、第２の時間ブロックの間に第２のデータを第３の電子デバイスに送信することを含む。たとえば、第１のデバイス１０４は、図１および図８を参照して説明されるように、図８のＴＢ３の間に第２のデータを送信することができる。方法１８００はさらに、第３の時間ブロックの間に第３のデータを第２の電子デバイスおよび第３の電子デバイスへ送信することを含む。たとえば、第１のデバイス１０４は、図１および図８を参照して説明されるように、図８のＴＢ３１の間に第３のデータを第２のデバイス１０６および第３のデバイス１０８へ送信することができる。ある特定の態様では、第１の送信時間枠は、第２の送信時間枠と少なくとも部分的に重複する。たとえば、論理チャネル１５０の第１の論理チャネルの第１の送信時間枠は、図１を参照して説明されるように、第２の論理チャネルの第２の送信時間枠と少なくとも部分的に重複する。
【０２８２】
[0296]他の態様では、方法１８００は、発見時間枠の間に第１の通信チャネルを介して第２の電子デバイスから加入メッセージを受信することを含み、第１の通信チャネルは特定の通信チャネルと異なる。たとえば、図１の第１のデバイス１０４は、第１の発見時間枠２１０の間、ＮＡＮ通信チャネル２０２を介して第２のデバイス１０６から加入メッセージ１２４を受信することができる。第１の通信チャネル３０２と異なるＮＡＮ通信チャネル２０２。これらの態様では、方法１８００はまた、送信時間枠のセットのうちの特定の送信時間枠のページング時間枠の間、特定の通信チャネルを監視することを含む。特定の送信時間枠は、ページング時間枠とデータ時間枠とを含み、ページング時間枠は特定の送信時間枠の最初の部分を含み、データ時間枠は特定の送信時間枠の最後の部分を含む。たとえば、第１のデバイス１０４は、第１の送信時間枠２４０の第１のページング時間枠２２０の間に第１の通信チャネル３０２を監視することができる。
【０２８３】
[0297]いくつかの態様では、方法１８００は、第２の電子デバイスとの能力の交換の実行を開始することを含む。第１の電子デバイスによって能力の交換を実行することは、第１の能力メッセージを第２の電子デバイスに送信して第２の能力メッセージを第２の電子デバイスから受信すること、プローブ要求を第２の電子デバイスに送信してプローブ応答を第２の電子デバイスから受信すること、または、接続要求を第２の電子デバイスに送信して接続応答を第２の電子デバイスから受信することを含む。たとえば、図１の第１のデバイス１０４は、能力メッセージ１４４を第２のデバイス１０６に送信することができ、能力メッセージ１４６を第２のデバイス１０６から受信することができる。能力メッセージ１４４および能力メッセージ１４６は、図１を参照して説明されるように、プローブ要求と、プローブ応答と、接続要求と、接続応答とを含み得る。
【０２８４】
[0298]いくつかの態様では、方法１８００は、データを送信する前に、第２の電子デバイスとの能力の交換を実行することを含む。データは、第１の電子デバイスの第１の通信情報、第２の電子デバイスの第２の通信情報、または両方に基づいて送信され、第２の通信情報は、能力の交換の実行の間に受信される。たとえば、図１の第１のデバイス１０４は、第２のデバイス１０６との能力の交換を実行することができ、能力メッセージ１４４の第１の通信情報、能力メッセージ１４６の第２の通信情報、または両方に基づいてデータ１２２を送信することができる。
【０２８５】
[0299]したがって、方法１８００は、第１のデバイス１０４が、１つまたは複数の論理チャネルを使用して通信するために利用可能であることを告知するのを可能にし得る。方法１８００はまた、第１のデバイス１０４が、通信するのに第１のデバイス１０４が利用可能である論理チャネルの各々の特定の時間ブロックと、特定の時間ブロックの対応する通信チャネルとを示すことを可能にし得る。
【０２８６】
[0300]図１５を参照すると、動作の方法の特定の例が示されており、全体的に１９００と指定されている。方法１９００は、図１のシステム１００の電子デバイス１０４、１０６、１０８、１１０、および１１２のうちの少なくとも１つの加入者論理１３４によって実行され得る。
【０２８７】
[0301]方法１９００は、１５０２において、第１の発見時間枠の間に、複数の通信チャネルのうちの第１の通信チャネルを介して、近隣認識ネットワーク（ＮＡＮ）の第２の電子デバイスにおいてＮＡＮの第１の電子デバイスからメッセージを受信することを含む。このメッセージは、第１の電子デバイスが複数の論理チャネルのうちの論理チャネルを介して通信するために利用可能であることを示し得る。たとえば、第２のデバイス１０６は、図１を参照して説明されるように、第１のデバイス１０４からサービス告知１２０を受信し得る。サービス告知１２０は、第１のデバイス１０４が通信するのに利用可能であることを示し得る。サービス告知１２０は、図１０を参照して説明されるように、通信チャネルの第１のチャネル識別子１００４と、第１の時間ブロックインデックス１０１０とを含み得る。
【０２８８】
[0302]方法１９００はまた、１５０４において、加入メッセージを第１の電子デバイスに送信することを含み、加入メッセージは、加入者デバイスが通信に関心を示していることを示す。たとえば、図１の第２のデバイス１０６の加入者論理１３４は、図１を参照して説明されるように、１２４という加入メッセージを送信することができる。加えて、第２のデバイス１０６の加入者論理１３４は、図１０を参照して説明されるように、第１の時間ブロックインデックス１０１０に基づいて、複数の時間ブロックのうちの少なくとも１つの時間ブロックを決定することができる。
【０２８９】
[0303]したがって、方法１９００は、第１のデバイス１０４が１つまたは複数の通信チャネルを介して通信するのに利用可能であることを、第２のデバイス１０６が決定することを可能にし得る。方法１９００はまた、第２のデバイス１０６が、通信するのに第１のデバイス１０４が利用可能である通信チャネルの各々の特定の時間ブロックを決定することを可能にし得る。
【０２９０】
[0304]図１６を参照すると、動作の方法の特定の例が示されており、全体的に２０００と指定されている。方法２０００は、図１のシステム１００の電子デバイス１０４、１０６、１０８、１１０、および１１２のうちの少なくとも１つの提供者論理１３０によって実行され得る。
【０２９１】
[0305]方法２０００は、１６０２において、発見時間枠の間に、複数の通信チャネルのうちの第１の通信チャネルを介して、近隣認識ネットワーク（ＮＡＮ）の第２の電子デバイスにＮＡＮの第１の電子デバイスからメッセージを送信することを含む。このメッセージは、第１の電子デバイスが通信するために利用可能であることを示す。たとえば、第１のデバイス１０４の送受信機１３６は、図１を参照して説明されるように、サービス告知１２０を第２のデバイス１０６に送信することができる。別の例として、第１のデバイス１０４の送受信機１３６は、第２のデバイス１０６および第３のデバイス１０８などのＮＡＮの複数のデバイスにサービス告知１２０を送信（ブロードキャストまたはマルチキャスト）することができる。サービス告知１２０は、図１および図３を参照して説明されるように、図３の補助チャネル３６０などの論理チャネルを介して通信するのに第１のデバイス１０４が利用可能であることを示し得る。加えて、サービス告知１２０は、図１０を参照して説明されるように、通信チャネルの第１のチャネル識別子１００４と、少なくとも１つの時間ブロックを示す第１の時間ブロックインデックス１０１０とを含み得る。
【０２９２】
[0306]方法２０００はさらに、１６０４において、送信時間枠の第１のページング時間枠の間に、複数の通信チャネルのうちの第２の通信チャネルを監視することを含む。たとえば、図１の第１のデバイス１０４の提供者論理１３０は、図１０を参照して説明されるように、少なくとも１つの時間ブロックの間、通信チャネルを監視することができる。第１のページング時間枠は送信時間枠の最初の部分を含み、ＮＡＮの電子デバイスは第１のページング時間枠の間アクティブ状態にある。
【０２９３】
[0307]いくつかの実装形態では、方法２０００は、第１のページング時間枠の間にページングメッセージが第１の電子デバイスによって送信または受信されていないと決定したことに応答して、送信時間枠のデータ時間枠の間に低電力モードに入ることを含む。データ時間枠は、第１のページング時間枠の終了後に開始する。たとえば、図１の第１のデバイス１０４は、図１および図２を参照して説明されるように、ページングメッセージ１２８が第１のデバイス１０４によって送信または受信されていないと決定したことに応答して、図２の第１のデータ送信時間枠２２２の間に低電力モードに入ることができる。
【０２９４】
[0308]いくつかの実装形態では、方法２０００は、第１のページング時間枠の間にページングメッセージを送信することを含む。ページングメッセージは、第１の電子デバイスが第２の電子デバイスへ送信すべきデータを有することを示し、ページングメッセージは、アドホックトラフィック指示メッセージ（ＡＴＩＭ）、トラフィック指示マップ（ＴＩＭ）、ブルームフィルタ、または媒体アクセス制御（ＭＡＣ）アドレスリストのうちの少なくとも１つを含む。たとえば、図１の第１のデバイス１０４は、第１のページング時間枠２２０の間にページングメッセージ１２８を送信することができる。図１を参照して説明されるように、ページングメッセージ１２８は、第１のデバイス１０４が第２のデバイス１０６へ送信すべきデータ１２２を有することを示すことができ、ページングメッセージ１２８は、ＡＴＩＭ、ＴＩＭ、ブルームフィルタ、またはＭＡＣアドレスリストの少なくともを含み得る。
【０２９５】
[0309]いくつかの実装形態では、方法２０００は、第１の電子デバイスが第２の電子デバイスに送信されるべきデータを有するかどうかを決定することを含む。たとえば、図１の第１のデバイス１０４の提供者論理１３０は、第１のデバイスが第２のデバイス１０６へ送信すべきデータ１２２を有するかどうかを決定することができる。方法２０００はまた、第１の電子デバイスが送信されるべきデータを有すると決定したことに応答して、第１のページング時間枠の間に第２の通信チャネルを介してページングメッセージを第２の電子デバイスに送信すること、または、第１の電子デバイスが送信されるべきデータを有しないと決定したことに応答して、データ時間枠の間に低電力モードに入ることを含み得る。たとえば、図１および図２を参照して説明されるように、第１のデバイス１０４は、第１のデバイスがデータ１２２を有すると決定したことに応答して、ページングメッセージ１２８を第２のデバイス１０６に送信することができ、または、第１のデバイスは、第１のデバイス１０４がデータ１２２を有しないと決定したことに応答して、図２の第１のデータ送信時間枠２２２の間に低電力モードに入ることができる。
【０２９６】
[0310]いくつかの実装形態では、方法２０００は、発見時間枠の間に第１の通信チャネルを監視することを含む。たとえば、図１の第１のデバイス１０４は、図２の第１の発見時間枠２１０の間にＮＡＮ通信チャネルを監視することができる。方法２０００はまた、発見時間枠の間に加入メッセージを第２の電子デバイスから受信することを含み、加入メッセージは、第２の電子デバイスが通信に関心を示していることを示す。たとえば、図１を参照して説明されるように、第１のデバイス１０４は、第２のデバイス１０６から加入メッセージを受信することができ、加入メッセージは、第２のデバイス１０６が通信に関心を示していることを示す。
【０２９７】
[0311]いくつかの実装形態では、加入メッセージは、第２の電子デバイスの媒体アクセス制御（ＭＡＣ）アドレスを含む。たとえば、図１の加入メッセージ１２４は、図１を参照して説明されるように、ＭＡＣアドレスを含み得る。方法２０００は、ＭＡＣアドレスに基づいて、インターネットプロトコル（ＩＰ）アドレスを生成することを含み得る。たとえば、第１のデバイス１０４は、図１を参照して説明されるように、ＭＡＣアドレスに基づいてＩＰアドレスを生成することができる。方法２０００はまた、ＩＰアドレスに基づいて、第２の電子デバイスにページングメッセージを送信することを含む。たとえば、第１のデバイス１０４は、ＩＰアドレスに基づいて、ページングメッセージ１２８を第２のデバイス１０６に送信することができる。方法２０００はさらに、ＩＰアドレスに基づいてデータを第２の電子デバイスに送信することを含み、データは送信時間枠のデータ時間枠の間に送信される。第１のページング時間枠の最後は、データ時間枠の最初に対応する。たとえば、第１のデバイスは、図１および図２を参照して説明されるように、第１の送信時間枠２４０の第１のデータ送信時間枠２２２の間にデータ１２２を第２のデバイス１０６に送信することができる。
【０２９８】
[0312]いくつかの実装形態では、方法２０００は、第２の電子デバイスからトリガフレームを受信することを含み、トリガフレームは、第２の電子デバイスがデータを受信するのに利用可能であることを示す。トリガフレームは、第２の電子デバイスがデータを受信する予定であることを示すページングメッセージに応答するものである。たとえば、図１を参照して説明されるように、図１の第１のデバイス１０４は、第２のデバイスがデータ１２２を受信するのに利用可能であることを示すトリガフレームを受信することができ、トリガフレームはページングメッセージ１２８に応答したものである。方法２０００はまた、トリガフレームを受信したことに応答して、送信時間枠のデータ時間枠の間にデータを第２の電子デバイスに送信することを含む。たとえば、第１のデバイス１０４は、図１および図２を参照して説明されるように、トリガフレームを受信したことに応答して、第１の送信時間枠２４０の第１のデータ送信時間枠２２２の間にデータ１２２を第２のデバイス１０６に送信することができる。ある特定の態様では、第１のデータ時間枠は、図２のタイミング図２００を参照して説明されるように、第１の送信時間枠の最後の部分に対応する。
【０２９９】
[0313]いくつかの実装形態では、方法２０００は、第１の電子デバイスが第１のページング時間枠の間に第２の通信チャネルを介してページングメッセージを送信することが可能であるかどうかを決定することを含む。第２の通信チャネルは、第１のページング時間枠の間に使用されている。たとえば、図１の第１のデバイス１０４の提供者論理１３０は、第１のデバイスが第１のページング時間枠２２０の間に第１の通信チャネルを介してページングメッセージ１２８を送信することが可能であるかどうかを決定することができる。方法はまた、第１の電子デバイスが第１のページング時間枠の間にページングメッセージを送信することが可能ではないと決定したことに応答して、第２の送信時間枠の第２のページング時間枠の間に第２の通信チャネルを介してページングメッセージを送信することを含む。第２のページング時間枠は、第２の送信時間枠の最初の部分を含む。たとえば、第１のデバイス１０４は、第１のデバイス１０４が第１のページング時間枠２２０の間にページングメッセージ１２８を送信することが可能ではないと決定したことに応答して、第２の送信時間枠２４２の第２のページング時間枠２２４の間にページングメッセージ１２８を送信することができる。ある特定の態様では、第２のページング時間枠は、図２のタイミング図２００を参照して説明されるように、第２の送信時間枠の最初の部分に対応する。
【０３００】
[0314]いくつかの実装形態では、方法２０００は、第１の通信チャネルの発見時間枠の間に同期ビーコンを送信することを含み、同期ビーコンは、第１の電子デバイスの第１のクロックを第２の電子デバイスの第２のクロックと同期するように構成される。たとえば、図１を参照して説明されるように、図１の第１のデバイス１０４は、第１の発見時間枠２１０の間に同期ビーコンを送信することができ、同期ビーコンは、第１のデバイスの第１のクロックを第３のデバイス１０８の第２のクロックと同期するように構成される。加えて、または代替的に、第１のデバイス１０４のプロセッサは、同期ビーコンに基づいて、第１のデバイス１０４の第１のクロックを第２のデバイス１０６の第２のクロックと同期するように構成され得る。方法２０００はまた、第１のページング時間枠の最初からのオフセットを示す第１の値を生成することを含み得る。たとえば、第１のデバイス１０４は、図１を参照して説明されるように、乱数生成器を使用して第１の値をランダムに生成することができる。方法２０００はさらに、第１の値に基づいて、第１のページング時間枠の間の第１の時間においてページングメッセージの送信を開始することを含み得る。たとえば、第１のデバイス１０４は、図１を参照して説明されるように、第１のページング時間枠２２０の間の第１の時間においてページングメッセージ１２８の送信を開始することができる。
【０３０１】
[0315]いくつかの実装形態では、方法２０００は第１の値を生成することを含み、第１の値は第１の電子デバイスによってランダムに生成される。第１の値は、第１のデバイスがページングメッセージを送信すべき、第１のページング時間枠の間の第１の時間を示す。たとえば、図１および図２を参照すると、第１のデバイス１０４は、第１のデバイス１０４がページングメッセージ１２８を送信すべき第１のページング時間枠２２０の間の第１の時間を示す、乱数値または疑似乱数値を生成することができる。方法２０００は、第２の通信チャネルが第１の時間において使用されていると決定したことに応答して、第１の値を第２の値に更新することを含む。第２の値は、第１の値より小さく、第２の送信時間枠の第２のページング時間枠の最初からの第２のオフセットを示す。方法２０００はさらに、第２の値に基づいて、第２のページング時間枠の間の第２の時間においてページングメッセージを送信することを含む。たとえば、図１および図２を参照すると、第１のデバイス１０４は、第２の乱数値または第２の疑似乱数値を生成することができ、第１のデバイスは、第２の乱数値（または第２の疑似乱数値）に基づいて第１の乱数値（または疑似乱数値）を更新することができる。更新された値は、第１のデバイス１０４がページングメッセージ１２８を送信すべき、第２のページング時間枠２２４の間の第２の時間を示し得る。
【０３０２】
[0316]ある特定の実装形態では、メッセージは、複数の通信チャネルを介して、サービスを示しサービスの利用可能性を示すサービス告知を含み得る。メッセージは、第１の通信チャネルを介してＮＡＮの第３の電子デバイスにマルチキャストされ、第１の通信チャネルは、ＮＡＮ通信チャネルを含む。たとえば、図１の第１のデバイス１０４は、図１を参照して説明されるように、ＮＡＮ通信チャネルを介して、サービス告知１２０を第２のデバイス１０６および第３のデバイス１０８にマルチキャストすることができる。サービス告知１２０は、図１を参照して説明されるように、サービスとサービスの利用可能性とを示すサービス告知を含み得る。
【０３０３】
[0317]ある特定の実装形態では、メッセージはさらに、複数の論理チャネルのうちの論理チャネルを介して通信するのに第１の電子デバイスが利用可能であることを示すことができ、複数の論理チャネルのうちの特定の論理チャネルは、複数の通信チャネルのうちの特定の通信チャネルと、複数の送信時間枠のうちの送信時間枠の特定のセットとを示す。たとえば、図１のサービス告知１２０は、図１および図３を参照して説明されるように、図３の補助チャネル３６０などの第１の論理チャネルを介して通信するのに第１のデバイス１０４が利用可能であることを示し得る。補助チャネル３６０は、図３を参照して説明されるように、第１の通信チャネル３０２の第１の送信時間枠３４０と第２の送信時間枠３４２とを示し得る。
【０３０４】
[0318]送信機は、第２の発見時間枠の間に第２のメッセージを送信するように構成され得る。たとえば、図１を参照すると、第１のデバイス１０４の送受信機１３６は、サービス告知１２０などの第２のサービス告知を、第２の発見時間枠２１２の間に送信することができる。サービス告知１２０は、論理チャネルのうちの特定の論理チャネルを示さないことがある。加えて、受信機は、第２の電子デバイスからサービス発見補足メッセージを受信するように構成されてよく、サービス発見補足メッセージは、第２のメッセージのサービスのスケジュール情報を要求する。たとえば、送受信機１３６は、図１を参照して説明されるように、第２のメッセージのサービスのスケジュール情報を要求するサービス発見補足メッセージを受信し得る。加えて、送信機はさらに、第２の電子デバイスにネゴシエーションメッセージを送信するように構成されてよく、ネゴシエーションメッセージはスケジュール情報を示す。たとえば、送受信機１３６は、図１を参照して説明されるように、論理チャネル１５０のうちの特定の論理チャネルを示すネゴシエーションメッセージを送信し得る。
【０３０５】
[0319]したがって、方法２０００は、第１のデバイス１０４が、１つまたは複数の論理チャネルを介して通信するために利用可能であることを告知するのを可能にし得る。方法２０００はまた、ページングメッセージを送信し、通信チャネルを監視していないときに電力を節約するために低電力モードを利用することによって、第１のデバイス１０４がより効率的に通信することを可能にし得る。
【０３０６】
[0320]図１７を参照すると、動作の方法の特定の例が示されており、全体的に２１００と指定されている。方法２１００は、図１のシステム１００の電子デバイス１０４、１０６、１０８、１１０、および１１２のうちの少なくとも１つの加入者論理１３４によって実行され得る。
【０３０７】
[0321]方法２１００は、１７０２において、第１の発見時間枠の間に、複数の通信チャネルのうちの第１の通信チャネルを介して、近隣認識ネットワーク（ＮＡＮ）の第２の電子デバイスからＮＡＮの第１の電子デバイスに加入メッセージを送信することを含む。たとえば、図１の第２のデバイス１０６の加入者論理１３４は、図１を参照して説明されるように、１２４という加入メッセージを第１の電子デバイスに送信することができる。加入メッセージは、第２の電子デバイスが通信に関心を持っていることを示し得る。たとえば、加入メッセージ１２４は、第１のデバイス１０４と通信することに第２のデバイス１０６が関心を示していることを示し得る。加えて、第２のデバイス１０６の加入者論理１３４は、図１０を参照して説明されるように、第１の時間ブロックインデックス１０１０に基づいて、複数の時間ブロックのうちの少なくとも１つの時間ブロックを決定することができる。
【０３０８】
[0322]方法２１００はまた、１７０４において、送信時間枠のページング時間枠の間に、複数の通信チャネルのうちの第２の通信チャネルを監視することを含む。たとえば、図１の第２のデバイス１０６の加入者論理１３４は、図２の第１のページング時間枠２２０の間に通信チャネルを監視することができる。ページング時間枠は送信時間枠の最初の部分を含むことがあり、ＮＡＮの電子デバイスは第１のページング時間枠の間アクティブ状態であることがある。たとえば、図２を参照して説明されるように、第１のページング時間枠は第１の送信時間枠２４０の最初の部分であることがあり、図１および図２を参照して説明されるように、図１のシステム１００の電子デバイス１０４、１０６、１０８、１１０、および１１２は第１のページング時間枠２２０の間はアクティブ状態であることがある。加えて、図１０を参照して説明されるように、第１の送信時間枠２４０は、送信時間枠のセットに含まれることがあり、時間ブロックを含み、またはそれに対応することがある。
【０３０９】
[0323]いくつかの実装形態では、方法２１００は、ページング時間枠の間に第２の通信チャネルを介して第１の電子デバイスから第１のページングメッセージを受信することを含むことがあり、第１のページングメッセージは、第１の電子デバイスが第２の電子デバイスへ送信すべきデータを有することを示す。たとえば、図１の第２のデバイス１０６は、図２の第１のページング時間枠２２０の間、第１の通信チャネルを介して第１のデバイス１０４からページングメッセージ１２８を受信することができる。ページングメッセージ１２８は、図１を参照して説明されるように、第１のデバイス１０４が第２のデバイス１０６へ送信すべきデータ１２２を有することを示し得る。方法２１００はまた、第１のページングメッセージを受信したことに応答して、第２の電子デバイスから第１の電子デバイスにトリガフレームを送信することを含み得る。たとえば、第２のデバイス１０６は、図１を参照して説明されるように、ページングメッセージ１２８を受信したことに応答して、トリガフレームを第１のデバイス１０４に送信することができる。方法２１００はさらに、データ時間枠の間に第２の通信チャネルを監視することを含み得る。ページング時間枠の最後は、データ時間枠の最初に対応する。たとえば、第２のデバイスは、第１のデータ送信時間枠２２２の間に第１の通信チャネルを監視することができる。方法２１００はさらに、データ時間枠の間に第２の通信チャネルを介して第１の電子デバイスからデータを受信することを含み得る。データ時間枠は、送信時間枠の最後の部分に対応する。たとえば、第２のデバイス１０６は、図１および図２を参照して説明されるように、第１のデータ送信時間枠２２２の間に第１の通信チャネルを介して第１のデバイス１０４からデータ１２２を受信することができる。
【０３１０】
[0324]いくつかの実装形態では、第１のページングメッセージは、第１のサービス品質（ＱｏＳ）インジケータを含むことがあり、第１のＱｏＳインジケータは、ビデオデータ、音声データ、バックグラウンドデータ、またはこれらの組合せをデータが含むことを示す。たとえば、ページングメッセージ１２８は、図１を参照して説明されるように、ビデオデータ、音声データ、バックグラウンドデータ、またはこれらの組合せをデータが含むことを示す、第１のＱｏＳインジケータを含み得る。
【０３１１】
[0325]他の実装形態では、方法２１００は、第２のＱｏＳインジケータを含む第２のページングメッセージを受信することを含み得る。第１のＱｏＳインジケータは第１のデータタイプを特定し、第２のＱｏＳインジケータは第２のデータタイプを特定する。たとえば、図１の第２のデバイス１０６は、第２のＱｏＳインジケータを含む第２のページングメッセージを第３のデバイス１０８から受信することができる。方法２１００はまた、第１のＱｏＳインジケータに基づいて、第２のページングメッセージよりも第１のページングメッセージを優先することを含み得る。たとえば、第２のデバイス１０６は、図１を参照して説明されるように、第１のＱｏＳインジケータに基づいて、第２のページングメッセージよりも第１のページングメッセージを優先することができる。方法２１００はさらに、第２のページングメッセージに応答して第２のトリガフレームを送信する前に、第１のページングメッセージに応答して第１のトリガフレームを送信することを含み得る。たとえば、第２のデバイス１０６は、図２を参照して説明されるように、第２のページングメッセージに応答して第２のトリガフレームを送信する前に、第１のトリガフレーム応答をページングメッセージ１２８に送信することができる。ある特定の実装形態では、トリガフレームは、図１を参照して説明されるように、節電ポール（ＰＳ−ＰＯＬＬ）メッセージ、サービス品質ヌル（ＱｏＳ＿ＮＵＬＬ）フレーム、ＡＴＩＭフレーム、またはアクションフレームのうちの少なくとも１つを含む。
【０３１２】
[0326]いくつかの実装形態では、方法２１００は、ページング時間枠の間に第２の通信チャネルを介して第１の電子デバイスから第１のページングメッセージを受信することを含み得る。第１のページングメッセージは、第１の電子デバイスが第２の電子デバイスへ送信すべきデータを有することを示す。たとえば、図１の第２のデバイス１０６は、第１のページング時間枠２２０の間、第１の通信チャネル３０２を介して第１のデバイス１０４からページングメッセージ１２８を受信することができる。方法２１００はまた、第２の電子デバイスがデータを受信する予定であることを第１のページングメッセージが示さないことを、第２の電子デバイスによって決定することを含み得る。方法２１００はさらに、第２の電子デバイスがデータを受信する予定であることを第１のページングメッセージが示さないことと、送信時間枠のデータ時間枠の間に低電力モードに入ることとを含み得る。たとえば、図１の第２のデバイス１０６は、図１および図２を参照して説明されるように、第２のデバイス１０６がデータを受信する予定であることをページングメッセージ１２８が示さないと決定することができ、第１のデータ送信時間枠２２２の間に低電力モードに入ることができる。
【０３１３】
[0327]したがって、方法２１００は、第１のデバイス１０４が１つまたは複数の通信チャネルを介して通信するのに利用可能であることを、第２のデバイス１０６が決定することを可能にし得る。方法２１００はまた、告知されたサービスに対する関心を第２のデバイス１０６が示すことを可能にし得る。
【０３１４】
[0328]図１８を参照すると、ワイヤレス通信デバイスの特定の例示的な態様が示されており、全体的に２２００と指定されている。デバイス２２００は、メモリ１８３２に結合されたデジタル信号プロセッサなどのプロセッサ１８１０を含む。ある例示的な態様では、デバイス２２００、またはそのコンポーネントは、図１の電子デバイス１０４、１０６、１０８、および１１０のうちの少なくとも１つ、またはこれらのコンポーネントに対応し得る。プロセッサ１８１０は、提供者論理１３０、加入者論理１３４、または両方を含み得る。
【０３１５】
[0329]非一時的コンピュータ可読媒体またはコンピュータ可読記憶デバイスなどのメモリ１８３２は、対応付けデータ１２００と命令１８６８とを含み得る。ある特定の態様では、メモリ１８３２は、プロセッサ１８１０によって実行されると、プロセッサ１８１０に、図１１Ａ、図１１Ｂ、および図１２〜図１７の方法１４００、１５００、１６００、１７００、１８００、１９００、２０００、および２１００の１つまたは複数を実行させる命令１８６８などの命令を記憶する、コンピュータ可読記憶デバイスである。ある特定の態様では、メモリ１８３２はまた、提供者論理１３０、加入者論理１３４、またはこれらの組合せを含み、またはこれらに対応することがある。
【０３１６】
[0330]プロセッサ１８１０は、ソフトウェアを実行するように構成され得る。ソフトウェアは、メモリ１８３２に記憶された１つまたは複数の命令１８６８のプログラムを含み、またはそれに対応することがある。加えて、または代替的に、プロセッサ１８１０は、ＩＥＥＥ８０２．１１に適合するインターフェースなどのワイヤレスインターフェース１８４０のメモリに記憶された１つまたは複数の命令を実施するように構成され得る。たとえば、ワイヤレスインターフェース１８４０は、１つまたは複数のＩＥＥＥ  ８０２．１１規格と１つまたは複数のＮＡＮ規格とを含む、１つまたは複数のワイヤレス通信規格に従って動作するように構成され得る。ある特定の態様では、プロセッサ１８１０は、図１〜図１７を参照して説明された１つまたは複数の動作または方法を実行するように構成され得る。たとえば、プロセッサ１８１０は、図１のサービス告知１２０を生成し、図２のＮＡＮ通信チャネル２０２を介してサービス告知１２０を送信（または受信）するように構成され得る。プロセッサ１８１０は、図１の加入メッセージ１２４を受信（または送信）するように構成され得る。プロセッサ１８１０は、１つまたは複数の関連するページング時間枠の間、１つまたは複数の通信チャネルを監視するように構成され得る。プロセッサ１８１０は、１つまたは複数の関連するデータ送信時間枠の間、１つまたは複数の通信チャネルを介して送信（または受信）するように構成され得る。プロセッサ１８１０は、１つまたは複数の関連するデータ送信時間枠の間、１つまたは複数の通信チャネルを監視するのを控えるように構成され得る。
【０３１７】
[0331]ワイヤレスインターフェース１８４０は、プロセッサ１８１０とアンテナ１８４２とに結合され得る。たとえば、ワイヤレスインターフェース１８４０は、アンテナ１８４２アンドを介して受信されたワイヤレスデータがプロセッサ１８１０に提供され得るように、送受信機１３６を介してアンテナ１８４２に結合され得る。
【０３１８】
[0332]コーダ／デコーダ（コーデック）１８３４も、プロセッサ１８１０に結合され得る。スピーカー１８３６およびマイクロフォン１８３８がコーデック１８３４に結合され得る。ディスプレイコントローラ１８２６がプロセッサ１８１０とディスプレイデバイス１８２８とに結合され得る。ある特定の態様では、プロセッサ１８１０、ディスプレイコントローラ１８２６、メモリ１８３２、コーデック１８３４、およびワイヤレスインターフェース１８４０は、システムインパッケージまたはシステムオンチップデバイス１８２２に含まれる。ある特定の態様では、入力デバイス１８３０および電源１８４４が、システムオンチップデバイス１８２２に結合される。その上、ある特定の態様では、図１１に示されるように、ディスプレイデバイス１８２８、入力デバイス１８３０、スピーカー１８３６、マイクロフォン１８３８、アンテナ１８４２、および電源１８４４は、システムオンチップデバイス１８２２の外部にある。しかしながら、ディスプレイデバイス１８２８、入力デバイス１８３０、スピーカー１８３６、マイクロフォン１８３８、アンテナ１８４２、および電源１８４４の各々は、１つまたは複数のインターフェースまたはコントローラなどのシステムオンチップデバイス１８２２の１つまたは複数のコンポーネントに結合され得る。ある特定の態様では、デバイス２２００は、通信デバイス、音楽プレーヤ、ビデオプレーヤ、エンターテインメントユニット、ナビゲーションデバイス、携帯情報端末（ＰＤＡ）、モバイルデバイス、コンピュータ、デコーダ、またはセットトップボックスのうちの少なくとも１つを含み得る。
【０３１９】
[0333]説明される態様に関連して、装置は、近隣認識ネットワーク（ＮＡＮ）の第１の電子デバイスがＮＡＮの他の電子デバイスと通信するのに利用可能であることを示し、複数の論理チャネルのうちの論理チャネルを特定するメッセージを生成するための手段を含み、論理チャネルは、複数の通信チャネルのうちの特定の通信チャネルを示し、複数の送信時間枠のうちの送信時間枠のセットを示す。たとえば、生成するための手段は、提供者論理１３０、電子デバイス１０４、１０６、１０８、１１０、および１１２の１つまたは複数、命令１８６８を実行するようにプログラムされるプロセッサ１８１０、メッセージを生成するように構成される１つまたは複数の他のデバイス、回路、モジュール、もしくは命令、またはこれらの任意の組合せを含み得る。
【０３２０】
[0334]装置はまた、ＮＡＮの第２の電子デバイスにメッセージを送信するための手段を含む。たとえば、送信するための手段は、送受信機１３６、メッセージを送信するように構成される１つまたは複数の他のデバイス、回路、モジュール、もしくは命令、またはこれらの任意の組合せを含み得る。
【０３２１】
[0335]ある特定の態様では、メッセージは第１の通信チャネルの発見時間枠の間に送信され、装置はさらに、発見時間枠の後で第２の電子デバイスからネゴシエーションメッセージを受信するための手段を含む。装置はさらに、ネゴシエーションメッセージに一部基づいて、ネゴシエートされた論理チャネルを決定するための手段を含む。ネゴシエーションメッセージを受信するための手段は、送受信機１３６、メッセージを送信するように構成される１つまたは複数の他のデバイス、回路、モジュール、もしくは命令、またはこれらの任意の組合せを含む。ネゴシエーションメッセージに基づいてネゴシエートされた論理チャネルを決定するための手段は、提供者論理１３０、加入者論理１３４、電子デバイス１０４、１０６、１０８、１１０、および１１２の１つまたは複数、命令１８６８を実行するようにプログラムされるプロセッサ１８１０、メッセージを生成するように構成される１つまたは複数の他のデバイス、回路、モジュール、もしくは命令、またはこれらの任意の組合せを含み得る。
【０３２２】
[0336]さらに、説明された態様に関連して、第２の装置は、近隣認識ネットワーク（ＮＡＮ）の第１の電子デバイスからメッセージを受信するための手段を含む。たとえば、受信するための手段は、送受信機１３６、メッセージを受信するように構成される１つまたは複数の他のデバイス、回路、モジュール、もしくは命令、またはこれらの任意の組合せを含み得る。図１のサービス告知１２０などのメッセージは、複数の論理チャネル、すなわち図１の論理チャネル１５０を介して通信するのに利用可能であることを示すデータを含み得る。
【０３２３】
[0337]第２の装置はまた、第１の電子デバイスに加入メッセージを送信するための手段を含む。たとえば、送信するための手段は、送受信機１３６、加入メッセージを送信するように構成される１つまたは複数の他のデバイス、回路、モジュール、もしくは命令、またはこれらの任意の組合せを含み得る。加入メッセージ１２４などの加入メッセージは、通信するために利用可能であることを示し得る。
【０３２４】
[0338]第２の装置はさらに、ある特定のページング時間枠の間、第１の通信チャネルを監視するための手段を含む。たとえば、監視するための手段は、加入者論理１３４、電子デバイス１０４、１０６、１０８、１１０、および１１２の１つまたは複数、命令１８６８を実行するようにプログラムされるプロセッサ１８１０、第１の論理チャネルを選択して第１の通信チャネルを監視するように構成される１つまたは複数の他のデバイス、回路、モジュール、もしくは命令、またはこれらの任意の組合せを含み得る。図３の第１の通信チャネル３０２などの第１の通信チャネルは、図１の論理チャネル１５０などの複数の論理チャネルの、図３の補助チャネル３６０などの第１の論理チャネルに対応し得る。第１の論理チャネルは、図３の第１の送信時間枠３４０などの１つまたは複数の送信時間枠を含み、インジケータし、またはそれに対応することがある。図３の第１のページング時間枠３２０などの特定のページング時間枠は、１つまたは複数の送信時間枠のうちの第１の送信時間枠の最初の部分に対応する。
【０３２５】
[0339]さらに、説明された態様に関連して、第３の装置は、近隣認識ネットワーク（ＮＡＮ）の提供者デバイスにおいて、サービスを記述する第１の属性とＮＡＮデータリンクグループを記述する第２の属性とを含むメッセージを生成するための手段を含み、第１の属性は第２の属性を特定するインジケータを含む。たとえば、生成するための手段は、提供者論理１３０を実行するプロセッサ１８１０に対応し得る。
【０３２６】
[0340]第３の装置はさらに、メッセージの送信のための手段を含む。送信のための手段は、ワイヤレスインターフェース１８４０、送受信機１３６、アンテナ１８４２、またはこれらの組合せを含み得る。
【０３２７】
[0341]さらに、説明された態様に関連して、第４の装置は、通信チャネルと複数の時間ブロックのうちの少なくとも１つの時間ブロックとを示す論理チャネルを介して通信するのに特定のデバイスが利用可能であることを示すメッセージを生成するための手段を含む。たとえば、生成するための手段は、提供者論理１３０、プロセッサ１８１０、メッセージを生成するように構成される１つまたは複数の他のデバイス、回路、モジュール、もしくは命令、またはこれらの任意の組合せを含み得る。通信チャネルの、図１０の第１のチャネル識別子１００４などのチャネル識別子と、少なくとも１つの時間ブロックを示す、図１０の第１の時間ブロックインデックス１０１０などの少なくとも１つの時間ブロックインデックスとを含む、メッセージ。
【０３２８】
[0342]第４の装置はまた、メッセージを送信するための手段を含む。たとえば、送信するための手段は、ワイヤレスインターフェース１８４０、送受信機１３６、アンテナ１８４２、メッセージを送信するように構成される１つまたは複数の他のデバイス、回路、モジュール、もしくは命令、またはこれらの組合せを含み得る。
【０３２９】
[0343]さらに、説明された態様に関連して、第５の装置は、特定のデバイスからメッセージを受信するための手段を含む。たとえば、受信するための手段は、ワイヤレスインターフェース１８４０、送受信機１３６、アンテナ１８４２、メッセージを受信するように構成される１つまたは複数の他のデバイス、回路、モジュール、もしくは命令、またはこれらの組合せを含み得る。サービス告知１２０などのメッセージは、第１のデバイス１０４などの特定のデバイスが通信するのに利用可能であることを示し得る。メッセージは、通信チャネルの、第１のチャネル識別子１００４などのチャネル識別子と、第１の時間ブロックインデックス１０１０などの少なくとも１つの時間ブロックインデックスとを含み得る。
【０３３０】
[0344]第５の装置はまた、複数の時間ブロックのうちの少なくとも１つの時間ブロックの間、通信チャネルを監視するための手段を含む。たとえば、監視するための手段は、加入者論理１３４、プロセッサ１８１０、メッセージを受信するように構成される１つまたは複数の他のデバイス、回路、モジュール、もしくは命令、またはこれらの組合せを含み得る。少なくとも１つの時間ブロックは、第１の時間ブロックインデックス１０１０などの少なくとも１つの時間ブロックインデックスに基づき得る。
【０３３１】
[0345]開示される態様の１つまたは複数は、通信デバイス、固定位置データユニット、モバイル位置データユニット、携帯電話、セルラー電話、衛星電話、コンピュータ、タブレット、ポータブルコンピュータ、ディスプレイデバイス、メディアプレーヤ、またはデスクトップコンピュータを含み得る、デバイス２２００などのシステムまたは装置において実装され得る。代替的に、または加えて、デバイス２２００は、セットトップボックス、エンターテインメントユニット、ナビゲーションデバイス、携帯情報端末（ＰＤＡ）、モニタ、コンピュータモニタ、テレビジョン、チューナー、ラジオ、衛星ラジオ、音楽プレーヤ、デジタル音楽プレーヤ、ポータブル音楽プレーヤ、ビデオプレーヤ、デジタルビデオプレーヤ、デジタルビデオディスク（ＤＶＤ）プレーヤ、ポータブルデジタルビデオプレーヤ、衛星、車両、プロセッサを含むか、または、データもしくはコンピュータ命令を記憶し、もしくは取り出す、任意の他のデバイス、あるいは、これらの組合せの中の、システムまたはコンポーネントを含み得る。別の例示的な、非限定的な例として、システムまたは装置は、ハンドヘルドパーソナル通信システム（ＰＣＳ）ユニットなどのリモートユニット、全地球測位システム（ＧＰＳ）対応デバイスなどのポータブルデータユニット、メーター読取り機器、あるいは、プロセッサを含むか、または、データもしくはコンピュータ命令を記憶し、もしくは取り出す、任意の他のデバイス、あるいはこれらの任意の組合せを含み得る。
【０３３２】
[0346]図１〜図１８の１つまたは複数は、本開示の教示によるシステム、装置、および／または方法を示し得るが、本開示は、これらの示されたシステム、装置、および／または方法に限定されない。本明細書で示され、または説明される図１〜図１８のいずれかの１つまたは複数の機能またはコンポーネントは、図１〜図１８の別の機能またはコンポーネントの１つまたは複数の他の部分と組み合わされ得る。したがって、本明細書で説明されるいずれの単一の例も限定的と解釈されるべきではなく、本開示の例は、本開示の教示から逸脱することなく適切に組み合わされ得る。例として、図１１〜図１７の方法の１つまたは複数は、個別に、または組み合わせて、図１８のプロセッサ１８１０によって実行され得る。例示すると、方法図１１〜図１７の１つのある部分は、図１１〜図１７の方法の１つの第２の部分と組み合わされ得る。加えて、図１１〜図１７を参照して説明された１つまたは複数の動作は任意選択であることがあり、少なくとも部分的に同時に実行されることがあり、および／または、示される順序もしくは説明される順序とは異なる順序で実行されることがある。
【０３３３】
[0347]本明細書で開示された態様に関連して説明された様々な例示的な論理ブロック、構成、モジュール、回路、およびアルゴリズムステップは、電子ハードウェア、プロセッサによって実行されるコンピュータソフトウェア、または両方の組合せとして実装され得ることを当業者はさらに理解するであろう。様々な例示的なコンポーネント、ブロック、構成、モジュール、回路、およびステップは、上では全般にそれらの機能に関して説明されている。そのような機能がハードウェアとして実装されるか、プロセッサ実行可能命令として実装されるかは、具体的な適用例および全体的なシステムに課された設計制約に依存する。当業者は、説明された機能を具体的な適用例ごとに様々な方法で実装し得るが、そのような実装の決定は、本開示の範囲からの逸脱を引き起こすものと解釈されるべきではない。
【０３３４】
[0348]本明細書で開示される態様に関連して説明された方法またはアルゴリズムのステップは、ハードウェアに直接的に含まれ、プロセッサによって実行されるソフトウェアモジュールに含まれ、またはその２つの組合せであり得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または当技術分野で知られている任意の他の形態の非一時的（ｎｏｎ−ｔｒａｎｓｉｅｎｔ）もしくは非一時的（ｎｏｎ−ｔｒａｎｓｉｔｏｒｙ）な記憶媒体中に存在し得る。例示的な記憶媒体は、プロセッサが記憶媒体から情報を読み取り、記憶媒体に情報を書き込むことができるようにプロセッサに結合される。代替的に、記憶媒体はプロセッサと一体であり得る。プロセッサおよび記憶媒体は、特定用途向け集積回路（ＡＳＩＣ）中に存在し得る。ＡＳＩＣは、コンピューティングデバイスまたはユーザ端末に存在し得る。代替的に、プロセッサおよび記憶媒体は、コンピューティングデバイスまたはユーザ端末に個別のコンポーネントとして存在し得る。
【０３３５】
[0349]開示された態様のこれまでの説明は、当業者が開示された態様を作成または使用することを可能にするために提供される。これらの態様への様々な修正は当業者には容易に明らかになり、本明細書で定義された原理は、本開示の範囲から逸脱することなく他の態様に適用され得る。したがって、本開示は、本明細書に示された態様に限定されるものではなく、以下の特許請求の範囲によって定義される原理および新規の特徴に一致する可能な最も広い範囲を与えられるべきである。
以下に本願の出願当初の特許請求の範囲に記載された発明を付記する。
［Ｃ１］
通信の方法であって、
発見時間枠の間に、複数の通信チャネルのうちの第１の通信チャネルを介して、近隣認識ネットワーク（ＮＡＮ）の第１の電子デバイスから前記ＮＡＮの第２の電子デバイスにメッセージを送信することと、ここにおいて、前記メッセージは前記第１の電子デバイスが通信に利用可能であることを示す、
送信時間枠の第１のページング時間枠の間に、前記複数の通信チャネルのうちの第２の通信チャネルを監視することと、ここにおいて、前記第１のページング時間枠は前記送信時間枠の最初の部分を備え、前記ＮＡＮの電子デバイスは前記第１のページング時間枠の間アクティブ状態にある、を備える、方法。
［Ｃ２］
前記第１のページング時間枠の間にページングメッセージが前記第１の電子デバイスによって送信または受信されていないと決定したことに応答して、前記送信時間枠のデータ時間枠の間に低電力モードに入ることをさらに備え、前記データ時間枠が前記第１のページング時間枠の終了後に開始する、Ｃ１に記載の方法。
［Ｃ３］
前記第１のページング時間枠の間にページングメッセージを送信することをさらに備え、前記ページングメッセージが、前記第１の電子デバイスが前記第２の電子デバイスへ送信すべきデータを有することを示し、前記ページングメッセージが、アドホックトラフィック指示メッセージ（ＡＴＩＭ）、トラフィック指示マップ（ＴＩＭ）、ブルームフィルタ、または媒体アクセス制御（ＭＡＣ）アドレスリストのうちの少なくとも１つを含む、Ｃ１に記載の方法。
［Ｃ４］
前記第１の電子デバイスが前記第２の電子デバイスへ送信されるべきデータを有するかどうかを決定することと、
前記第１の電子デバイスが送信されるべき前記データを有すると決定したことに応答して、前記第１のページング時間枠の間に、前記第２の通信チャネルを介してページングメッセージを前記第２の電子デバイスに送信すること、または、
前記第１の電子デバイスが送信されるべき前記データを有しないと決定したことに応答して、データ時間枠の間に低電力モードに入ることとをさらに備える、Ｃ１に記載の方法。
［Ｃ５］
前記発見時間枠の間、前記第１の通信チャネルを監視することと、
前記発見時間枠の間に加入メッセージを前記第２の電子デバイスから受信することと
をさらに備え、前記加入メッセージが、前記第２の電子デバイスが通信に関心を示していることを示す、Ｃ１に記載の方法。
［Ｃ６］
前記加入メッセージが、前記第２の電子デバイスの媒体アクセス制御（ＭＡＣ）アドレスを含み、前記方法は、
前記ＭＡＣアドレスに基づいて、インターネットプロトコル（ＩＰ）アドレスを生成することと、
前記ＩＰアドレスに基づいて、前記第２の電子デバイスにページングメッセージを送信することと、
前記ＩＰアドレスに基づいてデータを前記第２の電子デバイスに送信することと
をさらに備え、前記データが前記送信時間枠のデータ時間枠の間に送信され、前記第１のページング時間枠の最後が前記データ時間枠の最初に対応する、Ｃ５に記載の方法。
［Ｃ７］
前記第２の電子デバイスからトリガフレームを受信することと、前記トリガフレームは、前記第２の電子デバイスがデータを受信するのに利用可能であることを示し、ここにおいて、前記トリガフレームは、前記第２の電子デバイスが前記データを受信する予定であることを示すページングメッセージに応答するものである、
前記トリガフレームを受信したことに応答して、前記送信時間枠のデータ時間枠の間に前記データを前記第２の電子デバイスに送信することと
をさらに備える、Ｃ１に記載の方法。
［Ｃ８］
前記第１の電子デバイスが前記第１のページング時間枠の間に前記第２の通信チャネルを介してページングメッセージを送信することが可能であるかどうかを決定することと、ここにおいて、前記第２の通信チャネルは前記第１のページング時間枠の間に使用されている、
前記第１の電子デバイスが前記第１のページング時間枠の間に前記ページングメッセージを送信することが可能ではないと決定したことに応答して、第２の送信時間枠の第２のページング時間枠の間に前記第２の通信チャネルを介して前記ページングメッセージを送信することと、ここにおいて、前記第２のページング時間枠は前記第２の送信時間枠の最初の部分を備える、をさらに備える、Ｃ１に記載の方法。
［Ｃ９］
前記第１の通信チャネルの前記発見時間枠の間に同期ビーコンを送信することと、前記同期ビーコンは、前記第１の電子デバイスの第１のクロックを前記第２の電子デバイスの第２のクロックと同期するように構成される、
前記第１のページング時間枠の最初からのオフセットを示す第１の値を生成することと、
前記第１の値に基づいて、前記第１のページング時間枠の間の第１の時間においてページングメッセージの送信を開始することと
をさらに備える、Ｃ１に記載の方法。
［Ｃ１０］
第１の値を生成することと、前記第１の値は前記第１の電子デバイスによってランダムに生成され、ここにおいて、前記第１の値は、前記第１の電子デバイスがページングメッセージを送信すべき前記第１のページング時間枠の間の第１の時間を示す、
前記第２の通信チャネルが前記第１の時間において使用されていると決定したことに応答して、前記第１の値を第２の値に更新することと、ここにおいて、前記第２の値は、前記第１の値より小さく、第２の送信時間枠の第２のページング時間枠の最初からの第２のオフセットを示す、
前記第２の値に基づいて、前記第２のページング時間枠の間の第２の時間において前記ページングメッセージを送信することと
をさらに備える、Ｃ１に記載の方法。
［Ｃ１１］
前記メッセージが、サービスを示し前記複数の通信チャネルを介した前記サービスの利用可能性を示す、サービス告知を含み、前記メッセージが、前記第１の通信チャネルを介して前記ＮＡＮの第３の電子デバイスにマルチキャストされ、前記第１の通信チャネルがＮＡＮ通信チャネルを備える、Ｃ１に記載の方法。
［Ｃ１２］
前記メッセージがさらに、複数の論理チャネルのうちの論理チャネルを介して通信するのに前記第１の電子デバイスが利用可能であることを示し、前記複数の論理チャネルのうちの特定の論理チャネルが、前記複数の通信チャネルのうちの特定の通信チャネルと、複数の送信時間枠のうちの送信時間枠の特定のセットとを示す、Ｃ１に記載の方法。
［Ｃ１３］
発見時間枠の間に、複数の通信チャネルのうちの第１の通信チャネルを介して、近隣認識ネットワーク（ＮＡＮ）の第２の電子デバイスにメッセージを送信するように構成される、前記ＮＡＮの第１の電子デバイスの送信機と、前記メッセージは前記第１の電子デバイスが通信に利用可能であることを示す、
第１の送信時間枠の第１のページング時間枠の間に、前記複数の通信チャネルのうちの第２の通信チャネルを監視するように構成されるプロセッサと、ここにおいて、前記第１のページング時間枠は前記第１の送信時間枠の最初の部分を備え、前記ＮＡＮの電子デバイスは前記第１のページング時間枠の間アクティブ状態にある、を備える、装置。
［Ｃ１４］
前記第２の電子デバイスから加入メッセージを受信するように構成される受信機をさらに備え、前記加入メッセージが、前記第２の電子デバイスが通信に関心を示していることを示し、前記送信機がさらに、
前記第１のページング時間枠の間にページングメッセージを送信することと、
第１のデータ時間枠の間にデータを送信することと、ここにおいて、前記第１のデータ時間枠は前記第１の送信時間枠の最後の部分に対応する、を行うように構成される、Ｃ１３に記載の装置。
［Ｃ１５］
前記送信機がさらに、
第３の通信チャネルの第２のページング時間枠の間に第２のページングメッセージを前記第２の電子デバイスに送信することと、ここにおいて、前記第２のページング時間枠は第２の送信時間枠の最初の部分に対応する、
前記第３の通信チャネルの第２のデータ時間枠の間に第２のデータを前記第２の電子デバイスに送信することと
を行うように構成される、Ｃ１４に記載の装置。
［Ｃ１６］
前記プロセッサがさらに、前記データを送信する前に前記第２の電子デバイスとの能力の交換を実行するように構成され、前記データが、前記第１の電子デバイスの第１の通信情報、前記第２の電子デバイスの第２の通信情報、または両方に基づいて送信され、前記第２の通信情報が、前記能力の交換の実行の間に受信される、Ｃ１４に記載の装置。
［Ｃ１７］
前記能力の交換が前記第１のページング時間枠の間に実行され、前記第１の通信情報、前記第２の通信情報、または両方がセキュリティ情報を含み、前記データが前記セキュリティ情報に基づいて暗号化される、Ｃ１６に記載の装置。
［Ｃ１８］
前記送信機がさらに、第１の能力メッセージを前記第２の電子デバイスに送信するように構成され、前記第１の能力メッセージが前記第１の通信情報を含み、
前記受信機がさらに、第２の能力メッセージを前記第２の電子デバイスから受信するように構成され、前記第２の能力メッセージが前記第２の通信情報を示し、
前記セキュリティ情報が、グループ鍵、共通ネットワーク鍵、または両方を含む、Ｃ１７に記載の装置。
［Ｃ１９］
前記能力の交換が前記発見時間枠の後で実行され、前記能力の交換が前記第１の通信チャネルを介して実行される、Ｃ１６に記載の装置。
［Ｃ２０］
前記送信機がさらに、プローブ要求または接続要求を前記第２の電子デバイスに送信するように構成され、前記プローブ要求または前記接続要求が前記第１の通信情報を含み、
前記受信機がさらに、プローブ応答または接続応答を前記第２の電子デバイスから受信するように構成され、前記プローブ応答または前記接続応答が前記第２の通信情報を含む、Ｃ１６に記載の装置。
［Ｃ２１］
前記送信機がさらに、第２の発見時間枠の間に第２のメッセージを送信するように構成され、前記装置は、前記第２の電子デバイスからサービス発見補足メッセージを受信するように構成される受信機をさらに備え、前記サービス発見補足メッセージが前記第２のメッセージのサービスのスケジュール情報を要求し、前記送信機がさらに、ネゴシエーションメッセージを前記第２の電子デバイスに送信するように構成され、前記ネゴシエーションメッセージが前記スケジュール情報を示す、Ｃ１３に記載の装置。
［Ｃ２２］
通信の方法であって、
第１の発見時間枠の間に、複数の通信チャネルのうちの第１の通信チャネルを介して、近隣認識ネットワーク（ＮＡＮ）の第２の電子デバイスから前記ＮＡＮの第１の電子デバイスに加入メッセージを送信することと、前記加入メッセージは前記第２の電子デバイスが通信する準備ができていることを示す、
送信時間枠のページング時間枠の間に、前記複数の通信チャネルのうちの第２の通信チャネルを監視することと、ここにおいて、前記ページング時間枠は前記送信時間枠の最初の部分を備え、前記ＮＡＮの電子デバイスは前記ページング時間枠の間アクティブ状態にある、を備える、方法。
［Ｃ２３］
前記ページング時間枠の間に前記第２の通信チャネルを介して前記第１の電子デバイスから第１のページングメッセージを受信することと、前記第１のページングメッセージは、前記第１の電子デバイスが前記第２の電子デバイスへ送信すべきデータを有することを示す、
前記第１のページングメッセージを受信したことに応答して、前記第２の電子デバイスから前記第１の電子デバイスにトリガフレームを送信することと、
データ時間枠の間に前記第２の通信チャネルを監視することと、ここにおいて、前記ページング時間枠の最後は前記データ時間枠の最初に対応する、
前記データ時間枠の間に、前記第２の通信チャネルを介して前記データを前記第１の電子デバイスから受信することと、ここにおいて、前記データ時間枠は前記送信時間枠の最後の部分に対応する、をさらに備える、Ｃ２２に記載の方法。
［Ｃ２４］
前記第１のページングメッセージが、第１のサービス品質（ＱｏＳ）インジケータを含み、前記第１のＱｏＳインジケータが、ビデオデータ、音声データ、バックグラウンドデータ、またはこれらの組合せを前記データが含むことを示す、Ｃ２３に記載の方法。
［Ｃ２５］
第２のＱｏＳインジケータを含む第２のページングメッセージを受信することと、ここにおいて、前記第１のＱｏＳインジケータは第１のデータタイプを特定し、前記第２のＱｏＳインジケータは第２のデータタイプを特定する、
前記第１のＱｏＳインジケータに基づいて、前記第２のページングメッセージよりも前記第１のページングメッセージを優先することと、
前記第２のページングメッセージに応答して第２のトリガフレームを送信する前に、前記第１のページングメッセージに応答して第１のトリガフレームを送信することと
をさらに備える、Ｃ２４に記載の方法。
［Ｃ２６］
前記ページング時間枠の間に前記第２の通信チャネルを介して前記第１の電子デバイスから第１のページングメッセージを受信することと、前記第１のページングメッセージは、前記第１の電子デバイスが前記第２の電子デバイスへ送信すべきデータを有することを示す、
前記第２の電子デバイスがデータを受信する予定であることを前記第１のページングメッセージが示さないことを、前記第２の電子デバイスによって決定することと、
前記第２の電子デバイスが前記データを受信する予定であることを前記第１のページングメッセージが示さないと決定したことに応答して、前記送信時間枠のデータ時間枠の間に低電力モードに入ることとをさらに備える、Ｃ２２に記載の方法。
［Ｃ２７］
第１の発見時間枠の間に、複数の通信チャネルのうちの第１の通信チャネルを介して、近隣認識ネットワーク（ＮＡＮ）の第１の電子デバイスに加入メッセージを送信するように構成される送信機と、前記加入メッセージは前記ＮＡＮの第２の電子デバイスが通信に関心を示していることを示す、
送信時間枠のページング時間枠の間に、前記複数の通信チャネルのうちの第２の通信チャネルを監視するように構成されるプロセッサと、ここにおいて、前記ページング時間枠は前記送信時間枠の最初の部分を備え、前記ＮＡＮの電子デバイスは前記ページング時間枠の間アクティブ状態にある、を備える、装置。
［Ｃ２８］
前記第１の電子デバイスから第１のページングメッセージを受信し、前記ＮＡＮの第３の電子デバイスから第２のページングメッセージを受信するように構成される受信機をさらに備え、前記送信機がさらに、トリガフレームを前記第１の電子デバイスおよび前記第３の電子デバイスにマルチキャストするように構成され、前記受信機がさらに、前記トリガフレームをマルチキャストしたことに応答して、前記第１の電子デバイスから第１のデータを受信し、前記第３の電子デバイスから第２のデータを受信するように構成される、Ｃ２７に記載の装置。
［Ｃ２９］
前記トリガフレームが、節電ポール（ＰＳ−ＰＯＬＬ）メッセージ、サービス品質ヌル（ＱｏＳ＿ＮＵＬＬ）フレーム、ＡＴＩＭフレーム、またはアクションフレームのうちの少なくとも１つを含む、Ｃ２８に記載の装置。
［Ｃ３０］
受信機と、
前記プロセッサ、前記受信機、および前記送信機に結合されるワイヤレスインターフェースと
をさらに備え、前記ワイヤレスインターフェースが、
前記ページング時間枠の間に前記受信機からページングメッセージを受信することと、ここにおいて、前記ページング時間枠は、前記第１の発見時間枠の最初から第１のオフセットだけオフセットされた時間において開始する、
前記プロセッサが前記第１の通信チャネルを監視しているかどうかを決定することと、
前記プロセッサが前記第１の通信チャネルを監視していないと決定したことに応答して、前記ページングメッセージを廃棄することと
を行うように構成される、Ｃ２７に記載の装置。
【図１】
0006266841.tif 000006
【図２】
0006266841.tif 000007
【図３】
0006266841.tif 000008
【図４】
0006266841.tif 000009
【図５Ａ】
0006266841.tif 000010
【図５Ｂ】
0006266841.tif 000011
【図６】
0006266841.tif 000012
【図７Ａ】
0006266841.tif 000013
【図７Ｂ】
0006266841.tif 000014
【図７Ｃ】
0006266841.tif 000015
【図７Ｄ】
0006266841.tif 000016
【図８】
0006266841.tif 000017
【図９】
0006266841.tif 000018
【図１０】
0006266841.tif 000019
【図１１Ａ】
0006266841.tif 000020
【図１１Ｂ】
0006266841.tif 000021
【図１２】
0006266841.tif 000022
【図１３】
0006266841.tif 000023
【図１４】
0006266841.tif 000024
【図１５】
0006266841.tif 000025
【図１６】
0006266841.tif 000026
【図１７】
0006266841.tif 000027
【図１８】
0006266841.tif 000028